(57)【要約】  信頼性の高い通信システム等を提供する。通信システムは、基地局と、基地局と無線通信可能に構成された複数の端末装置とを備える。１スロットが、第１端末装置のサウンディング参照信号（ＳＲＳ）用に割り当てられた１つ以上のシンボルからなるＳＲＳシンボル範囲と、ＳＲＳシンボル範囲の前の１つ以上のシンボルからなる第１シンボル範囲と、ＳＲＳシンボル範囲の後ろの１つ以上のシンボルからなる第２シンボル範囲とを含む場合、第１端末装置とは異なる第２端末装置は、第１シンボル範囲と第２シンボル範囲とのうちの少なくとも一方で、基地局への上り通信を行う。
2019194021.tif 000002
【特許請求の範囲】
【請求項１】
基地局と、前記基地局と無線通信可能に構成された複数の端末装置とを備える通信システムであって、
１スロットが、第１端末装置のサウンディング参照信号（ＳＲＳ）用に割り当てられた１つ以上のシンボルからなるＳＲＳシンボル範囲と、前記ＳＲＳシンボル範囲の前の１つ以上のシンボルからなる第１シンボル範囲と、前記ＳＲＳシンボル範囲の後ろの１つ以上のシンボルからなる第２シンボル範囲とを含む場合、前記第１端末装置とは異なる第２端末装置は、前記第１シンボル範囲と前記第２シンボル範囲とのうちの少なくとも一方で、前記基地局への上り通信を行う、通信システム。
【請求項２】
第１のスロットでは前記ＳＲＳが送信されるが、第２のスロットでは前記ＳＲＳが送信されない場合、前記第２端末装置は、前記第１のスロットの前記第１シンボル範囲および前記第２シンボル範囲を前記第２のスロットに対応させて、前記第２のスロットでの前記上り通信を行う、請求項１に記載の通信システム。
【請求項３】
複数の第１端末装置によって複数のＳＲＳが送信される場合、前記第２端末装置は、前記１スロットにおいて最も早く開始する前記ＳＲＳシンボル範囲の開始から最も遅く終了する前記ＳＲＳシンボル範囲の終了までの範囲外で、前記上り通信を行う、請求項１または請求項２に記載の通信システム。
【請求項４】
前記第２端末装置は、前記ＳＲＳシンボル範囲の全体において前記上り通信を停止する、請求項１から請求項３までのうちのいずれか１項に記載の通信システム。
【請求項５】
前記第２端末装置は、前記ＳＲＳシンボル範囲の一部分では前記上り通信を停止するが、前記ＳＲＳシンボル範囲の残りの部分では前記上り通信を行う、請求項１から請求項３までのうちのいずれか１項に記載の通信システム。
【請求項６】
前記ＳＲＳシンボル範囲の前記一部分は、前記ＳＲＳ用に割り当てられた１つ以上の物理リソースブロック（ＰＲＢ）または１つ以上のリソースエレメント（ＲＥ）である、請求項５に記載の通信システム。
【請求項７】
複数の端末装置と無線通信可能な基地局であって、
１スロットが、第１端末装置のサウンディング参照信号（ＳＲＳ）用に割り当てられた１つ以上のシンボルからなるＳＲＳシンボル範囲と、前記ＳＲＳシンボル範囲の前の１つ以上のシンボルからなる第１シンボル範囲と、前記ＳＲＳシンボル範囲の後ろの１つ以上のシンボルからなる第２シンボル範囲とを含む場合、前記第１端末装置とは異なる第２端末装置と、前記第１シンボル範囲と前記第２シンボル範囲とのうちの少なくとも一方で上り通信を行う、基地局。
【請求項８】
複数の端末装置と無線通信可能な基地局と無線通信する端末装置であって、
１スロットが、他の端末装置のサウンディング参照信号（ＳＲＳ）用に割り当てられた１つ以上のシンボルからなるＳＲＳシンボル範囲と、前記ＳＲＳシンボル範囲の前の１つ以上のシンボルからなる第１シンボル範囲と、前記ＳＲＳシンボル範囲の後ろの１つ以上のシンボルからなる第２シンボル範囲とを含む場合、前記第１シンボル範囲と前記第２シンボル範囲とのうちの少なくとも一方で上り通信を行う、端末装置。
【発明の詳細な説明】
【技術分野】
【０００１】
本発明は、移動端末装置などの通信端末装置と基地局装置との間で無線通信を行う通信システム等に関する。
【背景技術】
【０００２】
移動体通信システムの規格化団体である３ＧＰＰ（3rd Generation Partnership Project）において、無線区間についてはロングタームエボリューション（Long Term Evolution：ＬＴＥ）と称し、コアネットワークおよび無線アクセスネットワーク（以下、まとめて、ネットワークとも称する）を含めたシステム全体構成については、システムアーキテクチャエボリューション（System Architecture Evolution：ＳＡＥ）と称される通信方式が検討されている（例えば、非特許文献１〜５）。この通信方式は３．９Ｇ（3.9 Generation）システムとも呼ばれる。【０００３】
ＬＴＥのアクセス方式としては、下り方向はＯＦＤＭ（Orthogonal Frequency Division Multiplexing）、上り方向はＳＣ−ＦＤＭＡ（Single Carrier Frequency Division Multiple Access）が用いられる。また、ＬＴＥは、Ｗ−ＣＤＭＡ（Wideband Code Division Multiple Access）とは異なり、回線交換を含まず、パケット通信方式のみになる。【０００４】
非特許文献１（５章）に記載される、３ＧＰＰでの、ＬＴＥシステムにおけるフレーム構成に関する決定事項について、図１を用いて説明する。図１は、ＬＴＥ方式の通信システムで使用される無線フレームの構成を示す説明図である。図１において、１つの無線フレーム（Radio frame）は１０ｍｓである。無線フレームは１０個の等しい大きさのサブフレーム（Subframe）に分割される。サブフレームは、２個の等しい大きさのスロット（slot）に分割される。無線フレーム毎に１番目および６番目のサブフレームに下り同期信号（Downlink Synchronization Signal）が含まれる。同期信号には、第一同期信号（Primary Synchronization Signal：Ｐ−ＳＳ）と、第二同期信号（Secondary Synchronization Signal：Ｓ−ＳＳ）とがある。【０００５】
３ＧＰＰでの、ＬＴＥシステムにおけるチャネル構成に関する決定事項が、非特許文献１（５章）に記載されている。ＣＳＧ（Closed Subscriber Group）セルにおいてもｎｏｎ−ＣＳＧセルと同じチャネル構成が用いられると想定されている。【０００６】
物理報知チャネル（Physical Broadcast Channel：ＰＢＣＨ）は、基地局装置（以下、単に「基地局」という場合がある）から移動端末装置（以下、単に「移動端末」という場合がある）などの通信端末装置（以下、単に「通信端末」という場合がある）への下り送信用のチャネルである。ＢＣＨトランスポートブロック（transport block）は、４０ｍｓ間隔中の４個のサブフレームにマッピングされる。４０ｍｓタイミングの明白なシグナリングはない。【０００７】
物理制御フォーマットインジケータチャネル（Physical Control Format Indicator Channel：ＰＣＦＩＣＨ）は、基地局から通信端末への下り送信用のチャネルである。ＰＣＦＩＣＨは、ＰＤＣＣＨｓのために用いるＯＦＤＭ（Orthogonal Frequency Division Multiplexing）シンボルの数を、基地局から通信端末へ通知する。ＰＣＦＩＣＨは、サブフレーム毎に送信される。【０００８】
物理下り制御チャネル（Physical Downlink Control Channel：ＰＤＣＣＨ）は、基地局から通信端末への下り送信用のチャネルである。ＰＤＣＣＨは、後述のトランスポートチャネルの１つである下り共有チャネル（Downlink Shared Channel：ＤＬ−ＳＣＨ）のリソース割り当て（allocation）情報、後述のトランスポートチャネルの１つであるページングチャネル（Paging Channel：ＰＣＨ）のリソース割り当て（allocation）情報、ＤＬ−ＳＣＨに関するＨＡＲＱ（Hybrid Automatic Repeat reQuest）情報を通知する。ＰＤＣＣＨは、上りスケジューリンググラント（Uplink Scheduling Grant）を運ぶ。ＰＤＣＣＨは、上り送信に対する応答信号であるＡｃｋ（Acknowledgement）／Ｎａｃｋ（Negative Acknowledgement）を運ぶ。ＰＤＣＣＨは、Ｌ１／Ｌ２制御信号とも呼ばれる。【０００９】
物理下り共有チャネル（Physical Downlink Shared Channel：ＰＤＳＣＨ）は、基地局から通信端末への下り送信用のチャネルである。ＰＤＳＣＨには、トランスポートチャネルである下り共有チャネル（ＤＬ−ＳＣＨ）、およびトランスポートチャネルであるＰＣＨがマッピングされている。【００１０】
物理マルチキャストチャネル（Physical Multicast Channel：ＰＭＣＨ）は、基地局から通信端末への下り送信用のチャネルである。ＰＭＣＨには、トランスポートチャネルであるマルチキャストチャネル（Multicast Channel：ＭＣＨ）がマッピングされている。【００１１】
物理上り制御チャネル（Physical Uplink Control Channel：ＰＵＣＣＨ）は、通信端末から基地局への上り送信用のチャネルである。ＰＵＣＣＨは、下り送信に対する応答信号（response signal）であるＡｃｋ／Ｎａｃｋを運ぶ。ＰＵＣＣＨは、ＣＱＩ（Channel Quality Indicator）レポートを運ぶ。ＣＱＩとは、受信したデータの品質、もしくは通信路品質を示す品質情報である。またＰＵＣＣＨは、スケジューリングリクエスト（Scheduling Request：ＳＲ）を運ぶ。【００１２】
物理上り共有チャネル（Physical Uplink Shared Channel：ＰＵＳＣＨ）は、通信端末から基地局への上り送信用のチャネルである。ＰＵＳＣＨには、トランスポートチャネルの１つである上り共有チャネル（Uplink Shared Channel：ＵＬ−ＳＣＨ）がマッピングされている。【００１３】
物理ＨＡＲＱインジケータチャネル（Physical Hybrid ARQ Indicator Channel：ＰＨＩＣＨ）は、基地局から通信端末への下り送信用のチャネルである。ＰＨＩＣＨは、上り送信に対する応答信号であるＡｃｋ／Ｎａｃｋを運ぶ。物理ランダムアクセスチャネル（Physical Random Access Channel：ＰＲＡＣＨ）は、通信端末から基地局への上り送信用のチャネルである。ＰＲＡＣＨは、ランダムアクセスプリアンブル（random access preamble）を運ぶ。【００１４】
下り参照信号（リファレンスシグナル（Reference Signal）：ＲＳ）は、ＬＴＥ方式の通信システムとして既知のシンボルである。以下の５種類の下りリファレンスシグナルが定義されている。セル固有参照信号（Cell-specific Reference Signal：ＣＲＳ）、ＭＢＳＦＮ参照信号（MBSFN Reference Signal）、ＵＥ固有参照信号（UE-specific Reference Signal）であるデータ復調用参照信号（Demodulation Reference Signal：ＤＭ−ＲＳ）、位置決定参照信号（Positioning Reference Signal：ＰＲＳ）、チャネル状態情報参照信号（Channel State Information Reference Signal：ＣＳＩ−ＲＳ）。通信端末の物理レイヤの測定として、リファレンスシグナルの受信電力（Reference Signal Received Power：ＲＳＲＰ）測定がある。【００１５】
非特許文献１（５章）に記載されるトランスポートチャネル（Transport channel）について、説明する。下りトランスポートチャネルのうち、報知チャネル（Broadcast Channel：ＢＣＨ）は、その基地局（セル）のカバレッジ全体に報知される。ＢＣＨは、物理報知チャネル（ＰＢＣＨ）にマッピングされる。【００１６】
下り共有チャネル（Downlink Shared Channel：ＤＬ−ＳＣＨ）には、ＨＡＲＱ（Hybrid ARQ）による再送制御が適用される。ＤＬ−ＳＣＨは、基地局（セル）のカバレッジ全体への報知が可能である。ＤＬ−ＳＣＨは、ダイナミックあるいは準静的（Semi-static）なリソース割り当てをサポートする。準静的なリソース割り当ては、パーシステントスケジューリング（Persistent Scheduling）ともいわれる。ＤＬ−ＳＣＨは、通信端末の低消費電力化のために通信端末の間欠受信（Discontinuous reception：ＤＲＸ）をサポートする。ＤＬ−ＳＣＨは、物理下り共有チャネル（ＰＤＳＣＨ）へマッピングされる。【００１７】
ページングチャネル（Paging Channel：ＰＣＨ）は、通信端末の低消費電力を可能とするために通信端末のＤＲＸをサポートする。ＰＣＨは、基地局（セル）のカバレッジ全体への報知が要求される。ＰＣＨは、動的にトラフィックに利用できる物理下り共有チャネル（ＰＤＳＣＨ）のような物理リソースへマッピングされる。【００１８】
マルチキャストチャネル（Multicast Channel：ＭＣＨ）は、基地局（セル）のカバレッジ全体への報知に使用される。ＭＣＨは、マルチセル送信におけるＭＢＭＳ（Multimedia Broadcast Multicast Service）サービス（ＭＴＣＨとＭＣＣＨ）のＳＦＮ合成をサポートする。ＭＣＨは、準静的なリソース割り当てをサポートする。ＭＣＨは、ＰＭＣＨへマッピングされる。【００１９】
上りトランスポートチャネルのうち、上り共有チャネル（Uplink Shared Channel：ＵＬ−ＳＣＨ）には、ＨＡＲＱ（Hybrid ARQ）による再送制御が適用される。ＵＬ−ＳＣＨは、ダイナミックあるいは準静的（Semi-static）なリソース割り当てをサポートする。ＵＬ−ＳＣＨは、物理上り共有チャネル（ＰＵＳＣＨ）へマッピングされる。【００２０】
ランダムアクセスチャネル（Random Access Channel：ＲＡＣＨ）は、制御情報に限られている。ＲＡＣＨは、衝突のリスクがある。ＲＡＣＨは、物理ランダムアクセスチャネル（ＰＲＡＣＨ）へマッピングされる。【００２１】
ＨＡＲＱについて説明する。ＨＡＲＱとは、自動再送要求（Automatic Repeat reQuest：ＡＲＱ）と誤り訂正（Forward Error Correction）との組合せによって、伝送路の通信品質を向上させる技術である。ＨＡＲＱには、通信品質が変化する伝送路に対しても、再送によって誤り訂正が有効に機能するという利点がある。特に、再送にあたって初送の受信結果と再送の受信結果との合成をすることで、更なる品質向上を得ることも可能である。【００２２】
再送の方法の一例を説明する。受信側にて、受信データが正しくデコードできなかった場合、換言すればＣＲＣ（Cyclic Redundancy Check）エラーが発生した場合（ＣＲＣ＝ＮＧ）、受信側から送信側へ「Ｎａｃｋ」を送信する。「Ｎａｃｋ」を受信した送信側は、データを再送する。受信側にて、受信データが正しくデコードできた場合、換言すればＣＲＣエラーが発生しない場合（ＣＲＣ＝ＯＫ）、受信側から送信側へ「Ａｃｋ」を送信する。「Ａｃｋ」を受信した送信側は次のデータを送信する。【００２３】
非特許文献１（６章）に記載される論理チャネル（ロジカルチャネル：Logical channel）について、説明する。報知制御チャネル（Broadcast Control Channel：ＢＣＣＨ）は、報知システム制御情報のための下りチャネルである。論理チャネルであるＢＣＣＨは、トランスポートチャネルである報知チャネル（ＢＣＨ）、あるいは下り共有チャネル（ＤＬ−ＳＣＨ）へマッピングされる。【００２４】
ページング制御チャネル（Paging Control Channel：ＰＣＣＨ）は、ページング情報（Paging Information）およびシステム情報（System Information）の変更を送信するための下りチャネルである。ＰＣＣＨは、通信端末のセルロケーションをネットワークが知らない場合に用いられる。論理チャネルであるＰＣＣＨは、トランスポートチャネルであるページングチャネル（ＰＣＨ）へマッピングされる。【００２５】
共有制御チャネル（Common Control Channel：ＣＣＣＨ）は、通信端末と基地局との間の送信制御情報のためのチャネルである。ＣＣＣＨは、通信端末がネットワークとの間でＲＲＣ接続（connection）を有していない場合に用いられる。下り方向では、ＣＣＣＨは、トランスポートチャネルである下り共有チャネル（ＤＬ−ＳＣＨ）へマッピングされる。上り方向では、ＣＣＣＨは、トランスポートチャネルである上り共有チャネル（ＵＬ−ＳＣＨ）へマッピングされる。【００２６】
マルチキャスト制御チャネル（Multicast Control Channel：ＭＣＣＨ）は、１対多の送信のための下りチャネルである。ＭＣＣＨは、ネットワークから通信端末への１つあるいはいくつかのＭＴＣＨ用のＭＢＭＳ制御情報の送信のために用いられる。ＭＣＣＨは、ＭＢＭＳ受信中の通信端末のみに用いられる。ＭＣＣＨは、トランスポートチャネルであるマルチキャストチャネル（ＭＣＨ）へマッピングされる。【００２７】
個別制御チャネル（Dedicated Control Channel：ＤＣＣＨ）は、１対１にて、通信端末とネットワークとの間の個別制御情報を送信するチャネルである。ＤＣＣＨは、通信端末がＲＲＣ接続（connection）である場合に用いられる。ＤＣＣＨは、上りでは上り共有チャネル（ＵＬ−ＳＣＨ）へマッピングされ、下りでは下り共有チャネル（ＤＬ−ＳＣＨ）にマッピングされる。【００２８】
個別トラフィックチャネル（Dedicated Traffic Channel：ＤＴＣＨ）は、ユーザ情報の送信のための個別通信端末への１対１通信のチャネルである。ＤＴＣＨは、上りおよび下りともに存在する。ＤＴＣＨは、上りでは上り共有チャネル（ＵＬ−ＳＣＨ）へマッピングされ、下りでは下り共有チャネル（ＤＬ−ＳＣＨ）へマッピングされる。【００２９】
マルチキャストトラフィックチャネル（Multicast Traffic channel：ＭＴＣＨ）は、ネットワークから通信端末へのトラフィックデータ送信のための下りチャネルである。ＭＴＣＨは、ＭＢＭＳ受信中の通信端末のみに用いられるチャネルである。ＭＴＣＨは、マルチキャストチャネル（ＭＣＨ）へマッピングされる。【００３０】
ＣＧＩとは、セルグローバル識別子（Cell Global Identifier）のことである。ＥＣＧＩとは、Ｅ−ＵＴＲＡＮセルグローバル識別子（E-UTRAN Cell Global Identifier）のことである。ＬＴＥ、後述のＬＴＥ−Ａ（Long Term Evolution Advanced）およびＵＭＴＳ（Universal Mobile Telecommunication System）において、ＣＳＧ（Closed Subscriber Group）セルが導入される。【００３１】
ＣＳＧ（Closed Subscriber Group）セルとは、利用可能な加入者をオペレータが特定しているセル（以下「特定加入者用セル」という場合がある）である。特定された加入者は、ＰＬＭＮ（Public Land Mobile Network）の１つ以上のセルにアクセスすることが許可される。特定された加入者がアクセスを許可されている１つ以上のセルを「ＣＳＧセル（ＣＳＧ  ｃｅｌｌ（ｓ））」と呼ぶ。ただし、ＰＬＭＮにはアクセス制限がある。【００３２】
ＣＳＧセルは、固有のＣＳＧアイデンティティ（CSG identity：ＣＳＧ  ＩＤ）を報知し、ＣＳＧインジケーション（CSG Indication）にて「ＴＲＵＥ」を報知するＰＬＭＮの一部である。予め利用登録し、許可された加入者グループのメンバーは、アクセス許可情報であるところのＣＳＧ  ＩＤを用いてＣＳＧセルにアクセスする。【００３３】
ＣＳＧ  ＩＤは、ＣＳＧセルまたはセルによって報知される。ＬＴＥ方式の通信システムにＣＳＧ  ＩＤは複数存在する。そして、ＣＳＧ  ＩＤは、ＣＳＧ関連のメンバーのアクセスを容易にするために、通信端末（ＵＥ）によって使用される。【００３４】
通信端末の位置追跡は、１つ以上のセルからなる区域を単位に行われる。位置追跡は、待受け状態であっても通信端末の位置を追跡し、通信端末を呼び出す、換言すれば通信端末が着呼することを可能にするために行われる。この通信端末の位置追跡のための区域をトラッキングエリアと呼ぶ。【００３５】
３ＧＰＰにおいて、Ｈｏｍｅ−ＮｏｄｅＢ（Ｈｏｍｅ−ＮＢ；ＨＮＢ）、Ｈｏｍｅ−ｅＮｏｄｅＢ（Ｈｏｍｅ−ｅＮＢ；ＨｅＮＢ）と称される基地局が検討されている。ＵＴＲＡＮにおけるＨＮＢ、およびＥ−ＵＴＲＡＮにおけるＨｅＮＢは、例えば家庭、法人、商業用のアクセスサービス向けの基地局である。非特許文献２には、ＨｅＮＢおよびＨＮＢへのアクセスの３つの異なるモードが開示されている。具体的には、オープンアクセスモード（Open access mode）と、クローズドアクセスモード（Closed access mode）と、ハイブリッドアクセスモード（Hybrid access mode）とが開示されている。【００３６】
また３ＧＰＰでは、リリース１０として、ロングタームエボリューションアドヴァンスド（Long Term Evolution Advanced：ＬＴＥ−Ａ）の規格策定が進められている（非特許文献３、非特許文献４参照）。ＬＴＥ−Ａは、ＬＴＥの無線区間通信方式を基本とし、それにいくつかの新技術を加えて構成される。【００３７】
ＬＴＥ−Ａシステムでは、１００ＭＨｚまでのより広い周波数帯域幅（transmission bandwidths）をサポートするために、二つ以上のコンポーネントキャリア（Component Carrier：ＣＣ）を集約する（「アグリゲーション（aggregation）する」とも称する）、キャリアアグリゲーション（Carrier Aggregation：ＣＡ）が検討されている。ＣＡについては、非特許文献１に記載されている。【００３８】
ＣＡが構成される場合、ＵＥはネットワーク（Network：ＮＷ）と唯一つのＲＲＣ接続（RRC connection）を有する。ＲＲＣ接続において、一つのサービングセルがＮＡＳモビリティ情報とセキュリティ入力を与える。このセルをプライマリセル（Primary Cell：ＰＣｅｌｌ）と呼ぶ。下りリンクで、ＰＣｅｌｌに対応するキャリアは、下りプライマリコンポーネントキャリア（Downlink Primary Component Carrier：ＤＬ  ＰＣＣ）である。上りリンクで、ＰＣｅｌｌに対応するキャリアは、上りプライマリコンポーネントキャリア（Uplink Primary Component Carrier：ＵＬ  ＰＣＣ）である。【００３９】
ＵＥの能力（ケーパビリティ（capability））に応じて、セカンダリセル（Secondary Cell：ＳＣｅｌｌ）が、ＰＣｅｌｌとともに、サービングセルの組を形成するために構成される。下りリンクで、ＳＣｅｌｌに対応するキャリアは、下りセカンダリコンポーネントキャリア（Downlink Secondary Component Carrier：ＤＬ  ＳＣＣ）である。上りリンクで、ＳＣｅｌｌに対応するキャリアは、上りセカンダリコンポーネントキャリア（Uplink Secondary Component Carrier：ＵＬ  ＳＣＣ）である。【００４０】
一つのＰＣｅｌｌと一つ以上のＳＣｅｌｌとからなるサービングセルの組が、一つのＵＥに対して構成される。【００４１】
また、ＬＴＥ−Ａでの新技術としては、より広い帯域をサポートする技術（Wider bandwidth extension）、および多地点協調送受信（Coordinated Multiple Point transmission and reception：ＣｏＭＰ）技術などがある。３ＧＰＰでＬＴＥ−Ａのために検討されているＣｏＭＰについては、非特許文献１に記載されている。【００４２】
また、３ＧＰＰにおいて、将来の膨大なトラフィックに対応するために、スモールセルを構成するスモールｅＮＢ（以下「小規模基地局装置」という場合がある）を用いることが検討されている。例えば、多数のスモールｅＮＢを設置して、多数のスモールセルを構成することによって、周波数利用効率を高めて、通信容量の増大を図る技術などが検討されている。具体的には、ＵＥが２つのｅＮＢと接続して通信を行うデュアルコネクティビティ（Dual Connectivity；ＤＣと略称される）などがある。ＤＣについては、非特許文献１に記載されている。【００４３】
デュアルコネクティビティ（ＤＣ）を行うｅＮＢのうち、一方を「マスターｅＮＢ（ＭｅＮＢと略称される）」といい、他方を「セカンダリｅＮＢ（ＳｅＮＢと略称される）」という場合がある。【００４４】
モバイルネットワークのトラフィック量は、増加傾向にあり、通信速度も高速化が進んでいる。ＬＴＥおよびＬＴＥ−Ａが本格的に運用を開始されると、更に通信速度が高速化されることが見込まれる。【００４５】
さらに、高度化する移動体通信に対して、２０２０年以降にサービスを開始することを目標とした第５世代（以下「５Ｇ」という場合がある）無線アクセスシステムが検討されている。例えば、欧州では、ＭＥＴＩＳという団体で５Ｇの要求事項がまとめられている（非特許文献５参照）。【００４６】
５Ｇ無線アクセスシステムでは、ＬＴＥシステムに対して、システム容量は１０００倍、データの伝送速度は１００倍、データの処理遅延は１０分の１（１／１０）、通信端末の同時接続数は１００倍として、更なる低消費電力化、および装置の低コスト化を実現することが要件として挙げられている。【００４７】
このような要求を満たすために、３ＧＰＰでは、リリース１５として、５Ｇの規格検討が進められている（非特許文献６〜１７、２５参照）。５Ｇの無線区間の技術は「New Radio Access Technology」と称される（「New Radio」は「ＮＲ」と略称される）。【００４８】
ＮＲにおいては、様々なサブキャリア間隔、すなわち、様々なヌメロロジ（Numerology）がサポートされている。ＮＲにおいては、ヌメロロジによらず、１サブフレームは１ミリ秒であり、また、１スロットは１４シンボルで構成される。また、１サブフレームに含まれるスロット数は、サブキャリア間隔１５ｋＨｚのヌメロロジにおいては１つであり、他のヌメロロジにおいては、サブキャリア間隔に比例して多くなる（非特許文献１３（TS38.211 v15.0.0）参照）。【００４９】
また、３ＧＰＰでは、いくつかの新たな技術が検討されている。例えば、サウンディング参照信号（Sounding Reference Signal：ＳＲＳ）と他のチャネルおよび信号との衝突回避の技術、ＢＷＰ（Bandwidth Part）の適用による低消費電力化などが検討されている（非特許文献１８〜２４参照）。【００５０】
ＮＲにおいて、上りチャネルのサウンディングに用いられるＳＲＳは、１４シンボルで構成される１スロットのうち、末尾６シンボルの範囲内で割り当てられる。また、ＳＲＳのシンボル数は、１、２、あるいは４のいずれかとなる（非特許文献１３、１５参照）。
【先行技術文献】
【非特許文献】
【００５１】
【非特許文献１】３ＧＰＰ  ＴＳ  ３６．３００  Ｖ１４．３．０
【非特許文献２】３ＧＰＰ  Ｓ１−０８３４６１
【非特許文献３】３ＧＰＰ  ＴＲ  ３６．８１４  Ｖ９．２．０
【非特許文献４】３ＧＰＰ  ＴＲ  ３６．９１２  Ｖ１４．０．０
【非特許文献５】“Scenarios, requirements and KPIs for 5G mobile and wireless system”、ＩＣＴ−３１７６６９−ＭＥＴＩＳ／Ｄ１．１
【非特許文献６】３ＧＰＰ  ＴＲ  ２３．７９９  Ｖ１４．０．０
【非特許文献７】３ＧＰＰ  ＴＲ  ３８．８０１  Ｖ１４．０．０
【非特許文献８】３ＧＰＰ  ＴＲ  ３８．８０２  Ｖ１４．１．０
【非特許文献９】３ＧＰＰ  ＴＲ  ３８．８０４  Ｖ１４．０．０
【非特許文献１０】３ＧＰＰ  ＴＲ  ３８．９１２  Ｖ１４．０．０
【非特許文献１１】３ＧＰＰ  ＲＰ−１７２１１５
【非特許文献１２】３ＧＰＰ  ＴＳ  ３７．３４０  Ｖ１５．０．０
【非特許文献１３】３ＧＰＰ  ＴＳ  ３８．２１１  Ｖ１５．０．０
【非特許文献１４】３ＧＰＰ  ＴＳ  ３８．２１３  Ｖ１５．０．０
【非特許文献１５】３ＧＰＰ  ＴＳ  ３８．２１４  Ｖ１５．０．０
【非特許文献１６】３ＧＰＰ  ＴＳ  ３８．３００  Ｖ１５．０．０
【非特許文献１７】３ＧＰＰ  ＴＳ  ３８．３２１  Ｖ１５．０．０
【非特許文献１８】３ＧＰＰ  Ｒ１−１８０２８３０
【非特許文献１９】３ＧＰＰ  Ｒ１−１８０１７４１
【非特許文献２０】３ＧＰＰ  Ｒ１−１８０１７３２
【非特許文献２１】３ＧＰＰ  Ｒ１−１８００９３５
【非特許文献２２】３ＧＰＰ  Ｒ１−１７１５２７７
【非特許文献２３】３ＧＰＰ  Ｒ１−１７２０３４９
【非特許文献２４】３ＧＰＰ  Ｒ１−１８００６７９
【非特許文献２５】３ＧＰＰ  ＴＳ  ３８．２１２  Ｖ１５．０．０
【発明の概要】
【発明が解決しようとする課題】
【００５２】
ＮＲでは、ＳＲＳを送信可能なシンボルが、ＬＴＥにおける最終シンボルから、末尾６シンボルに拡大されたため、他の上りチャネル、例えば、ＰＵＳＣＨやＰＵＣＣＨとの衝突の可能性がある。その結果、ＵＥと基地局との間でＳＲＳ設定の齟齬が発生する可能性がある。このため、ＮＲを用いた通信システムにおいて誤動作が発生し、通信における信頼性を確保できなくなる。また、ＳＲＳが、他のＵＥの上り通信用リソースを用いることで、他ＵＥの上り通信との間で互いに干渉を生じる。その結果、自ＵＥのＳＲＳ送信および他ＵＥの上り通信の信頼性を確保できなくなる。【００５３】
また、ＮＲにおいては、ＵＥの低消費電力化のために、上りおよび下りキャリアの周波数帯のうち一部をスケジューリング可能とするＢＷＰ（Bandwidth Part）が適用される。ところが、キャリア周波数帯域のうち、ＢＷＰとして設定されていない帯域におけるチャネル状況測定の方法が確立していないため、ＵＥおよび基地局は該帯域におけるチャネル状況測定を適切に実行できない。そのため、ＵＥと基地局との間における通信の信頼性を確保できないという問題が生じる。【００５４】
本発明は、上記課題に鑑み、ＮＲにおいて、高信頼性な通信システム等を提供することを、目的の一つとする。
【課題を解決するための手段】
【００５５】
本発明によれば、例えば、基地局と、前記基地局と無線通信可能に構成された複数の端末装置とを備える通信システムであって、１スロットが、第１端末装置のサウンディング参照信号（ＳＲＳ）用に割り当てられた１つ以上のシンボルからなるＳＲＳシンボル範囲と、前記ＳＲＳシンボル範囲の前の１つ以上のシンボルからなる第１シンボル範囲と、前記ＳＲＳシンボル範囲の後ろの１つ以上のシンボルからなる第２シンボル範囲とを含む場合、前記第１端末装置とは異なる第２端末装置は、前記第１シンボル範囲と前記第２シンボル範囲とのうちの少なくとも一方で、前記基地局への上り通信を行う、通信システムが提供される。【００５６】
本発明によれば、例えば、複数の端末装置と無線通信可能な基地局であって、１スロットが、第１端末装置のサウンディング参照信号（ＳＲＳ）用に割り当てられた１つ以上のシンボルからなるＳＲＳシンボル範囲と、前記ＳＲＳシンボル範囲の前の１つ以上のシンボルからなる第１シンボル範囲と、前記ＳＲＳシンボル範囲の後ろの１つ以上のシンボルからなる第２シンボル範囲とを含む場合、前記第１端末装置とは異なる第２端末装置と、前記第１シンボル範囲と前記第２シンボル範囲とのうちの少なくとも一方で上り通信を行う、基地局が提供される。【００５７】
本発明によれば、例えば、複数の端末装置と無線通信可能な基地局と無線通信する端末装置であって、１スロットが、他の端末装置のサウンディング参照信号（ＳＲＳ）用に割り当てられた１つ以上のシンボルからなるＳＲＳシンボル範囲と、前記ＳＲＳシンボル範囲の前の１つ以上のシンボルからなる第１シンボル範囲と、前記ＳＲＳシンボル範囲の後ろの１つ以上のシンボルからなる第２シンボル範囲とを含む場合、前記第１シンボル範囲と前記第２シンボル範囲とのうちの少なくとも一方で上り通信を行う、端末装置が提供される。
【発明の効果】
【００５８】
本発明によれば、信頼性の高い通信システム等を提供することができる。【００５９】
本発明の目的、特徴、局面、および利点は、以下の詳細な説明と添付図面とによって、より明白となる。
【図面の簡単な説明】
【００６０】
【図１】ＬＴＥ方式の通信システムで使用される無線フレームの構成を示す説明図である。
【図２】３ＧＰＰにおいて議論されているＬＴＥ方式の通信システム２００の全体的な構成を示すブロック図である。
【図３】図２に示す移動端末２０２の構成を示すブロック図である。
【図４】図２に示す基地局２０３の構成を示すブロック図である。
【図５】ＭＭＥの構成を示すブロック図である。
【図６】ＬＴＥ方式の通信システムにおいて通信端末（ＵＥ）が行うセルサーチから待ち受け動作までの概略を示すフローチャートである。
【図７】マクロｅＮＢとスモールｅＮＢとが混在する場合のセルの構成の概念を示す図である。
【図８】実施の形態１について、他ＵＥのＳＲＳの前後両側におけるＰＵＳＣＨ送信を示す図である。
【図９】実施の形態１について、ＰＵＳＣＨ送信の停止が、ＳＲＳ送信シンボル群のうち最早シンボルから最遅シンボルまでの範囲において行われる例について示した図である。
【図１０】実施の形態１について、ＰＵＳＣＨ送信の停止が、ＵＥに通知されたＳＲＳ送信シンボルにおいてのみ行われる例について示した図である。
【図１１】実施の形態１について、ＳＲＳのＰＲＢ範囲外においてＰＵＳＣＨ送信が行われる例について示した図である。
【図１２】実施の形態１について、ＳＲＳのＰＲＢ範囲外およびＰＲＢ範囲内においてＰＵＳＣＨ送信が行われる例について示した図である。
【図１３】実施の形態１について、基地局からＵＥに対して、他ＵＥのＳＲＳ送信に関する情報をスロット毎に通知する例について示した図である。
【図１４】実施の形態１について、他のＵＥからのＳＲＳ送信の前後において、ＤＭＲＳを追加する例を示した図である。
【図１５】実施の形態１について、他のＵＥからのＳＲＳ送信の後において、ＰＴＲＳを追加する例を示した図である。
【図１６】実施の形態１の変形例１について、ＰＵＳＣＨ送信ＵＥが送信するＰＵＳＣＨが割り当てられているシンボルおよび周波数帯域の外にて、ＳＲＳ送信ＵＥからのＳＲＳ送信が行わる例について示した図である。
【図１７】実施の形態１の変形例１について、ＰＵＳＣＨ送信ＵＥが送信するＰＵＳＣＨが割り当てられているシンボルおよび周波数帯域において、ＳＲＳ送信ＵＥからのＳＲＳ送信がコームの密度を変えて行われる例について示した図である。
【図１８】実施の形態１の変形例１について、ＰＵＳＣＨ送信ＵＥが送信するＰＵＳＣＨが割り当てられているシンボルにおいて、ＳＲＳ送信ＵＥからのＳＲＳ送信が行われない例について示した図である。
【図１９】実施の形態１の変形例１について、ＰＵＳＣＨの割り当て帯域においてのみ、ＳＲＳ送信シンボルをシフトする例について示す図である。
【図２０】実施の形態１の変形例１について、ＳＲＳ送信シンボル全体をシフトする例を示す図である。
【図２１】実施の形態１の変形例１について、ＰＵＳＣＨの割り当て帯域においてのみ、ＳＲＳ送信シンボルを異なるスロットにシフトする例について示す図である。
【図２２】実施の形態１の変形例１について、ＳＲＳ送信シンボル全体を異なるスロットにシフトする例について示す図である。
【図２３】実施の形態１の変形例２について、ＵＥからのＰＵＳＣＨ送信とＳＲＳ送信が同じスロットに割り当てられる場合の動作を示す図である。
【図２４】実施の形態１の変形例３について、基地局からの衝突回避指示の通知による、ＳＲＳとＰＵＳＣＨの衝突回避の動作を示す図である。
【図２５】実施の形態１の変形例３について、基地局からの衝突回避指示の通知による、ＳＲＳとＰＵＣＣＨの衝突回避の動作を示した図である。
【図２６】実施の形態１の変形例３について、基地局からの衝突回避指示の通知による、ＳＲＳとＰＵＣＣＨの衝突回避の動作における他の例を示した図である。
【図２７】実施の形態２について、準静的なシグナリングを用いて、メジャメントギャップにおけるＳＲＳ送信を設定する例を示す図である。
【図２８】実施の形態２について、動的なシグナリングを用いて、メジャメントギャップにおけるＳＲＳ送信を設定する例を示す図である。
【図２９】実施の形態２について、ＵＬ送信用ギャップを設けてＳＲＳ送信を設定する例を示す図である。
【図３０】実施の形態２について、ＵＬ送信用ギャップを設けてＳＲＳ送信を設定する他の例を示す図である。
【図３１】実施の形態２について、ＵＬ送信用ギャップを設けてＳＲＳ送信を設定する具体例を示す図である。
【図３２】実施の形態２について、ＤＬのみのメジャメントギャップの具体例を示す図である。
【図３３】実施の形態２について、ＴＤＤにおける複数のメジャメントギャップの設定例を示す図である。
【図３４】実施の形態２について、ＴＤＤにおける複数のメジャメントギャップの他の設定例を示す図である。
【図３５】実施の形態３について、サウンディングＢＷＰの設け方の例を示す図である。
【図３６】実施の形態４について、低レイテンシＰＵＳＣＨと通常レイテンシＰＵＳＣＨとで使用ＢＷＰが異なる場合における問題を説明する図である。
【図３７】実施の形態５について、下りと上りとでヌメロロジが異なる場合のＰＵＳＣＨスケジューリングにおける問題を説明する図である。
【図３８】実施の形態５について、スロットの中間にあるＰＤＣＣＨによるＰＵＳＣＨスケジューリングを示す図である。
【発明を実施するための形態】
【００６１】
実施の形態１．
図２は、３ＧＰＰにおいて議論されているＬＴＥ方式の通信システム２００の全体的な構成を示すブロック図である。図２について説明する。無線アクセスネットワークは、Ｅ−ＵＴＲＡＮ（Evolved Universal Terrestrial Radio Access Network）２０１と称される。通信端末装置である移動端末装置（以下「移動端末（User Equipment：ＵＥ）」という）２０２は、基地局装置（以下「基地局（E-UTRAN NodeB：ｅＮＢ）」という）２０３と無線通信可能であり、無線通信で信号の送受信を行う。
【００６２】
ここで、「通信端末装置」とは、移動可能な携帯電話端末装置などの移動端末装置だけでなく、センサなどの移動しないデバイスも含んでいる。以下の説明では、「通信端末装置」を、単に「通信端末」という場合がある。
【００６３】
移動端末２０２に対する制御プロトコル、例えばＲＲＣ（Radio Resource Control）と、ユーザプレイン（以下、Ｕ−Ｐｌａｎｅと称する場合もある）、例えばＰＤＣＰ（Packet Data Convergence Protocol）、ＲＬＣ（Radio Link Control）、ＭＡＣ（Medium Access Control）、ＰＨＹ（Physical layer）とが基地局２０３で終端するならば、Ｅ−ＵＴＲＡＮは１つあるいは複数の基地局２０３によって構成される。
【００６４】
移動端末２０２と基地局２０３との間の制御プロトコルＲＲＣ（Radio Resource Control）は、報知（Broadcast）、ページング（paging）、ＲＲＣ接続マネージメント（RRC connection management）などを行う。ＲＲＣにおける基地局２０３と移動端末２０２との状態として、ＲＲＣ＿ＩＤＬＥと、ＲＲＣ＿ＣＯＮＮＥＣＴＥＤとがある。
【００６５】
ＲＲＣ＿ＩＤＬＥでは、ＰＬＭＮ（Public Land Mobile Network）選択、システム情報（System Information：ＳＩ）の報知、ページング（paging）、セル再選択（cell re-selection）、モビリティなどが行われる。ＲＲＣ＿ＣＯＮＮＥＣＴＥＤでは、移動端末はＲＲＣ接続（connection）を有し、ネットワークとのデータの送受信を行うことができる。またＲＲＣ＿ＣＯＮＮＥＣＴＥＤでは、ハンドオーバ（Handover：ＨＯ）、隣接セル（Neighbour cell）の測定（メジャメント（measurement））などが行われる。
【００６６】
基地局２０３は、ｅＮＢ２０７と、Ｈｏｍｅ−ｅＮＢ２０６とに分類される。通信システム２００は、複数のｅＮＢ２０７を含むｅＮＢ群２０３−１と、複数のＨｏｍｅ−ｅＮＢ２０６を含むＨｏｍｅ−ｅＮＢ群２０３−２とを備える。またコアネットワークであるＥＰＣ（Evolved Packet Core）と、無線アクセスネットワークであるＥ−ＵＴＲＡＮ２０１とで構成されるシステムは、ＥＰＳ（Evolved Packet System）と称される。コアネットワークであるＥＰＣと、無線アクセスネットワークであるＥ−ＵＴＲＡＮ２０１とを合わせて、「ネットワーク」という場合がある。
【００６７】
ｅＮＢ２０７は、移動管理エンティティ（Mobility Management Entity：ＭＭＥ）、あるいはＳ−ＧＷ（Serving Gateway）、あるいはＭＭＥおよびＳ−ＧＷを含むＭＭＥ／Ｓ−ＧＷ部（以下「ＭＭＥ部」という場合がある）２０４とＳ１インタフェースにより接続され、ｅＮＢ２０７とＭＭＥ部２０４との間で制御情報が通信される。一つのｅＮＢ２０７に対して、複数のＭＭＥ部２０４が接続されてもよい。ｅＮＢ２０７間は、Ｘ２インタフェースにより接続され、ｅＮＢ２０７間で制御情報が通信される。
【００６８】
Ｈｏｍｅ−ｅＮＢ２０６は、ＭＭＥ部２０４とＳ１インタフェースにより接続され、Ｈｏｍｅ−ｅＮＢ２０６とＭＭＥ部２０４との間で制御情報が通信される。一つのＭＭＥ部２０４に対して、複数のＨｏｍｅ−ｅＮＢ２０６が接続される。あるいは、Ｈｏｍｅ−ｅＮＢ２０６は、ＨｅＮＢＧＷ（Home-eNB GateWay）２０５を介してＭＭＥ部２０４と接続される。Ｈｏｍｅ−ｅＮＢ２０６とＨｅＮＢＧＷ２０５とは、Ｓ１インタフェースにより接続され、ＨｅＮＢＧＷ２０５とＭＭＥ部２０４とはＳ１インタフェースを介して接続される。
【００６９】
一つまたは複数のＨｏｍｅ−ｅＮＢ２０６が一つのＨｅＮＢＧＷ２０５と接続され、Ｓ１インタフェースを通して情報が通信される。ＨｅＮＢＧＷ２０５は、一つまたは複数のＭＭＥ部２０４と接続され、Ｓ１インタフェースを通して情報が通信される。
【００７０】
ＭＭＥ部２０４およびＨｅＮＢＧＷ２０５は、上位装置、具体的には上位ノードであり、基地局であるｅＮＢ２０７およびＨｏｍｅ−ｅＮＢ２０６と、移動端末（ＵＥ）２０２との接続を制御する。ＭＭＥ部２０４は、コアネットワークであるＥＰＣを構成する。基地局２０３およびＨｅＮＢＧＷ２０５は、Ｅ−ＵＴＲＡＮ２０１を構成する。
【００７１】
さらに３ＧＰＰでは、以下のような構成が検討されている。Ｈｏｍｅ−ｅＮＢ２０６間のＸ２インタフェースはサポートされる。すなわち、Ｈｏｍｅ−ｅＮＢ２０６間は、Ｘ２インタフェースにより接続され、Ｈｏｍｅ−ｅＮＢ２０６間で制御情報が通信される。ＭＭＥ部２０４からは、ＨｅＮＢＧＷ２０５はＨｏｍｅ−ｅＮＢ２０６として見える。Ｈｏｍｅ−ｅＮＢ２０６からは、ＨｅＮＢＧＷ２０５はＭＭＥ部２０４として見える。
【００７２】
Ｈｏｍｅ−ｅＮＢ２０６が、ＨｅＮＢＧＷ２０５を介してＭＭＥ部２０４に接続される場合および直接ＭＭＥ部２０４に接続される場合のいずれの場合も、Ｈｏｍｅ−ｅＮＢ２０６とＭＭＥ部２０４との間のインタフェースは、Ｓ１インタフェースで同じである。
【００７３】
基地局２０３は、１つのセルを構成してもよいし、複数のセルを構成してもよい。各セルは、移動端末２０２と通信可能な範囲であるカバレッジとして予め定める範囲を有し、カバレッジ内で移動端末２０２と無線通信を行う。１つの基地局２０３が複数のセルを構成する場合、１つ１つのセルが、移動端末２０２と通信可能に構成される。
【００７４】
図３は、図２に示す移動端末２０２の構成を示すブロック図である。図３に示す移動端末２０２の送信処理を説明する。まず、プロトコル処理部３０１からの制御データ、およびアプリケーション部３０２からのユーザデータが、送信データバッファ部３０３へ保存される。送信データバッファ部３０３に保存されたデータは、エンコーダー部３０４へ渡され、誤り訂正などのエンコード処理が施される。エンコード処理を施さずに、送信データバッファ部３０３から変調部３０５へ直接出力されるデータが存在してもよい。エンコーダー部３０４でエンコード処理されたデータは、変調部３０５にて変調処理が行われる。変調されたデータは、ベースバンド信号に変換された後、周波数変換部３０６へ出力され、無線送信周波数に変換される。その後、アンテナ３０７から基地局２０３に送信信号が送信される。
【００７５】
また、移動端末２０２の受信処理は、以下のように実行される。基地局２０３からの無線信号がアンテナ３０７により受信される。受信信号は、周波数変換部３０６にて無線受信周波数からベースバンド信号に変換され、復調部３０８において復調処理が行われる。復調後のデータは、デコーダー部３０９へ渡され、誤り訂正などのデコード処理が行われる。デコードされたデータのうち、制御データはプロトコル処理部３０１へ渡され、ユーザデータはアプリケーション部３０２へ渡される。移動端末２０２の一連の処理は、制御部３１０によって制御される。よって制御部３１０は、図３では省略しているが、各部３０１〜３０９と接続している。
【００７６】
図４は、図２に示す基地局２０３の構成を示すブロック図である。図４に示す基地局２０３の送信処理を説明する。ＥＰＣ通信部４０１は、基地局２０３とＥＰＣ（ＭＭＥ部２０４など）、ＨｅＮＢＧＷ２０５などとの間のデータの送受信を行う。他基地局通信部４０２は、他の基地局との間のデータの送受信を行う。ＥＰＣ通信部４０１および他基地局通信部４０２は、それぞれプロトコル処理部４０３と情報の受け渡しを行う。プロトコル処理部４０３からの制御データ、ならびにＥＰＣ通信部４０１および他基地局通信部４０２からのユーザデータおよび制御データは、送信データバッファ部４０４へ保存される。
【００７７】
送信データバッファ部４０４に保存されたデータは、エンコーダー部４０５へ渡され、誤り訂正などのエンコード処理が施される。エンコード処理を施さずに、送信データバッファ部４０４から変調部４０６へ直接出力されるデータが存在してもよい。エンコードされたデータは、変調部４０６にて変調処理が行われる。変調されたデータは、ベースバンド信号に変換された後、周波数変換部４０７へ出力され、無線送信周波数に変換される。その後、アンテナ４０８より一つもしくは複数の移動端末２０２に対して送信信号が送信される。
【００７８】
また、基地局２０３の受信処理は以下のように実行される。一つもしくは複数の移動端末２０２からの無線信号が、アンテナ４０８により受信される。受信信号は、周波数変換部４０７にて無線受信周波数からベースバンド信号に変換され、復調部４０９で復調処理が行われる。復調されたデータは、デコーダー部４１０へ渡され、誤り訂正などのデコード処理が行われる。デコードされたデータのうち、制御データはプロトコル処理部４０３あるいはＥＰＣ通信部４０１、他基地局通信部４０２へ渡され、ユーザデータはＥＰＣ通信部４０１および他基地局通信部４０２へ渡される。基地局２０３の一連の処理は、制御部４１１によって制御される。よって制御部４１１は、図４では省略しているが、各部４０１〜４１０と接続している。
【００７９】
図５は、ＭＭＥの構成を示すブロック図である。図５では、前述の図２に示すＭＭＥ部２０４に含まれるＭＭＥ２０４ａの構成を示す。ＰＤＮ  ＧＷ通信部５０１は、ＭＭＥ２０４ａとＰＤＮ  ＧＷとの間のデータの送受信を行う。基地局通信部５０２は、ＭＭＥ２０４ａと基地局２０３との間のＳ１インタフェースによるデータの送受信を行う。ＰＤＮ  ＧＷから受信したデータがユーザデータであった場合、ユーザデータは、ＰＤＮ  ＧＷ通信部５０１から、ユーザプレイン通信部５０３経由で基地局通信部５０２に渡され、１つあるいは複数の基地局２０３へ送信される。基地局２０３から受信したデータがユーザデータであった場合、ユーザデータは、基地局通信部５０２から、ユーザプレイン通信部５０３経由でＰＤＮ  ＧＷ通信部５０１に渡され、ＰＤＮ  ＧＷへ送信される。
【００８０】
ＰＤＮ  ＧＷから受信したデータが制御データであった場合、制御データは、ＰＤＮ  ＧＷ通信部５０１から制御プレイン制御部５０５へ渡される。基地局２０３から受信したデータが制御データであった場合、制御データは、基地局通信部５０２から制御プレイン制御部５０５へ渡される。
【００８１】
ＨｅＮＢＧＷ通信部５０４は、ＨｅＮＢＧＷ２０５が存在する場合に設けられ、情報種別によって、ＭＭＥ２０４ａとＨｅＮＢＧＷ２０５との間のインタフェース（ＩＦ）によるデータの送受信を行う。ＨｅＮＢＧＷ通信部５０４から受信した制御データは、ＨｅＮＢＧＷ通信部５０４から制御プレイン制御部５０５へ渡される。制御プレイン制御部５０５での処理の結果は、ＰＤＮ  ＧＷ通信部５０１経由でＰＤＮ  ＧＷへ送信される。また、制御プレイン制御部５０５で処理された結果は、基地局通信部５０２経由でＳ１インタフェースにより１つあるいは複数の基地局２０３へ送信され、またＨｅＮＢＧＷ通信部５０４経由で１つあるいは複数のＨｅＮＢＧＷ２０５へ送信される。
【００８２】
制御プレイン制御部５０５には、ＮＡＳセキュリティ部５０５−１、ＳＡＥベアラコントロール部５０５−２、アイドルステート（Idle State）モビリティ管理部５０５−３などが含まれ、制御プレイン（以下、Ｃ−Ｐｌａｎｅと称する場合もある）に対する処理全般を行う。ＮＡＳセキュリティ部５０５−１は、ＮＡＳ（Non-Access Stratum）メッセージのセキュリティなどを行う。ＳＡＥベアラコントロール部５０５−２は、ＳＡＥ（System Architecture Evolution）のベアラの管理などを行う。アイドルステートモビリティ管理部５０５−３は、待受け状態（アイドルステート（Idle State）；ＬＴＥ−ＩＤＬＥ状態、または、単にアイドルとも称される）のモビリティ管理、待受け状態時のページング信号の生成および制御、傘下の１つあるいは複数の移動端末２０２のトラッキングエリアの追加、削除、更新、検索、トラッキングエリアリスト管理などを行う。
【００８３】
ＭＭＥ２０４ａは、１つまたは複数の基地局２０３に対して、ページング信号の分配を行う。また、ＭＭＥ２０４ａは、待受け状態（Idle State）のモビリティ制御（Mobility control）を行う。ＭＭＥ２０４ａは、移動端末が待ち受け状態のとき、および、アクティブ状態（Active State）のときに、トラッキングエリア（Tracking Area）リストの管理を行う。ＭＭＥ２０４ａは、ＵＥが登録されている（registered）追跡領域（トラッキングエリア：Tracking Area）に属するセルへ、ページングメッセージを送信することで、ページングプロトコルに着手する。ＭＭＥ２０４ａに接続されるＨｏｍｅ−ｅＮＢ２０６のＣＳＧの管理、ＣＳＧ  ＩＤの管理、およびホワイトリストの管理は、アイドルステートモビリティ管理部５０５−３で行われてもよい。
【００８４】
次に通信システムにおけるセルサーチ方法の一例を示す。図６は、ＬＴＥ方式の通信システムにおいて通信端末（ＵＥ）が行うセルサーチから待ち受け動作までの概略を示すフローチャートである。通信端末は、セルサーチを開始すると、ステップＳＴ６０１で、周辺の基地局から送信される第一同期信号（Ｐ−ＳＳ）、および第二同期信号（Ｓ−ＳＳ）を用いて、スロットタイミング、フレームタイミングの同期をとる。
【００８５】
Ｐ−ＳＳとＳ−ＳＳとを合わせて、同期信号（Synchronization Signal：ＳＳ）という。同期信号（ＳＳ）には、セル毎に割り当てられたＰＣＩに１対１に対応するシンクロナイゼーションコードが割り当てられている。ＰＣＩの数は５０４通りが検討されている。この５０４通りのＰＣＩを用いて同期をとるとともに、同期がとれたセルのＰＣＩを検出（特定）する。
【００８６】
次に同期がとれたセルに対して、ステップＳＴ６０２で、基地局からセル毎に送信される参照信号（リファレンスシグナル：ＲＳ）であるセル固有参照信号（Cell-specific Reference Signal：ＣＲＳ）を検出し、ＲＳの受信電力（Reference Signal Received Power：ＲＳＲＰ）の測定を行う。参照信号（ＲＳ）には、ＰＣＩと１対１に対応したコードが用いられている。そのコードで相関をとることによって他セルと分離できる。ステップＳＴ６０１で特定したＰＣＩから、該セルのＲＳ用のコードを導出することによって、ＲＳを検出し、ＲＳの受信電力を測定することが可能となる。
【００８７】
次にステップＳＴ６０３で、ステップＳＴ６０２までで検出された一つ以上のセルの中から、ＲＳの受信品質が最もよいセル、例えば、ＲＳの受信電力が最も高いセル、つまりベストセルを選択する。
【００８８】
次にステップＳＴ６０４で、ベストセルのＰＢＣＨを受信して、報知情報であるＢＣＣＨを得る。ＰＢＣＨ上のＢＣＣＨには、セル構成情報が含まれるＭＩＢ（Master Information Block）がマッピングされる。したがって、ＰＢＣＨを受信してＢＣＣＨを得ることで、ＭＩＢが得られる。ＭＩＢの情報としては、例えば、ＤＬ（ダウンリンク）システム帯域幅（送信帯域幅設定（transmission bandwidth configuration：dl-bandwidth）とも呼ばれる）、送信アンテナ数、ＳＦＮ（System Frame Number）などがある。
【００８９】
次にステップＳＴ６０５で、ＭＩＢのセル構成情報をもとに該セルのＤＬ−ＳＣＨを受信して、報知情報ＢＣＣＨの中のＳＩＢ（System Information Block）１を得る。ＳＩＢ１には、該セルへのアクセスに関する情報、セルセレクションに関する情報、他のＳＩＢ（ＳＩＢｋ；ｋ≧２の整数）のスケジューリング情報が含まれる。また、ＳＩＢ１には、トラッキングエリアコード（Tracking Area Code：ＴＡＣ）が含まれる。
【００９０】
次にステップＳＴ６０６で、通信端末は、ステップＳＴ６０５で受信したＳＩＢ１のＴＡＣと、通信端末が既に保有しているトラッキングエリアリスト内のトラッキングエリア識別子（Tracking Area Identity：ＴＡＩ）のＴＡＣ部分とを比較する。トラッキングエリアリストは、ＴＡＩリスト（TAI list）とも称される。ＴＡＩはトラッキングエリアを識別するための識別情報であり、ＭＣＣ（Mobile Country Code）と、ＭＮＣ（Mobile Network Code）と、ＴＡＣ（Tracking Area Code）とによって構成される。ＭＣＣは国コードである。ＭＮＣはネットワークコードである。ＴＡＣはトラッキングエリアのコード番号である。
【００９１】
通信端末は、ステップＳＴ６０６で比較した結果、ステップＳＴ６０５で受信したＴＡＣがトラッキングエリアリスト内に含まれるＴＡＣと同じならば、該セルで待ち受け動作に入る。比較して、ステップＳＴ６０５で受信したＴＡＣがトラッキングエリアリスト内に含まれなければ、通信端末は、該セルを通して、ＭＭＥなどが含まれるコアネットワーク（Core Network，ＥＰＣ）へ、ＴＡＵ（Tracking Area Update）を行うためにトラッキングエリアの変更を要求する。
【００９２】
コアネットワークを構成する装置（以下「コアネットワーク側装置」という場合がある）は、ＴＡＵ要求信号とともに通信端末から送られてくる該通信端末の識別番号（ＵＥ−ＩＤなど）をもとに、トラッキングエリアリストの更新を行う。コアネットワーク側装置は、通信端末に更新後のトラッキングエリアリストを送信する。通信端末は、受信したトラッキングエリアリストに基づいて、通信端末が保有するＴＡＣリストを書き換える（更新する）。その後、通信端末は、該セルで待ち受け動作に入る。
【００９３】
スマートフォンおよびタブレット型端末装置の普及によって、セルラー系無線通信によるトラフィックが爆発的に増大しており、世界中で無線リソースの不足が懸念されている。これに対応して周波数利用効率を高めるために、小セル化し、空間分離を進めることが検討されている。
【００９４】
従来のセルの構成では、ｅＮＢによって構成されるセルは、比較的広い範囲のカバレッジを有する。従来は、複数のｅＮＢによって構成される複数のセルの比較的広い範囲のカバレッジによって、あるエリアを覆うように、セルが構成されている。
【００９５】
小セル化された場合、ｅＮＢによって構成されるセルは、従来のｅＮＢによって構成されるセルのカバレッジに比べて範囲が狭いカバレッジを有する。したがって、従来と同様に、あるエリアを覆うためには、従来のｅＮＢに比べて、多数の小セル化されたｅＮＢが必要となる。
【００９６】
以下の説明では、従来のｅＮＢによって構成されるセルのように、カバレッジが比較的大きいセルを「マクロセル」といい、マクロセルを構成するｅＮＢを「マクロｅＮＢ」という。また、小セル化されたセルのように、カバレッジが比較的小さいセルを「スモールセル」といい、スモールセルを構成するｅＮＢを「スモールｅＮＢ」という。
【００９７】
マクロｅＮＢは、例えば、非特許文献７に記載される「ワイドエリア基地局（Wide Area Base Station）」であってもよい。
【００９８】
スモールｅＮＢは、例えば、ローパワーノード、ローカルエリアノード、ホットスポットなどであってもよい。また、スモールｅＮＢは、ピコセルを構成するピコｅＮＢ、フェムトセルを構成するフェムトｅＮＢ、ＨｅＮＢ、ＲＲＨ（Remote Radio Head）、ＲＲＵ（Remote Radio Unit）、ＲＲＥ（Remote Radio Equipment）またはＲＮ（Relay Node）であってもよい。また、スモールｅＮＢは、非特許文献７に記載される「ローカルエリア基地局（Local Area Base Station）」または「ホーム基地局（Home Base Station）」であってもよい。
【００９９】
図７は、マクロｅＮＢとスモールｅＮＢとが混在する場合のセルの構成の概念を示す図である。マクロｅＮＢによって構成されるマクロセルは、比較的広い範囲のカバレッジ７０１を有する。スモールｅＮＢによって構成されるスモールセルは、マクロｅＮＢ（マクロセル）のカバレッジ７０１に比べて範囲が小さいカバレッジ７０２を有する。
【０１００】
複数のｅＮＢが混在する場合、あるｅＮＢによって構成されるセルのカバレッジが、他のｅＮＢによって構成されるセルのカバレッジ内に含まれる場合がある。図７に示すセルの構成では、参照符号「７０４」または「７０５」で示されるように、スモールｅＮＢによって構成されるスモールセルのカバレッジ７０２が、マクロｅＮＢによって構成されるマクロセルのカバレッジ７０１内に含まれる場合がある。
【０１０１】
また、参照符号「７０５」で示されるように、複数、例えば２つのスモールセルのカバレッジ７０２が、１つのマクロセルのカバレッジ７０１内に含まれる場合もある。移動端末（ＵＥ）７０３は、例えばスモールセルのカバレッジ７０２内に含まれ、スモールセルを介して通信を行う。
【０１０２】
また図７に示すセルの構成では、参照符号「７０６」で示されるように、マクロｅＮＢによって構成されるマクロセルのカバレッジ７０１と、スモールｅＮＢによって構成されるスモールセルのカバレッジ７０２とが複雑に重複する場合が生じる。
【０１０３】
また、参照符号「７０７」で示されるように、マクロｅＮＢによって構成されるマクロセルのカバレッジ７０１と、スモールｅＮＢによって構成されるスモールセルのカバレッジ７０２とが重複しない場合も生じる。
【０１０４】
さらには、参照符号「７０８」で示されるように、多数のスモールｅＮＢによって構成される多数のスモールセルのカバレッジ７０２が、１つのマクロｅＮＢによって構成される１つのマクロセルのカバレッジ７０１内に構成される場合も生じる。
【０１０５】
基地局は、ＰＵＳＣＨを、同一ＵＥが送信するＳＲＳの前あるいは後ろに配置する。基地局はＵＥに対して、ＰＵＳＣＨの割り当て開始シンボル番号と割り当てシンボル数を含む情報を通知する。該通知は、Ｌ１／Ｌ２シグナリングを用いて通知されてもよいし、ＲＲＣシグナリングを用いて通知されてもよい。
【０１０６】
ところが、ＰＵＳＣＨがスケジューリングされるＵＥ（以下、ＰＵＳＣＨ送信ＵＥと称する場合がある）とＳＲＳを送信するＵＥ（以下、ＳＲＳ送信ＵＥと称する場合がある）が異なる場合におけるＰＵＳＣＨの配置については議論されていない。従って、基地局は、ＰＵＳＣＨ送信ＵＥに対してＰＵＳＣＨのスケジューリングを適切に実行できず、その結果、例えば、ＰＵＳＣＨとＳＲＳが同じ時間および周波数リソースに割り当てられることにより、ＰＵＳＣＨとＳＲＳとが互いに干渉するといった問題が生じる。
【０１０７】
前述の問題に対する解決策を開示する。前述の割り当てを、ＳＲＳ送信ＵＥとＰＵＳＣＨ送信ＵＥが互いに異なる場合に適用する。ＳＲＳ送信ＵＥは複数であってもよい。基地局は、ＰＵＳＣＨ送信ＵＥに対し、該ＵＥ以外の１つあるいは複数のＵＥによりＳＲＳが送信されるシンボル群の前あるいは後ろにＰＵＳＣＨ送信シンボルを割り当ててもよい。
【０１０８】
前述のシンボル群とは、１つあるいは複数のＳＲＳ送信ＵＥが送信するＳＲＳのシンボルの集合であってもよい。前述のシンボル群を構成するシンボルは離散的であってもよい。例えば、１つあるいは複数のＳＲＳ送信ＵＥが送信するＳＲＳのシンボルの間に、ＳＲＳが割り当てられないシンボルが存在してもよい。このことにより、例えば、基地局はＳＲＳのシンボルの割り当てを柔軟に実行可能となる。基地局からＰＵＳＣＨ送信ＵＥに対するＰＵＳＣＨ送信シンボルの割り当てにおいて、シンボル群の前、とは、該シンボル群を構成するシンボルのうち最も早いシンボルより前、であってもよい。シンボル群の後ろ、とは、該シンボル群を構成するシンボルのうち最も遅いシンボルより後ろ、であってもよい。
【０１０９】
他の例として、前述のシンボル群を構成するシンボルは連続であってもよい。該シンボルが連続であってもよいことは、規格で定められてもよいし、基地局が決定してもよい。このことにより、例えば、通信システムにおけるスケジューリングを容易に実行可能となる。
【０１１０】
しかし、ＰＵＳＣＨをＳＲＳシンボルあるいはＳＲＳシンボル群の前あるいは後ろに配置することによって、スロット内でＰＵＳＣＨを配置可能なシンボル数が低下し、その結果、ＰＵＳＣＨの伝送レートが低下するといった問題が生じる。また、他のＵＥ、特に、複数のＵＥが送信するＳＲＳが、自ＵＥがＰＵＳＣＨを送信する周波数リソースに割り当てられることによって、自ＵＥのＰＵＳＣＨを配置可能なシンボル数がさらに低下し、その結果、自ＵＥのＰＵＳＣＨ伝送レートがさらに低下するといった問題が生じる。
【０１１１】
前述の問題に対する解決策を以下に開示する。
【０１１２】
ＵＥにおいて、ＳＲＳの前後両側におけるＰＵＳＣＨ送信を可能とする。該ＳＲＳは、該ＵＥが送信するＳＲＳであってもよいし、他のＵＥが送信するＳＲＳであってもよい。該ＵＥは、該ＳＲＳが送信されるシンボルにおいて、ＰＵＳＣＨの送信を停止してもよいし、ＰＵＳＣＨに付随するＤＭＲＳの送信を停止してもよいし、ＰＵＳＣＨに付随する位相追跡参照信号（Phase Tracking Reference Signal：ＰＴＲＳ）の送信を停止してもよい。以下、特に断りのない限り、ＰＵＳＣＨに付随するＤＭＲＳ、および、ＰＵＳＣＨに付随するＰＴＲＳについて、ＰＵＳＣＨに対する方法を同様に適用してもよい。
【０１１３】
図８は、他ＵＥのＳＲＳの前後両側におけるＰＵＳＣＨ送信を示す図である。図８は、ＵＥ＃１がＰＵＳＣＨを送信し、ＵＥ＃２がＳＲＳを送信する例について示している。図８において、横軸は時間軸、縦軸は周波数軸を表す。
【０１１４】
図８に示す例において、ＵＥ＃２が送信するＳＲＳ  ８０５が、スロット先頭を０シンボル目として９シンボル目に割り当てられている。以下、同様に、スロット先頭を０シンボル目とする。また、該ＳＲＳが占める周波数帯域は、ＵＥ＃１のＰＵＳＣＨ送信に割り当てられた周波数帯域を含むように割り当てられている。また、図８に示す例において、ＵＥ＃１のＰＵＳＣＨに付随するＤＭＲＳ  ８０６が２シンボル目に割り当てられ、該ＰＵＳＣＨに付随するＰＴＲＳ  ８０７は、ＰＵＳＣＨが占める周波数帯域のうち一番低い周波数のサブキャリアに割り当てられている。
【０１１５】
図８に示す例において、ＵＥ＃１は、ＵＥ＃２のＳＲＳが割り当てられる９シンボル目の両側で、ＰＵＳＣＨ  ８１０およびＰＵＳＣＨ  ８１１を送信してもよい。ＵＥ＃１は、９シンボル目において、ＰＵＳＣＨ送信を止めてもよい。
【０１１６】
基地局は、ＰＵＳＣＨ送信ＵＥに対して、予め、該ＵＥが属するセル内のＵＥに割り当てられたＳＲＳ設定を通知するとよい。該通知におけるＳＲＳの設定は、時間軸方向についてはシンボル単位で行い、周波数軸方向については物理リソースブロック（Physical Resource Block：ＰＲＢ）単位で行う。ＰＵＳＣＨ送信ＵＥは、該通知を用いて、他のＵＥがＳＲＳを送信するシンボルにおいてＰＵＳＣＨ送信を停止する。
【０１１７】
前述において、他のＵＥがＳＲＳを送信するシンボルにおいてＰＵＳＣＨ送信を停止する例について示したが、自ＵＥが送信するＳＲＳに対しても前述の方法を適用してもよい。すなわち、ＵＥは、自ＵＥが送信するＳＲＳの前後両側においてＰＵＳＣＨを送信してもよい。ＰＵＳＣＨの伝送レート向上が可能となる。
【０１１８】
前述の方法を適用するにあたり、以下に示す問題が生じる。すなわち、前述の、基地局からＵＥへのシグナリングにおいて、どの時間的動作のＳＲＳに対して適用されるかが明示されていない。特に、実際に送信が行われない可能性のある、セミパーシステントＳＲＳ（Semi-Persistent SRS）および非周期的ＳＲＳ（Aperiodic SRS）に対して前述のシグナリングを適用するかどうかが明らかになっていない。このため、ＰＵＳＣＨ送信ＵＥは、他ＵＥから送信されるセミパーシステントＳＲＳおよび非周期的ＳＲＳを回避してＰＵＳＣＨを送信することができない。その結果、他のＵＥが送信する該セミパーシステントＳＲＳおよび非周期的ＳＲＳと、自ＵＥが送信するＰＵＳＣＨとの間で互いに干渉が生じうる。それにより、基地局におけるサウンディングを正確に実行できない、および、ＰＵＳＣＨの信頼性が低下する、といった問題が生じる。
【０１１９】
さらに、基地局からＵＥに対し、セル内の全てのＵＥのＳＲＳ設定を通知することにより、シグナリング量が増大するといった問題が生じる。
【０１２０】
さらに、他ＵＥのＳＲＳ送信の間、ＰＵＳＣＨ送信ＵＥが該ＰＵＳＣＨ送信を停止し、他ＵＥからのＳＲＳ送信後に該ＰＵＳＣＨ送信を再開することにより、再開後のＰＵＳＣＨ送信において位相および／あるいは振幅のドリフトが発生する恐れがある。また、他ＵＥからのＳＲＳ送信に伴い、ＰＵＳＣＨに付随するＰＴＲＳ送信を停止するため、例えば、ＰＴＲＳが複数シンボル毎に１シンボルの割合で送信される場合において、他ＵＥのＳＲＳ送信シンボルの周辺のシンボルにおけるＰＵＳＣＨの位相ノイズの補償が不可能となる。その結果、基地局におけるＰＵＳＣＨの復調特性が劣化するといった問題が生じる。
【０１２１】
前述の問題に対する解決策を以下に開示する。
【０１２２】
基地局は、配下のＵＥに設定されているＳＲＳ送信リソース候補を、予めＵＥに通知する。基地局は、該通知をＵＥ個別に通知してもよい。該通知は、準静的に行われてもよい。例えば、該通知にはＲＲＣシグナリングが用いられてもよいし、ＭＡＣシグナリングが用いられてもよい。ＳＲＳ送信リソースの候補には、例えば、非周期的ＳＲＳとして設定されている全てのリソース設定が含まれてもよいし、セミパーシステントＳＲＳとして設定されているリソース設定が含まれてもよいし、周期的ＳＲＳのリソース設定が含まれてもよい。ＵＥは、該通知を用いて、他のＵＥのＳＲＳ送信リソース候補においてＰＵＳＣＨ送信を停止してもよい。例えば、ＵＥは、非周期的ＳＲＳとして設定されている全てのリソースにおいて、毎スロット、ＰＵＳＣＨ送信を停止してもよい。他の例として、ＵＥは、セミパーシステントＳＲＳの送信のアクティベート有無にかかわらず、該ＳＲＳに対して設定されたリソースにおいてＰＵＳＣＨの送信を停止してもよい。このことにより、例えば、他のＵＥの非周期的ＳＲＳ、セミパーシステントＳＲＳと自ＵＥのＰＵＳＣＨ送信との間の干渉を防止可能となる。
【０１２３】
基地局からＵＥに対して準静的に通知するＳＲＳ送信リソース候補に関する情報として、以下の（１）〜（１２）を開示する。
【０１２４】
（１）ＳＲＳ設定を識別する情報。
【０１２５】
（２）ＳＲＳ設定の種別。
【０１２６】
（３）ＳＲＳ送信シンボルに関する情報。
【０１２７】
（４）ＳＲＳ送信周波数に関する情報。
【０１２８】
（５）ＳＲＳのシーケンスに関する情報。
【０１２９】
（６）ＳＲＳのコーム（Comb）設定に関する情報。
【０１３０】
（７）ＳＲＳのアンテナポート。
【０１３１】
（８）ＳＲＳのヌメロロジ。
【０１３２】
（９）ＳＲＳの送信周期、オフセットに関する情報。
【０１３３】
（１０）ＰＵＳＣＨ送信可否に関する情報。該情報の例として、以下の（１０−１）〜（１０−６）を開示する。
【０１３４】
（１０−１）スロット内におけるＳＲＳ送信シンボル群のうち最早シンボルより前における、ＰＵＳＣＨ送信可否に関する情報。
【０１３５】
（１０−２）スロット内におけるＳＲＳ送信シンボル群のうち最遅シンボルより後における、ＰＵＳＣＨ送信可否に関する情報。
【０１３６】
（１０−３）スロット内におけるＳＲＳ送信シンボル群の最早シンボルから最遅シンボルまでの範囲における、ＰＵＳＣＨ送信可否に関する情報。
【０１３７】
（１０−４）設定されたＳＲＳ送信シンボルにおけるＰＵＳＣＨ送信可否に関する情報。
【０１３８】
（１０−５）設定されたＳＲＳ送信シンボル内の設定されたＳＲＳ送信周波数リソース内におけるＰＵＳＣＨ送信可否に関する情報。
【０１３９】
（１０−６）前述の（１０−１）〜（１０−５）の組合せ。
【０１４０】
（１１）ＳＲＳ送信において用いるビームに関する情報。
【０１４１】
（１２）前述の（１）〜（１１）の組合せ。
【０１４２】
前述の（１）に関する情報は、例えば、ＵＥに関する情報（例、ＵＥの識別子）を含んでもよいし、非周期的ＳＲＳのリソース設定番号に関する情報を含んでもよい。前述の（１）に関する情報は、１つのＵＥの中で一意に与えられてもよいし、複数のＵＥ、例えば、セル内の全てのＵＥ、の中で一意に与えられてもよい。
【０１４３】
前述の（１）により、例えば、基地局はＵＥに対し、セル内のＵＥのＳＲＳ設定の変更に関する情報を少ない情報量で通知可能となる。このことにより、例えば、基地局からＵＥに対するシグナリング量を削減可能となる。
【０１４４】
前述の（２）は、例えば、該ＳＲＳが周期的ＳＲＳか、セミパーシステントＳＲＳか、あるいは非周期的ＳＲＳかを示す情報であってもよい。他の例として、該ＳＲＳのユースケースを示す情報であってもよい。前述の両方を組み合わせた情報であってもよい。このことにより、例えば、通信システムにおいて、該ＳＲＳが周期的ＳＲＳか、セミパーシステントＳＲＳか、あるいは非周期的ＳＲＳかに応じて、あるいは、該ＳＲＳのユースケースに応じて、ＰＵＳＣＨの送信可否を柔軟に設定可能となる。
【０１４５】
前述の（３）は、例えば、ＳＲＳ送信開始シンボル、ＳＲＳ送信シンボル数、ＳＲＳ送信終了シンボルのいずれかであってもよいし、前述のうち複数を組み合わせた情報であってもよい。
【０１４６】
前述の（３）における他の例として、ＳＲＳ送信シンボル群に関する情報であってもよい。例えば、ＳＲＳ送信シンボル群のうち最早シンボルから最遅シンボルまでの範囲を示す情報、例えば、該最早シンボル、該最遅シンボル、該最早シンボルから該最遅シンボルまでのシンボル数のいずれかであってもよいし、前述の複数を組み合わせた情報であってもよい。他の例として、ビットマップを用いてもよい。該ビットマップにおいて、スロット内の各シンボルと該ビットマップを構成するビットの対応付けがなされてもよい。このことにより、例えば、複数のＳＲＳ設定に関する情報を少ない情報量で通知可能となる。前述の複数のＳＲＳ設定は、例えば、１つのＵＥから送信されるＳＲＳであってもよいし、複数のＵＥから送信されるＳＲＳであってもよい。
【０１４７】
前述の（４）は、例えば、送信ＳＲＳのＰＲＢ番号の範囲を示す情報であってもよい。該情報には、例えば、ＵＥが使用するセルのキャリア内における、送信ＳＲＳの先頭ＰＲＢ番号、末尾ＰＲＢ番号、先頭から末尾までのＰＲＢ数が含まれてもよい。他の例として、該情報には、ＰＵＳＣＨ送信ＵＥにおけるＢＷＰ（Bandwidth Part）内のＰＲＢ番号の範囲を示す情報、例えば、該ＢＷＰ内の送信ＳＲＳの先頭ＰＲＢ番号、末尾ＰＲＢ番号、先頭から末尾までのＰＲＢ数が含まれてもよい。このことにより、例えば、ＰＵＳＣＨ送信ＵＥにおける処理量を削減可能となる。
【０１４８】
前述の（４）において、ＳＲＳの周波数ホッピングに関する情報が含まれてもよい。このことにより、例えば、ＰＵＳＣＨ送信ＵＥは、ＳＲＳの周波数ホッピングがある場合においても、ＳＲＳの時間および／あるいは周波数リソースを回避してＰＵＳＣＨを送信可能となる。その結果、例えば、ＰＵＳＣＨとＳＲＳの間の干渉を低減可能となる。
【０１４９】
前述の（４）において、前述のＰＲＢ番号の範囲を示す情報は、ＳＲＳの設定分解能となるＰＲＢ数、例えば、４ＰＲＢ単位の情報であってもよい。このことにより、例えば、基地局からＵＥに対する該通知のシグナリング量を削減可能となる。
【０１５０】
前述の（５）は、例えば、巡回シフト（Cyclic Shift：ＣＳ）に関する情報であってもよいし、ルートシーケンスに関する情報であってもよい。ＣＳに関する情報としては、例えば、該ＳＲＳのＣＳそのものであってもよいし、ＣＳホッピングに関する情報を含んでもよい。このことにより、例えば、基地局はＳＲＳ送信ＵＥに対するＳＲＳ送信設定内容と同じ内容のシグナリングを、ＰＵＳＣＨを送るＵＥに対して通知可能となる。その結果、例えば、基地局における処理量を削減可能となる。
【０１５１】
前述の（６）には、例えば、該ＳＲＳのコームの間隔に関する情報が含まれてもよいし、該ＳＲＳのコームのオフセット、すなわち、該ＳＲＳが割り当てられるＲＥ（Resource Element）のオフセットに関する情報が含まれてもよい。ＵＥは、該情報を用いて、該ＳＲＳと同じシンボルにおいて、該ＳＲＳに割り当てられるＲＥを回避してＰＵＳＣＨを割り当ててもよい。このことにより、例えば、ＰＵＳＣＨの伝送容量を向上可能となる。
【０１５２】
前述の（７）には、例えば、該ＳＲＳの送信対象のアンテナポート番号に関する情報が含まれてもよい。ＵＥは、例えば、該アンテナポート以外のアンテナポートにおいて、該ＳＲＳと同じ時間および／あるいは周波数リソースにおいてＰＵＳＣＨを送信してもよい。このことにより、例えば、ＰＵＳＣＨの伝送容量を向上可能となる。
【０１５３】
前述の（８）には、例えば、該ＳＲＳのヌメロロジに関する情報が含まれてもよい。ＰＵＳＣＨ送信ＵＥは、該ヌメロロジに関する情報を用いて、自ＵＥのどのシンボル番号にて該ＳＲＳが送信されるかを導出してもよい。このことにより、例えば、ＰＵＳＣＨと他ＵＥのＳＲＳのヌメロロジが異なる場合においても、ＰＵＳＣＨ送信ＵＥはＳＲＳを回避してＰＵＳＣＨを送信可能となる。
【０１５４】
前述の（９）は、例えば、ＳＲＳ送信周期とオフセットを組み合わせた情報であってもよい。該情報は、例えば、基地局からＳＲＳ送信ＵＥに対する通知に含まれる情報と同様であってもよい。このことにより、例えば、基地局はＳＲＳ送信ＵＥに対するＳＲＳ送信設定内容と同じ内容のシグナリングを、ＰＵＳＣＨを送るＵＥに対して通知可能となる。その結果、例えば、基地局における処理量を削減可能となる。
【０１５５】
前述の（１０−１）において、例えば、ＵＥは、前述の（１０−１）が否であることを用いて、スロット内におけるＳＲＳ送信シンボル群のうち最早シンボルより前のシンボルにおいて、ＰＵＳＣＨ送信を停止してもよい。前述の停止の動作は、例えば、該最早シンボルより前のシンボルにおいてＰＵＳＣＨに付随するＤＭＲＳおよび／あるいはＰＴＲＳが割り当てられていない場合において、行われてもよい。前述の場合とは、例えば、ＳＲＳ送信ＵＥにおけるサブキャリア間隔がＰＵＳＣＨ送信ＵＥにおけるサブキャリア間隔より大きく、ＳＲＳに割り当てられるシンボルが、ＰＵＳＣＨ送信ＵＥのスロットにおいて先頭付近に相当する場合であってもよい。このことにより、例えば、ＰＵＳＣＨ送信ＵＥは、ＰＵＳＣＨにおいて、基地局における復調特性を確保できないシンボルの送信を停止可能となり、その結果、ＰＵＳＣＨ送信ＵＥの消費電力を削減可能となる。
【０１５６】
前述の（１０−２）において、例えば、ＵＥは、前述の（１０−２）が否であることを用いて、ＳＲＳ送信シンボル群のうち最遅シンボルより後のシンボルにおいて、ＰＵＳＣＨ送信を停止してもよい。前述の停止の動作は、例えば、該最遅シンボルより前のシンボルにおいてＰＵＳＣＨに付随するＤＭＲＳおよび／あるいはＰＴＲＳが割り当てられていない場合において、行われてもよい。このことにより、例えば、ＰＵＳＣＨ送信ＵＥは、ＰＵＳＣＨにおいて、基地局における復調特性を確保できないシンボルの送信を停止可能となり、その結果、ＰＵＳＣＨ送信ＵＥの消費電力を削減可能となる。
【０１５７】
前述の（１０−３）において、例えば、ＵＥは、前述の（１０−３）の情報が否を示すことを用いて、スロット内におけるＳＲＳ送信シンボル群のうち最早シンボルから最遅シンボルまでの範囲において、ＰＵＳＣＨ送信を停止してもよい。このことにより、例えば、ＵＥは、複数ＳＲＳ設定におけるＳＲＳシンボルからの回避における処理を容易に実行可能となる。また、ＵＥは、複数ＳＲＳ設定によるＰＵＳＣＨ送信停止および再開の回数削減が可能となり、その結果、ＵＥにおけるＰＵＳＣＨ送信制御における複雑性を回避可能となる。
【０１５８】
前述の（１０−３）における他の例として、ＵＥは、前述の（１０−３）の情報が可を示すことを用いて、スロット内におけるＳＲＳ送信シンボル群のうち最早シンボルから最遅シンボルまでの範囲において、ＰＵＳＣＨ送信を行ってもよい。該ＰＵＳＣＨ送信は、例えば、実際にＰＵＳＣＨが送信されるシンボルのみを回避して行ってもよい。このことにより、例えば、ＵＥからのＰＵＳＣＨ送信レートを向上可能となる。
【０１５９】
前述の（１０−４）において、例えば、ＵＥは、前述の（１０−４）の情報が否を示すことを用いて、設定されたＳＲＳ送信シンボルを回避してＰＵＳＣＨ送信を行ってもよい。このことにより、例えば、ＵＥにおけるＳＲＳ送信リソースからの回避を容易に実行可能となる。
【０１６０】
前述の（１０−４）における他の例として、ＵＥは、前述の（１０−４）の情報が可を示すことを用いて、設定されたＳＲＳ送信シンボルにおいてＰＵＳＣＨ送信を行ってもよい。該ＰＵＳＣＨ送信は、例えば、該ＳＲＳが送信される周波数リソースと異なるサブキャリアにおいて行われてもよい。このことにより、例えば、ＵＥからのＰＵＳＣＨレートを向上可能となる。
【０１６１】
前述の（１０−５）において、例えば、ＵＥは、前述の（１０−５）の情報が否を示すことを用いて、ＳＲＳとして設定されたシンボルにおける、該ＳＲＳの開始ＰＲＢから終了ＰＲＢまでの範囲を回避してＰＵＳＣＨ送信を行ってもよい。このことにより、例えば、ＵＥにおけるＳＲＳ送信用のシンボルおよび／あるいはサブキャリアからの回避を容易に実行可能となる。
【０１６２】
前述の（１０−５）における他の例として、ＵＥは、前述の（１０−５）の情報が可を示すことを用いて、ＳＲＳとして設定されたシンボルにおける、該ＳＲＳの開始ＰＲＢから終了ＰＲＢまでの範囲においてＰＵＳＣＨ送信を行ってもよい。該ＰＵＳＣＨ送信は、例えば、該ＳＲＳのコームとして割り当てられているサブキャリアを回避して行われてもよい。このことにより、例えば、ＵＥからのＰＵＳＣＨレートを向上可能となる。
【０１６３】
前述の（１１）において、例えば、ＵＥは、該ＳＲＳが用いるビームが自ＵＥが用いるビームと同じである場合のみ、ＰＵＳＣＨ送信を停止するとしてもよい。このことにより、例えば、ＰＵＳＣＨとＳＲＳとの間の干渉を回避可能としつつ、ＰＵＳＣＨ送信レートを確保可能となる。
【０１６４】
ＵＥは、基地局からの通知に含まれるＳＲＳ送信シンボルにおいて、ＰＵＳＣＨ送信を停止してもよいし、ＰＵＳＣＨ送信に付随するＤＭＲＳ送信を停止してもよいし、ＰＵＳＣＨ送信に付随するＰＴＲＳ送信を停止してもよい。ＳＲＳ送信シンボルは、ＳＲＳ送信候補のシンボルであってもよい。このことにより、例えば、セミパーシステントＳＲＳ、非周期的ＳＲＳを含めた、ＳＲＳとの時間および周波数リソースにおける衝突を回避可能となる。前述において、ＵＥが送信を停止する信号および／あるいはチャネルについて、規格で定められてもよいし、基地局が決定してＵＥに通知あるいは報知してもよい。該通知において、例えば、ＲＲＣシグナリングが用いられてもよい。
【０１６５】
前述におけるＰＵＳＣＨの送信の停止は、例えば、スロット内におけるＳＲＳ送信シンボル群のうち最早シンボルから最遅シンボルまでの範囲において行われてもよい。このことにより、例えば、ＵＥは、複数ＳＲＳ設定におけるＳＲＳシンボルからの回避における処理を容易に実行可能となる。また、ＵＥは、複数ＳＲＳ設定によるＰＵＳＣＨ送信停止および再開の回数削減が可能となり、その結果、ＵＥにおけるＰＵＳＣＨ送信制御における複雑性を回避可能となる。
【０１６６】
前述において、ＳＲＳ送信シンボル群のうち最早シンボルから最遅シンボルまでの範囲は、例えば、スロット毎に導出されてもよい。例えば、複数スロット周期で送信されるＳＲＳの送信シンボルが最遅シンボルである場合において、該周期に該当するスロットにおいてのみ、ＳＲＳ送信シンボル群の最遅シンボルを、該複数スロット周期で送信されるＳＲＳの送信シンボルとし、それ以外のスロットにおいて、ＳＲＳ送信シンボル群の最遅シンボルを、該複数スロット周期で送信されるＳＲＳを除いた中で最も遅いシンボルとしてもよい。このことにより、例えば、不要なＰＵＳＣＨ送信停止を防止可能となり、その結果、ＰＵＳＣＨ送信レートを向上可能となる。
【０１６７】
図９は、ＵＥにおいて、ＰＵＳＣＨ送信の停止が、スロット内におけるＳＲＳ送信シンボル群のうち最早シンボルから最遅シンボルまでの範囲において行われる例について示した図である。図９は、ＵＥ＃１がＰＵＳＣＨ  ９０１およびＰＵＳＣＨ  ９０２を送信し、ＵＥ＃２が２スロット周期で、奇数スロット番号において周期的ＳＲＳ  ９０５を送信し、ＵＥ＃３には非周期的ＳＲＳ（図中、Ａ−ＳＲＳと記載）設定＃１  ９０６および＃２  ９０７が設定されている例について示す。
【０１６８】
図９の例では、ＵＥ＃２の周期的ＳＲＳは、１３シンボル目に送信され、かつ、周波数方向には４ＲＥ毎に１ＲＥの割合で送信される。また、図９の例では、ＵＥ＃３に設定されている非周期的ＳＲＳ設定＃１は、非周期的ＳＲＳが、時間軸上では１０および１１シンボル目に送信され、かつ、周波数軸上では２ＲＥ毎に１ＲＥの割合で送信されるように、設定されている。また、図９の例では、ＵＥ＃３に設定されている非周期的ＳＲＳ設定＃２は、非周期的ＳＲＳが、時間軸上では８〜１１シンボル目に送信され、かつ、周波数軸上では２ＲＥ毎に１ＲＥの割合で送信されるように、設定されている。図９に示す例において、ＵＥ＃３に設定されている非周期的ＳＲＳ＃１はスロット番号２において非周期的ＳＲＳ  ９０８として送信され、また、非周期的ＳＲＳ＃２はスロット番号１において非周期的ＳＲＳ  ９０９として送信される。
【０１６９】
図９において、スロット番号０における最早のＳＲＳ送信シンボルは８シンボル目であり、最遅のＳＲＳ送信シンボルは１１シンボル目である。最早のＳＲＳ送信シンボルおよび／あるいは最遅のＳＲＳ送信シンボルは、実際に送信されないＳＲＳ、例えば、非周期的ＳＲＳとして設定され、実際は送信がなされないＳＲＳであってもよい。図９に示すスロット番号０において、ＵＥ＃１はＰＵＳＣＨを０〜７シンボル目および１２、１３シンボル目に送信可能となる。ＵＥは、基地局からのＳＲＳ設定に関する通知を用いて、該シンボルにおいてＰＵＳＣＨ  ９０１を送信する。
【０１７０】
図９に示すスロット番号１において、最早のＳＲＳ送信シンボルは８シンボル目であり、最遅のＳＲＳ送信シンボルは１３シンボル目である。ＵＥ＃１はＰＵＳＣＨを０〜７シンボル目に送信可能となる。ＵＥは、基地局からのＳＲＳ設定に関する通知を用いて、該シンボルにおいてＰＵＳＣＨ  ９０２を送信する。
【０１７１】
図９に示すスロット番号２およびスロット番号３は、それぞれスロット番号０およびスロット番号１と同様であるため、説明を省略する。
【０１７２】
前述におけるＰＵＳＣＨの送信の停止の他の例として、基地局からの通知に含まれるＳＲＳ送信シンボルにおいてのみ、ＰＵＳＣＨ送信が停止されてもよい。このことにより、例えば、ＵＥからのＰＵＳＣＨ送信レートを向上可能となる。
【０１７３】
図１０は、ＵＥにおいて、ＰＵＳＣＨ送信の停止が、該ＵＥに通知されたＳＲＳ送信シンボルにおいてのみ行われる例について示した図である。図１０において、各ＵＥのＳＲＳ設定は図９と同様である。図１０において、図９と共通する信号については同じ図番号を付し、共通する説明を省略する。
【０１７４】
図１０において、スロット番号０におけるＳＲＳ送信シンボルは８〜１１シンボル目に設定されている。前述においてＳＲＳ送信シンボルは、実際に送信されないＳＲＳ、例えば、非周期的ＳＲＳとして設定され、実際は送信がなされないＳＲＳのシンボルであってもよいし、デアクティベートされているセミパーシステントＳＲＳに設定されているシンボルであってもよい。図１０に示すスロット番号０において、ＵＥ＃１はＰＵＳＣＨを０〜７シンボル目および１２、１３シンボル目に送信可能となる。ＵＥは、基地局からのＳＲＳ設定に関する通知を用いて、該シンボルにおいてＰＵＳＣＨ  １００１を送信する。
【０１７５】
図１０に示すスロット番号１におけるＳＲＳ送信シンボルは８〜１１および１３シンボル目に設定されている。ＵＥ＃１はＰＵＳＣＨを０〜７、１２シンボル目に送信可能となる。ＵＥは、基地局からのＳＲＳ設定に関する通知を用いて、該シンボルにおいてＰＵＳＣＨ  １００２を送信する。
【０１７６】
図１０に示すスロット番号２およびスロット番号３は、それぞれスロット番号０およびスロット番号１と同様であるため、説明を省略する。
【０１７７】
基地局からの通知に含まれるＳＲＳ送信シンボルにおけるＵＥの動作の他の例として、ＵＥは、該シンボルにおいてＰＵＳＣＨ送信を行ってもよいし、ＰＵＳＣＨ送信に付随するＤＭＲＳ送信を行ってもよいし、ＰＵＳＣＨ送信に付随するＰＴＲＳ送信を行ってもよい。前述の、ＵＥによるＰＵＳＣＨ、ＤＭＲＳ、および／あるいはＰＴＲＳの送信は、例えば、基地局から該ＵＥに通知されたＳＲＳ設定に含まれる該ＳＲＳのＰＲＢ範囲外において行われてもよい。このことにより、ＵＥにおけるＰＵＳＣＨ送信レートを向上可能となる。前述において、ＵＥが送信を行う信号および／あるいはチャネルについて、規格で定められてもよいし、基地局が決定してＵＥに通知あるいは報知してもよい。該通知において、例えば、ＲＲＣシグナリングが用いられてもよい。
【０１７８】
図１１は、ＵＥに通知されたＳＲＳ送信シンボルにおいて、該ＳＲＳのＰＲＢ範囲外においてＰＵＳＣＨ送信が行われる例について示した図である。図１１において、各ＵＥのＳＲＳ設定は図９と同様である。図１１において、図９と共通する信号については同じ図番号を付し、共通する説明を省略する。
【０１７９】
図１１に示すスロット番号０において、ＵＥ＃１は、０〜７シンボル目および１２、１３シンボル目においてはＰＵＳＣＨ送信帯域全体にわたって、ＰＵＳＣＨを送信可能となる。また、該スロット番号０の８〜１１シンボル目においては、ＵＥ＃１は、ＵＥ＃３の非周期的ＳＲＳ設定＃１  ９０６および＃２  ９０７に含まれない範囲において、ＰＵＳＣＨを送信可能となる。ＵＥは、基地局からのＳＲＳ設定に関する通知を用いて、前述の時間および周波数リソースにおいて、ＰＵＳＣＨ  １１０１を送信する。
【０１８０】
図１１に示すスロット番号１において、ＵＥ＃１は、０〜７シンボル目および１２シンボル目においてはＰＵＳＣＨ送信帯域全体にわたって、ＰＵＳＣＨを送信可能となる。また、該スロット番号１の８〜１１シンボル目においては、ＵＥ＃１は、ＵＥ＃３の非周期的ＳＲＳ設定＃１  ９０６および＃２  ９０７に含まれない範囲において、ＰＵＳＣＨを送信可能となる。ＵＥは、基地局からのＳＲＳ設定に関する通知を用いて、前述の時間および周波数リソースにおいて、ＰＵＳＣＨ  １１０２を送信する。
【０１８１】
図１１に示すスロット番号２およびスロット番号３は、それぞれスロット番号０およびスロット番号１と同様であるため、説明を省略する。
【０１８２】
ＵＥが、基地局からの通知に含まれるＳＲＳ送信シンボルにおいてＰＵＳＣＨ送信を行う他の例として、ＵＥは、基地局から該ＵＥに通知されたＳＲＳ設定に含まれる該ＳＲＳのＰＲＢ範囲内において、ＰＵＳＣＨ送信を行ってもよい。前述のＰＵＳＣＨ送信は、例えば、ＳＲＳが実際に割り当てられるＲＥ、すなわち、コーム設定を回避して行われてもよい。このことにより、例えば、ＵＥにおけるＰＵＳＣＨ送信レートを向上可能となる。
【０１８３】
ＵＥは、基地局からの通知に含まれるＳＲＳ送信シンボルにおいて、該ＳＲＳのＰＲＢ範囲外およびＰＲＢ範囲内の両方において、ＰＵＳＣＨ送信を行ってもよい。このことにより、例えば、ＵＥにおけるＰＵＳＣＨ送信レートをさらに向上可能となる。
【０１８４】
図１２は、ＵＥに通知されたＳＲＳ送信シンボルにおいて、該ＳＲＳのＰＲＢ範囲外およびＰＲＢ範囲内においてＰＵＳＣＨ送信が行われる例について示した図である。図１２において、各ＵＥのＳＲＳ設定は図９と同様である。図１２において、図９と共通する信号については同じ図番号を付し、共通する説明を省略する。
【０１８５】
図１２に示すスロット番号０において、ＵＥ＃１は、０〜７シンボル目および１２、１３シンボル目においてはＰＵＳＣＨ送信帯域全体にわたって、ＰＵＳＣＨを送信可能となる。また、該スロット番号０の８〜１１シンボル目においては、ＵＥ＃１は、ＵＥ＃３の非周期的ＳＲＳ設定＃１  ９０６および＃２  ９０７に含まれない範囲、および該ＳＲＳが割り当てられないＲＥにおいて、ＰＵＳＣＨを送信可能となる。ＵＥは、基地局からのＳＲＳ設定に関する通知を用いて、前述の時間および周波数リソースにおいて、ＰＵＳＣＨ  １２０１を送信する。
【０１８６】
図１２に示すスロット番号１において、ＵＥ＃１は、０〜７シンボル目および１２シンボル目においてはＰＵＳＣＨ送信帯域全体にわたって、ＰＵＳＣＨを送信可能となる。また、該スロット番号１の８〜１１シンボル目においては、ＵＥ＃１は、ＵＥ＃３の非周期的ＳＲＳ設定＃１  ９０６および＃２  ９０７に含まれない範囲および該ＳＲＳが割り当てられないＲＥにおいて、ＰＵＳＣＨを送信可能となる。また、該スロット番号１の１３シンボル目においては、ＵＥ＃１は、ＵＥ＃２の周期的ＳＲＳ設定９０５が割り当てられないＲＥにおいて、ＰＵＳＣＨを送信可能となる。ＵＥは、基地局からのＳＲＳ設定に関する通知を用いて、前述の時間および周波数リソースにおいて、ＰＵＳＣＨ  １２０２を送信する。
【０１８７】
図１２に示すスロット番号２およびスロット番号３は、それぞれスロット番号０およびスロット番号１と同様であるため、説明を省略する。
【０１８８】
基地局はＵＥに対し、他のＵＥのＳＲＳ設定の変更に関する情報を通知してもよい。ＵＥは、該通知を用いて、ＰＵＳＣＨ送信を行う時間および／あるいは周波数リソースを変更してもよい。このことにより、例えば、他ＵＥのＳＲＳ設定変更後における、ＰＵＳＣＨと他ＵＥのＳＲＳの間の干渉を抑制可能となる。
【０１８９】
基地局はＵＥに対し、他のＵＥのＳＲＳ設定の変更の発生毎に該通知を行ってもよい。このことにより、例えば、他ＵＥのＳＲＳ設定変更を、ＰＵＳＣＨ送信に即座に反映可能となるため、ＰＵＳＣＨと他ＵＥのＳＲＳの間の干渉を抑制可能となる。前述において、基地局は、設定変更が行われた差分の情報のみを該ＵＥに通知するとしてもよい。このことにより、例えば、基地局からＵＥに対するシグナリング量を削減可能となる。
【０１９０】
基地局はＵＥに対し、予め定める期間毎に該通知を行ってもよい。このことにより、例えば、他ＵＥのＳＲＳ設定が頻繁に変更となる場合において、基地局からＵＥに対するシグナリング量を削減可能となる。基地局はＵＥに対し、該通知を行わない場合があってもよい。例えば、該期間における他ＵＥのＳＲＳ設定の変更がない場合において、基地局はＵＥに対して該通知を行わないとしてもよい。このことにより、例えば、基地局からＵＥに対するシグナリング量を削減可能となる。前述において、基地局は、設定変更が行われた差分の情報のみを該ＵＥに通知するとしてもよい。このことにより、例えば、基地局からＵＥに対するシグナリング量を削減可能となる。
【０１９１】
他の解決策を開示する。基地局は、配下のＵＥに対し、配下のＵＥのＳＲＳ設定に関する情報を報知してもよい。このことにより、例えば、基地局からの該情報に関するシグナリング量を削減可能となる。該報知は、例えば、システム情報（System Information：ＳＩ）のうちアザーＳＩ（Other SI）（非特許文献１６(TS38.300 v15.0.0)参照）を用いて行われてもよいし、リメイニングミニマムＳＩ（Remaining Minimum SI：ＲＭＳＩ）（非特許文献１６（TS38.300 v15.0.0）参照）を用いて行われてもよい。専用のＳＩＢが設けられてもよい。該報知に含まれる内容は、前述の解決策における、基地局からＵＥに対して通知するＳＲＳ送信リソース候補に関する情報として開示した（１）〜（１１）と同様としてもよい。
【０１９２】
他の解決策を開示する。基地局は、ＰＵＳＣＨ送信ＵＥに対し、他ＵＥのＳＲＳ送信に関する情報を動的に通知してもよい。前述の通知は、例えば、スロット毎の通知でもよい。該通知には、例えば、Ｌ１／Ｌ２シグナリングが用いられてもよい。このことにより、例えば、該ＵＥに対する迅速な通知が可能となる。加えて、例えば、実際にＳＲＳが送信されるシンボルのみ、ＰＵＳＣＨ送信を停止することが可能となり、その結果、ＰＵＳＣＨ送信レートを向上可能となる。
【０１９３】
他の例として、該通知には、グループ共通シグナリング（Group Common Signalling）（非特許文献１４（TS38.213 v15.0.0）参照）のＤＣＩが用いられてもよい。このことにより、例えば、複数のＵＥに対して他ＵＥのＳＲＳ送信に関する情報を同時に通知可能となる。
【０１９４】
グループ共通シグナリングは、例えば、ビーム内の一部または全てのＵＥに対するグループ共通シグナリングであってもよい。このことにより、例えば、同じビームを用いて通信するＵＥに対して一括で該情報を通知可能となり、その結果、シグナリング量を削減可能となる。
【０１９５】
ＵＥは、前述のグループ共通シグナリングを、毎スロット受信可能としてもよい。このことにより、例えば、ＵＥは他ＵＥのＳＲＳ送信を毎スロット回避可能となる。
【０１９６】
他ＵＥのＳＲＳ送信に関する情報が、ＰＵＳＣＨ送信ＵＥに対する上りグラントのＤＣＩに含まれてもよいし、該上りグラントと異なるＤＣＩであってもよい。
【０１９７】
他の例として、該情報が、該上りグラントと異なるＰＤＣＣＨに含まれて通知されてもよい。例えば、ＰＵＳＣＨ送信ＵＥに対する上りグラントが通知された後に、他ＵＥのＳＲＳ送信が必要になった場合において、該情報が、該上りグラントと異なるＰＤＣＣＨに含まれて通知されてもよい。このことにより、例えば、ＰＵＳＣＨ送信ＵＥは、該上りグラントの受信からＰＵＳＣＨ送信までの待ち時間が大きい場合においても、他ＵＥのＳＲＳ送信との間の時間および周波数リソースの衝突を回避可能となる。
【０１９８】
他の例として、該情報が、プリエンプションが行われることを示す通知、例えば、プリエンプションインディケーションを用いて通知されてもよい。基地局からＰＵＳＣＨ送信ＵＥに対する迅速な通知が可能となる。
【０１９９】
他の例として、該情報が、ＭＡＣシグナリングを用いて通知されてもよい。多値変調により多くの情報を通知可能となるとともに、ＨＡＲＱ再送により信頼性を向上可能となる。
【０２００】
基地局からＰＵＳＣＨ送信ＵＥに対して動的に通知する、他ＵＥのＳＲＳ送信に関する情報として、以下の（１）〜（１２）を開示する。
【０２０１】
（１）ＳＲＳ設定を識別する情報。
【０２０２】
（２）ＳＲＳ設定の種別。
【０２０３】
（３）ＳＲＳ送信シンボルに関する情報。
【０２０４】
（４）ＳＲＳ送信周波数に関する情報。
【０２０５】
（５）ＳＲＳのシーケンスに関する情報。
【０２０６】
（６）ＳＲＳのコーム（Comb）設定に関する情報。
【０２０７】
（７）ＳＲＳのアンテナポート。
【０２０８】
（８）ＳＲＳのヌメロロジ。
【０２０９】
（９）ＳＲＳが送信されるスロットに関する情報。
【０２１０】
（１０）ＰＵＳＣＨ送信可否に関する情報。該情報の例として、以下の（１０−１）〜（１０−６）を開示する。
【０２１１】
（１０−１）スロット内におけるＳＲＳ送信シンボル群のうち最早シンボルより前における、ＰＵＳＣＨ送信可否に関する情報。
【０２１２】
（１０−２）スロット内におけるＳＲＳ送信シンボル群のうち最遅シンボルより後における、ＰＵＳＣＨ送信可否に関する情報。
【０２１３】
（１０−３）スロット内におけるＳＲＳ送信シンボル群の最早シンボルから最遅シンボルまでの範囲における、ＰＵＳＣＨ送信可否に関する情報。
【０２１４】
（１０−４）設定されたＳＲＳ送信シンボルにおけるＰＵＳＣＨ送信可否に関する情報。
【０２１５】
（１０−５）設定されたＳＲＳ送信シンボル内の設定されたＳＲＳ送信周波数リソース内におけるＰＵＳＣＨ送信可否に関する情報。
【０２１６】
（１０−６）前述の（１０−１）〜（１０−５）の組合せ。
【０２１７】
（１１）ＳＲＳ送信において用いるビームに関する情報。
【０２１８】
（１２）前述の（１）〜（１１）の組合せ。
【０２１９】
前述の（１）〜（８）、（１０）、（１１）は、前述にて開示した、基地局からＵＥに対して準静的に通知するＳＲＳ送信リソース候補に関する情報と同様としてもよい。
【０２２０】
前述の（９）は、例えば、ＳＲＳが送信されるスロット番号であってもよいし、基地局からＵＥに対する通知が送信されてからＳＲＳが送信されるまでのスロット間隔であってもよい。このことにより、例えば、ＵＥはＳＲＳが送信されるスロット番号を把握可能となり、その結果、ＵＥにおいて不要なＰＵＳＣＨ送信停止を防止可能となる。
【０２２１】
ＵＥは、基地局からの該通知を用いて、ＰＵＳＣＨ送信を停止してもよい。ＵＥにおけるＰＵＳＣＨ送信停止の動作は、前述の、準静的な通知を用いた動作と同様としてもよい。
【０２２２】
図１３は、基地局からＵＥに対して、他ＵＥのＳＲＳ送信に関する情報をスロット毎に通知する例について示した図である。図１３は、ＵＥが、通知されたＳＲＳ送信シンボルのみにおいてＰＵＳＣＨ送信を行わない場合について示す。図１３において、各ＵＥのＳＲＳ設定は図９と同様である。図１３において、図９と共通する信号については同じ図番号を付し、共通する説明を省略する。
【０２２３】
図１３に示す下りのスロット番号ｎにおいて、基地局はＵＥ＃１に対して上りグラントをＤＣＩ  １３０１に含めて通知する。ＤＣＩ  １３０１には、他のＵＥのＳＲＳ設定は含まれない。ＵＥ＃１は、上りのスロット番号０における０〜１３シンボル目において、ＰＵＳＣＨ  １３１１を送信する。
【０２２４】
図１３に示す下りのスロット番号（ｎ＋１）において、基地局はＵＥ＃１に対して上りグラントをＤＣＩ  １３０２に含めて通知する。ＤＣＩ  １３０２には、ＵＥ＃２の周期的ＳＲＳ  ９０５およびＵＥ＃３の非周期的ＳＲＳ＃２  ９０９に関する情報が含まれる。ＵＥ＃１は、ＤＣＩ  １３０２を用いて、上りのスロット番号１における０〜７、１２シンボル目において、ＰＵＳＣＨ  １３１２を送信する。
【０２２５】
図１３に示す下りのスロット番号（ｎ＋２）において、基地局はＵＥ＃１に対して上りグラントをＤＣＩ  １３０３に含めて通知する。ＤＣＩ  １３０３には、ＵＥ＃３の非周期的ＳＲＳ＃２  ９０８に関する情報が含まれる。ＵＥ＃１は、ＤＣＩ  １３０３を用いて、上りのスロット番号２における０〜９、１２、１３シンボル目において、ＰＵＳＣＨ  １３１３を送信する。
【０２２６】
図１３に示す下りのスロット番号（ｎ＋３）において、基地局はＵＥ＃１に対して上りグラントをＤＣＩ  １３０４に含めて通知する。ＤＣＩ  １３０４には、ＵＥ＃２の周期的ＳＲＳ  ９０５に関する情報が含まれる。ＵＥ＃１は、ＤＣＩ  １３０４を用いて、上りのスロット番号３における０〜１２シンボル目において、ＰＵＳＣＨ  １３１４を送信する。
【０２２７】
他の解決策を開示する。基地局は、配下のＵＥに設定されているＳＲＳ送信リソース候補を、予め準静的にＵＥに通知する。該通知には、ＲＲＣ個別シグナリングが用いられてもよいし、通知の代わりに配下のＵＥに対して報知されてもよい。ＳＲＳ送信リソースの候補には、例えば、非周期的ＳＲＳとして設定されている全てのリソース設定が含まれてもよいし、セミパーシステントＳＲＳとして設定されているリソース設定が含まれてもよいし、周期的ＳＲＳのリソース設定が含まれてもよい。準静的な該通知の内容は、前述において、基地局からＵＥに対して準静的に通知するＳＲＳ送信リソース候補に関する情報として開示した（１）〜（１２）の一部あるいは全部であってもよい。基地局は、該ＵＥに対し、他ＵＥから実際に送信されるＳＲＳに関する情報を動的に通知してもよい。動的な該通知の内容は、基地局からＵＥに対して動的に通知するＳＲＳ送信リソース候補に関する情報として開示した（１）〜（１２）を適用してもよい。（１）〜（１２）を全部適用してもよいし、一部、例えば、（１）の情報のみを適用してもよい。このことにより、例えば、実際には送信されないＳＲＳ割り当てシンボルを該ＵＥのＰＵＳＣＨ送信に用いることが可能となり、その結果、ＰＵＳＣＨ送信レートを向上可能となる。
【０２２８】
基地局からＵＥに対する動的な通知には、例えば、非周期的ＳＲＳの設定の識別子が含まれてもよいし、セミパーシステントＳＲＳがアクティベートあるいはデアクティベートされたことを示す情報が含まれてもよいし、セミパーシステントＳＲＳの設定の識別子が含まれてもよいし、セミパーシステントがアクティベートあるいはデアクティベートされるスロットに関する情報が含まれてもよいし、前述のうち複数が組み合わせられてもよい。このことにより、例えば、動的な通知におけるシグナリング量を削減可能となる。
【０２２９】
本実施の形態１にて開示した、基地局からＰＵＳＣＨ送信ＵＥに対する通知において、ＳＲＳ送信リソース候補に関する情報の代わりに、ＰＵＳＣＨの送信を停止する時間および／あるいは周波数リソースに関する情報を通知してもよい。ＰＵＳＣＨ送信ＵＥは、該情報を用いて、ＰＵＳＣＨ送信を停止してもよい。このことにより、例えば、基地局からＵＥに対する通知内容がＰＵＳＣＨ送信停止リソースに関する情報のみとなるため、シグナリング量を削減可能となる。
【０２３０】
他の例として、基地局からＰＵＳＣＨ送信ＵＥに対して通知する上りグラントにおいて、離散的な時間および／あるいは周波数の割り当てが行われてもよい。離散的な割り当ての情報が上りグラントに含まれてもよい。該情報の例として、ビットマップが用いられてもよい。ＵＥは、該割り当ての情報を用いて、ＰＵＳＣＨ送信を時間および／あるいは周波数軸上において離散的に行ってもよい。このことにより、基地局からＵＥに対して柔軟なスケジューリングが可能となる。
【０２３１】
前述の、離散的なＰＵＳＣＨ割り当てが、ＰＵＳＣＨとＳＲＳとの間の時間および／あるいは周波数リソースの衝突が発生しない場合において適用されてもよい。例えば、ＰＵＳＣＨ送信ＵＥへのＰＵＳＣＨスケジューリングと、異なるヌメロロジを用いるＵＥにスケジューリングするＰＵＳＣＨとにおいて、一部の時間および／あるいは周波数リソースを共用する場合において用いてもよい。前述の状況において、例えば、離散的なＰＵＳＣＨ割り当てが、異なるヌメロロジを用いるＵＥへのＰＵＳＣＨ割り当ての後に行われてもよいし、同時に行われてもよい。前述の点で、プリエンプションとは異なる。このことにより、例えば、基地局から配下の各ＵＥに対するスケジューリングの柔軟性を向上可能となる。
【０２３２】
本実施の形態１にて開示した、ＰＵＳＣＨ送信ＵＥの動作方法は、静的に定められてもよいし、基地局が決めてＵＥに通知してもよいし、報知してもよい。
【０２３３】
前述において、静的に定められる場合の例として、ＤＭＲＳが配置されるシンボルの情報によってＰＵＳＣＨ送信ＵＥの動作が決まってもよい。例えば、スロット内におけるＳＲＳ送信シンボル群のうち最早シンボルより前のシンボルにおいてＤＭＲＳの割り当てが存在しない場合に、ＰＵＳＣＨ送信ＵＥはＰＵＳＣＨ送信を停止するとしてもよいし、ＳＲＳ送信シンボル群のうち最遅シンボルより後ろのシンボルにおいても同様としてもよいし、前述の最早シンボルから最遅シンボルまでの範囲のうちＳＲＳ送信が割り当てられていないシンボルについても同様としてもよい。ＳＲＳ送信シンボル群のうち最早シンボルから最遅シンボルまでの範囲のうちＳＲＳ送信が割り当てられていないシンボルについては、ＳＲＳが割り当てられていない連続したシンボルを１つのシンボル群として、該シンボル群におけるＤＭＲＳの有無によりＰＵＳＣＨ送信可否が決められてもよい。このことにより、例えば、ＰＵＳＣＨ送信ＵＥは、ＰＵＳＣＨにおいて、基地局における復調特性を確保できないシンボルの送信を停止可能となり、その結果、ＰＵＳＣＨ送信ＵＥの消費電力を削減可能となる。
【０２３４】
ＰＵＳＣＨ送信ＵＥの動作が規格で定められる他の例として、ＰＵＳＣＨ送信ＵＥのＰＵＳＣＨにおける変調方式が用いられてもよい。例えば、ＰＵＳＣＨの変調にＯＦＤＭが用いられている場合において、ＳＲＳ送信シンボル内の、ＳＲＳが割り当てられていないＲＥにおいてＰＵＳＣＨが送信されるとしてもよい。このことにより、例えば、ＰＵＳＣＨ送信レートを確保可能となる。他の例として、ＰＵＳＣＨの変調にＤＦＴ拡散ＯＦＤＭ（DFT-s-OFDM）が用いられる場合において、ＳＲＳ送信シンボルにおけるＰＵＳＣＨ送信が行われないとしてもよい。このことにより、例えば、ＰＵＳＣＨ送信ＵＥにおけるＰＡＰＲの劣化を防止可能となる。
【０２３５】
本実施の形態１にて開示したＰＵＳＣＨ送信ＵＥの動作を、基地局が決めてＵＥに通知する場合の例として、該通知は、準静的に、例えば、ＲＲＣ個別シグナリングを用いて行われてもよいし、動的に、例えば、ＭＡＣシグナリングおよび／あるいはＬ１／Ｌ２シグナリングを用いて行われてもよい。準静的な通知における通知内容には、例えば、前述の、基地局からＰＵＳＣＨ送信ＵＥに対して準静的に通知する、他ＵＥのＳＲＳ送信に関する情報として開示した（１０）が含まれてもよい。動的な通知における通知内容には、例えば、前述の、基地局からＰＵＳＣＨ送信ＵＥに対して動的に通知する、他ＵＥのＳＲＳ送信に関する情報として開示した（１０）が含まれてもよい。
【０２３６】
ＰＵＳＣＨ送信ＵＥは、基地局からの他ＵＥのＳＲＳ設定通知によって送信を停止したシンボルあるいはＲＥにマッピングされた上りデータを送信しないとしてもよい。このことにより、例えば、該ＵＥにおけるＰＵＳＣＨ送信処理における複雑性を回避可能となる。
【０２３７】
他の例として、ＰＵＳＣＨ送信ＵＥは、基地局からの他ＵＥのＳＲＳ設定通知を用いて送信を停止したシンボルあるいはＲＥにマッピングされた上りデータを、後ろのシンボルで送信してもよい。このことにより、例えば、基地局による復調および／あるいは復号時における符号の連続性を確保可能となり、その結果、例えば、復号特性を確保可能となる。
【０２３８】
前述において、ＰＵＳＣＨの符号化率を変えないとしてもよい。ＵＥは、前述において上りデータを後ろのシンボルあるいは他のＲＥで送信することにより、最後方のＰＵＳＣＨにマッピングされていた上りデータを送信しないとしてもよい。このことにより、例えば、該ＵＥにおけるＰＵＳＣＨ送信処理における複雑性を回避可能となる。
【０２３９】
前述における他の例として、ＰＵＳＣＨの符号化率を変えてもよい。例えば、該符号化率を高めてもよい。このことにより、例えば、ＵＥは、最後方のＰＵＳＣＨにマッピングされていた上りデータも基地局に送信可能となる。符号化率の変更に関する情報は規格で定めてもよいし、基地局が決定して予めＵＥに通知してもよい。該通知において、ＲＲＣシグナリングが用いられてもよいし、ＭＡＣシグナリングが用いられてもよいし、Ｌ１／Ｌ２シグナリングが用いられてもよい。符号化率の変更に関する情報は、例えば、基地局からＰＵＳＣＨ送信ＵＥに対して動的に通知する、他ＵＥのＳＲＳ送信に関する情報と一緒に、基地局からＵＥに対して通知されてもよい。
【０２４０】
基地局からの他ＵＥのＳＲＳ設定通知によってＵＥがＰＵＳＣＨ送信を停止するシンボルあるいはＲＥが存在する場合における他の例として、ＵＥは、該シンボルあるいは該ＲＥにおいて上りデータを割り当てないとしてもよい。前述の、上りデータを割り当てない処理は、例えば、ＵＥにおける符号化処理および／あるいは変調処理において行われてもよい。このことにより、例えば、ＵＥは、ＰＵＳＣＨへの上りデータのマッピングの処理を容易に実行可能となる。前述の、上りデータを割り当てない処理において、符号化率を変えないとしてもよいし、符号化率を変えてもよい。符号化率の変更に関する情報は規格で定めてもよいし、基地局が決定して予めＵＥに通知してもよい。該通知において、ＲＲＣシグナリングが用いられてもよいし、ＭＡＣシグナリングが用いられてもよいし、Ｌ１／Ｌ２シグナリングが用いられてもよい。符号化率の変更に関する情報は、例えば、基地局からＰＵＳＣＨ送信ＵＥに対して動的に通知する、他ＵＥのＳＲＳ送信に関する情報と一緒に、基地局からＵＥに対して通知されてもよい。
【０２４１】
基地局からＵＥに対して、該シンボルあるいは該ＲＥにおいて上りデータを割り当てるか割り当てないかに関する情報を、予め規格で定めてもよいし、基地局が決定してＵＥに通知あるいは報知してもよい。該通知には、例えば、ＲＲＣシグナリングが用いられてもよい。このことにより、例えば、通信システムにおける上り送信を柔軟に制御可能となる。
【０２４２】
本実施の形態１における、基地局からＵＥへのＳＲＳ設定の通知は、ＲＲＣ＿ＩＤＬＥ、ＲＲＣ＿ＩＮＡＣＴＩＶＥ、ＲＲＣ＿ＣＯＮＮＥＣＴＥＤのいずれの状態（非特許文献１６参照）にあるＵＥに対して行われるとしてもよい。該通知は、例えば、ＲＲＣ接続再設定（RRCConnectionReconfiguration）のシグナリングに含まれてもよい。このことにより、例えば、ＵＥは、基地局とのＲＲＣ接続確立時にＳＲＳ設定を取得可能となるため、ＵＥと基地局との通信開始時から、他ＵＥのＳＲＳと自ＵＥのＰＵＳＣＨとの間の干渉を回避可能となる。他の例として、該ＳＲＳ設定の通知は、ＲＲＣ＿ＣＯＮＮＥＣＴＥＤの状態にあるＵＥに対してのみ行われるとしてもよい。このことにより、例えば、基地局から配下のＵＥに対する通知のシグナリング量を削減可能となる。前述の両者を組み合わせてもよい。例えば、基地局からＵＥへのＳＲＳ設定の最初の通知が、ＲＲＣ＿ＩＤＬＥ、ＲＲＣ＿ＩＮＡＣＴＩＶＥ、ＲＲＣ＿ＣＯＮＮＥＣＴＥＤのいずれの状態にあるＵＥに対して行われてもよいし、該ＳＲＳ設定の変更の通知が、ＲＲＣ＿ＣＯＮＮＥＣＴＥＤの状態にあるＵＥに対してのみ行われてもよい。このことにより、例えば、ＵＥと基地局との通信開始時から、他ＵＥのＳＲＳと自ＵＥのＰＵＳＣＨとの間の干渉を回避可能としつつ、基地局からＵＥに対するシグナリング量を削減可能となる。
【０２４３】
本実施の形態１における、基地局からＵＥへの通知に含まれるＳＲＳ設定は、ＵＥ毎に異なってもよい。基地局がＵＥ毎に異なるＳＲＳ設定を通知する場合の例として、該ＵＥが属するビームに対して送信するＳＲＳ設定のみとしてもよい。このことにより、該ＳＲＳ設定のシグナリングのサイズを削減可能となる。
【０２４４】
他の例として、該ＳＲＳ設定は、該ＵＥが属するビームを含めた複数のビームに対して送信するＳＲＳ設定のみとしてもよい。このことにより、該ＵＥにおいてビーム間モビリティが発生した場合においても、基地局から該ＵＥに対するシグナリングのやり直しが不要となる。前述の、複数のビームは、該ＵＥが属するビームの周辺のビームを含んでもよいし、該ＵＥが属するビームから離れたビーム、例えば、該ビームの反射波によって通信可能となるビームであってもよい。
【０２４５】
他の例として、該ＳＲＳ設定は、該ＵＥにおいてアクティブとなっているＢＷＰ（Bandwidth part）（非特許文献１４（TS38.213 v15.0.0）参照）の周波数リソースを含むＳＲＳ設定のみとしてもよい。このことにより、例えば、該ＳＲＳ設定のシグナリングのサイズを削減可能となる。
【０２４６】
他の例として、該ＳＲＳ設定は、該ＵＥに設定されているＢＷＰの周波数リソースを含むＳＲＳ設定のみとしてもよい。このことにより、該ＵＥにおいてＢＷＰ切替えが発生した場合においても、基地局から該ＵＥに対するシグナリングのやり直しが不要となる。
【０２４７】
他の例として、該ＳＲＳ設定は、基地局が該ＵＥにスケジューリングする時間および／あるいは周波数リソースを含むＳＲＳ設定のみとしてもよい。例えば、基地局がＵＥに対して割り当てる時間および／あるいは周波数リソースが予め決まっている場合において、前述を適用してもよい。このことにより、例えば、基地局からＵＥに対するシグナリング量を削減可能となる。
【０２４８】
前述の例を組み合わせてもよい。すなわち、本実施の形態１における、基地局からＵＥへの通知に含まれるＳＲＳ設定は、該ＵＥが属するビームに対して送信するＳＲＳ設定、かつ、該ＵＥにおいてアクティブとなっているＢＷＰ（Bandwidth part）の周波数リソースを含むＳＲＳ設定のみとしてもよい。このことにより、基地局からＵＥに対するシグナリング量をさらに削減可能となる。
【０２４９】
本実施の形態１において、ＤＭＲＳを追加で送信してもよい。例えば、ＰＵＳＣＨ送信を再開した場合において、ＤＭＲＳを送信してもよい。該ＤＭＲＳは、設定済のＤＭＲＳ（例、追加ＤＭＲＳ（Additional DMRS））であってもよいし、新たにＤＭＲＳが設定されてもよい。
【０２５０】
新たなＤＭＲＳを、ＳＲＳの後ろに設けてもよい。例えば、１４シンボルのＰＵＳＣＨ送信が設定されている場合において、１２シンボル目および／あるいは１３シンボル目において新たなＤＭＲＳを設けてもよい。このことにより、例えば、他ＵＥのＳＲＳ送信が１１シンボル目に行われた場合、１２、１３シンボル目のＰＵＳＣＨ再開において、基地局の復調特性を向上可能となる。
【０２５１】
他の例として、新たなＤＭＲＳをＳＲＳの前に設けてもよい。このことにより、例えば、ＳＲＳ直前のシンボルにおけるＰＵＳＣＨ復調特性を向上可能となる。
【０２５２】
他の例として、新たなＤＭＲＳをＳＲＳの前と後ろの両方に設けてもよい。このことにより、例えば、前述の効果を組み合わせた効果が得られる。
【０２５３】
新たなＤＭＲＳの送信に関する情報は、規格で決められてもよいし、基地局が決定してＵＥに通知あるいは報知してもよい。該通知において、ＲＲＣシグナリングが用いられてもよいし、ＭＡＣシグナリングが用いられてもよいし、Ｌ１／Ｌ２シグナリングが用いられてもよいし、前述の複数の組合せが用いられてもよい。
【０２５４】
新たなＤＭＲＳの送信に関する情報として、以下の（１）〜（５）を開示する。
【０２５５】
（１）新たなＤＭＲＳをＳＲＳの前に設けるかどうかを示す情報、例えば、識別子。
【０２５６】
（２）新たなＤＭＲＳをＳＲＳの後ろに設けるかどうかを示す情報、例えば、識別子。
【０２５７】
（３）新たなＤＭＲＳの送信シンボルに関する情報。例えば、シンボル番号やシンボル数。
【０２５８】
（４）新たなＤＭＲＳの送信ＲＥ間隔およびオフセットに関する情報。
【０２５９】
（５）前述の（１）〜（４）の組合せ。
【０２６０】
前述の（１）および／あるいは（２）により、例えば、ＳＲＳ送信の前および／あるいは後ろにおけるＰＵＳＣＨの、基地局における復調特性を向上可能となる。
【０２６１】
前述の（３）により、例えば、通信システムにおける柔軟なＤＭＲＳ配置が可能となる。
【０２６２】
前述の（４）において、ＵＥは、ＤＭＲＳが配置されないＲＥにＰＵＳＣＨを配置してもよい。このことにより、例えば、ＰＵＳＣＨの送信レートを確保可能となる。
【０２６３】
図１４は、他のＵＥからのＳＲＳ送信の前後において、ＤＭＲＳを追加する例を示した図である。図１４の例において、１０、１２シンボル目において、追加のＤＭＲＳ  １４０１がＵＥから送信される。
【０２６４】
本実施の形態１において、ＰＴＲＳを追加で送信してもよい。例えば、ＰＴＲＳの送信間隔が２シンボル以上の場合において、新たなＰＴＲＳが設けられてもよい。
【０２６５】
新たなＰＴＲＳを、ＳＲＳの後ろに設けてもよい。このことにより、例えば、ＳＲＳ送信直後のＰＵＳＣＨシンボルにおける位相ノイズを基地局において補償可能となり、その結果、基地局のＰＵＳＣＨ復調特性を向上可能となる。
【０２６６】
他の例として、新たなＰＴＲＳをＳＲＳの前に設けてもよい。このことにより、例えば、ＳＲＳ直前のＰＵＳＣＨシンボルにおいて、前述の効果を得られる。
【０２６７】
他の例として、新たなＰＴＲＳをＳＲＳの前と後ろの両方に設けてもよい。このことにより、例えば、ＳＲＳの直前直後において、前述の効果を得られる。
【０２６８】
新たなＰＴＲＳの送信に関する情報は、規格で決められてもよいし、基地局が決定してＵＥに通知あるいは報知してもよい。該通知において、ＲＲＣシグナリングが用いられてもよいし、ＭＡＣシグナリングが用いられてもよいし、Ｌ１／Ｌ２シグナリングが用いられてもよいし、前述の複数の組合せが用いられてもよい。
【０２６９】
新たなＰＴＲＳの送信に関する情報として、以下の（１）〜（４）を開示する。
【０２７０】
（１）新たなＰＴＲＳをＳＲＳの前に設けるかどうかを示す情報、例えば、識別子。
【０２７１】
（２）新たなＰＴＲＳをＳＲＳの後ろに設けるかどうかを示す情報、例えば、識別子。
【０２７２】
（３）新たなＰＴＲＳの送信シンボルに関する情報。例えば、シンボル番号。
【０２７３】
（４）前述の（１）〜（３）の組合せ。
【０２７４】
前述の（１）および／あるいは（２）により、例えば、ＳＲＳ送信の前および／あるいは後ろにおけるＰＵＳＣＨの、基地局における復調特性を向上可能となる。
【０２７５】
前述の（３）により、例えば、ＰＴＲＳの配置における柔軟性を向上可能となる。
【０２７６】
新たなＰＴＲＳの送信に関する情報は、ＵＥ毎に決められてもよいし、ＳＲＳ毎に決められてもよい。ＵＥ毎に設定されることで、例えば、該設定に関するシグナリングを削減可能となる。ＳＲＳ毎に設定されることで、例えば、ＰＴＲＳの送信に関する設定の柔軟性を向上可能となる。
【０２７７】
図１５は、他のＵＥからのＳＲＳ送信の後において、ＰＴＲＳを追加する例を示した図である。図１５の例は、ＰＴＲＳ  １５０１が４シンボル毎に１ＲＥの割合で送信され、３番目のＰＴＲＳが、ＵＥ＃２が送信するＳＲＳ  １５０２と同じシンボルに割り当てられた場合について示す。図１５において、追加のＰＴＲＳ  １５０３がＳＲＳ  １５０２の次のシンボルにおいて送信される。
【０２７８】
前述において、追加のＰＴＲＳの送信は、ＰＵＳＣＨ送信ＵＥ自身がＳＲＳを送信する場合において適用してもよい。例えば、図１５におけるＵＥ＃２のＳＲＳ送信は、ＰＵＳＣＨ送信ＵＥ自身であってもよい。このことにより、例えば、自ＵＥによるＳＲＳ送信後のＰＵＳＣＨ送信において、基地局における復調特性を向上可能となる。
【０２７９】
本実施の形態１にて開示した方法を、ＵＥがＰＵＳＣＨをＳＲＳシンボルあるいはＳＲＳシンボル群の前あるいは後ろに配置する場合において適用してもよい。例えば、基地局は、配下のＵＥに設定されているＳＲＳ送信リソース候補を、予めＵＥに通知し、ＵＥは該ＳＲＳ送信リソースにおいてＰＵＳＣＨ送信を停止してもよい。また、基地局からＵＥに対するＳＲＳ設定通知におけるＰＲＢ範囲を、ＳＲＳの設定分解能となるＰＲＢ数の単位で通知してもよい。また、該ＵＥのアクティブＢＷＰの周波数範囲を含むＳＲＳ設定のみを、基地局は該ＵＥに対して通知してもよい。また、該ＵＥの属するビームにおけるＳＲＳ設定のみを、基地局は該ＵＥに対して通知してもよい。また、基地局からＵＥに対してＳＲＳ設定を報知してもよい。また、ＳＲＳ送信の前あるいは後ろに追加のＤＭＲＳを設けてもよいし、同様に追加のＰＴＲＳを設けてもよい。このことにより、前述と同様の効果が得られる。
【０２８０】
本実施の形態１によって、ＰＵＳＣＨ送信区間において他ＵＥのＳＲＳ送信が行われた場合においても、該ＰＵＳＣＨ送信レートを確保可能となる。
【０２８１】
実施の形態１の変形例１．
実施の形態１において開示した、自ＵＥのＰＵＳＣＨと他ＵＥのＳＲＳの割り当てについて、他の解決策を開示する。
【０２８２】
ＳＲＳ送信ＵＥは、ＰＵＳＣＨ送信ＵＥが送信するＰＵＳＣＨが割り当てられているシンボルおよび周波数帯域において、ＳＲＳを送信しないとしてもよい。前述において、ＳＲＳ送信ＵＥは、該シンボル以外あるいは該帯域の外にて、ＳＲＳ送信を行ってもよい。ＰＵＳＣＨ送信ＵＥは、該ＳＲＳが割り当てられるシンボルにおいて、ＰＵＳＣＨ送信を継続してもよい。このことにより、例えば、ＰＵＳＣＨの送信レートを確保しつつ、ＳＲＳ送信ＵＥによるサウンディングを実行可能となる。該ＳＲＳの送信は、ＰＵＳＣＨと同じヌメロロジである場合に行われてもよいし、異なるヌメロロジである場合に行われてもよい。
【０２８３】
ＳＲＳ送信ＵＥは、該ＰＵＳＣＨに付随するＤＭＲＳが割り当てられるシンボルにおいて、該ＰＵＳＣＨの周波数帯域におけるＳＲＳを送信しないとしてもよい。このことにより、例えば、基地局における該ＰＵＳＣＨの復調特性を向上可能となる。該ＰＵＳＣＨに付随するＰＴＲＳについても、同様としてもよい。同様の効果が得られる。他の例として、ＰＵＳＣＨ送信ＵＥが送信するＰＵＳＣＨに、非周期的ＣＳＩ報告の情報が含まれる場合において、ＳＲＳ送信ＵＥは、該ＰＵＳＣＨの周波数帯域におけるＳＲＳを送信しないとしてもよい。このことにより、非周期的ＣＳＩ報告における信頼性を向上可能となる。
【０２８４】
図１６は、ＰＵＳＣＨ送信ＵＥが送信するＰＵＳＣＨが割り当てられているシンボルおよび周波数帯域においてＳＲＳ送信ＵＥからのＳＲＳ送信が行われず、該シンボル以外あるいは該帯域の外にて、ＳＲＳ送信ＵＥからのＳＲＳ送信が行わる例について示した図である。図１６に示す例において、ＰＵＳＣＨとＳＲＳのサブキャリア間隔は同じとする。図１６に示す例において、ＰＵＳＣＨ送信ＵＥは、ＰＵＳＣＨに付随するＤＭＲＳ  １６０１を２シンボル目で送信し、また、ＰＵＳＣＨに付随するＰＴＲＳ  １６０２を２つのサブキャリアにおいて毎シンボル送信している。また、図１６に示す例において、ＳＲＳ送信ＵＥは、ＳＲＳを１１シンボル目で、２サブキャリア間隔で送信するよう設定されている。
【０２８５】
図１６において、ＳＲＳ送信ＵＥは、ＰＵＳＣＨ送信ＵＥのＰＵＳＣＨ  １６０３およびＰＴＲＳ  １６０２が占める周波数帯域に含まれるＲＥ  １６０５において、ＳＲＳを送信しない。ＳＲＳ送信ＵＥは、該周波数帯域の外のＲＥ  １６０６において、ＳＲＳを送信する。
【０２８６】
他の解決策を開示する。ＳＲＳ送信ＵＥは、ＰＵＳＣＨ送信ＵＥが送信するＰＵＳＣＨが割り当てられているシンボルおよび周波数帯域において、ＳＲＳを送信してもよい。ＰＵＳＣＨ送信ＵＥは、該ＳＲＳと時間および周波数リソースが重複するＲＥにおいて、ＰＵＳＣＨを送信しないとしてもよい。前述において、ＳＲＳ送信ＵＥは、ＳＲＳのコームの密度を変えてもよい。例えば、該密度を小さくしてもよい。このことにより、例えば、ＰＵＳＣＨ送信レートを確保可能となる。他の例として、ＳＲＳ送信ＵＥは、ＳＲＳのコームのオフセットを変えて送信してもよい。このことにより、例えば、ＳＲＳ送信ＵＥは、ＰＵＳＣＨ送信ＵＥが送信するＰＴＲＳを避けてＳＲＳを送信可能となる。前述の両者の例を組み合わせてもよい。このことにより、例えば、前述の両方の効果が得られる。
【０２８７】
前述のＳＲＳ送信は、該ＰＵＳＣＨがＯＦＤＭ変調されている場合において行われてもよい。該ＰＵＳＣＨがＤＦＴ拡散ＯＦＤＭ変調（DFT-s-OFDM）されている場合において、前述のＳＲＳ送信が行われないとしてもよい。このことにより、ＰＵＳＣＨ送信ＵＥからのＰＵＳＣＨ送信におけるピーク対平均電力比（Peak-to-Average Power Ratio：ＰＡＰＲ）の劣化を防止可能となる。他の例として、該ＰＵＳＣＨがＤＦＴ拡散ＯＦＤＭ変調されている場合において、前述のＳＲＳ送信が行われてもよい。ＳＲＳ送信ＵＥからのサウンディングを広帯域で実行可能となる。
【０２８８】
図１７は、ＰＵＳＣＨ送信ＵＥが送信するＰＵＳＣＨが割り当てられているシンボルおよび周波数帯域において、ＳＲＳ送信ＵＥからのＳＲＳ送信がコームの密度を変えて行われる例について示した図である。図１７において、各ＵＥの設定は図１６と共通である。図１７において、図１６と共通する信号については同じ図番号を付し、共通する説明を省略する。
【０２８９】
図１７において、ＳＲＳ送信ＵＥは、ＰＵＳＣＨ送信ＵＥのＰＵＳＣＨ  １６０３およびＰＴＲＳ  １６０２が占める周波数帯域に含まれるＲＥ  １７０４において、ＳＲＳのコーム間隔を２ＲＥから４ＲＥに変えて、ＳＲＳを送信する。ＲＥ  １７０５においては、ＳＲＳは送信されず、ＰＵＳＣＨ  １６０３あるいはＰＴＲＳ  １６０２が送信される。
【０２９０】
基地局はＰＵＳＣＨ送信ＵＥに対し、ＳＲＳ送信に関する情報を通知してもよい。該通知に含まれる情報は、実施の形態１と同様であってもよい。
【０２９１】
他の解決策を開示する。ＳＲＳ送信ＵＥは、ＰＵＳＣＨ送信ＵＥが送信するＰＵＳＣＨが割り当てられているシンボルにおいて、ＳＲＳを送信しないとしてもよい。前述において、ＳＲＳ送信ＵＥは、ＰＵＳＣＨ送信ＵＥのＰＵＳＣＨが割り当てられている周波数帯域以外においても、ＳＲＳを送信しないとしてもよい。このことにより、例えば、基地局は、該周波数帯域以外において、他のＵＥへのＰＵＳＣＨを割り当て可能となり、その結果、通信システムにおける通信容量を増大可能となる。
【０２９２】
前述の、ＳＲＳを送信しない動作は、例えば、該ＰＵＳＣＨと該ＳＲＳのヌメロロジが異なる場合において適用されてもよい。例えば、該ＳＲＳのサブキャリア間隔が該ＰＵＳＣＨよりも大きい場合において、ＳＲＳ送信ＵＥからのＳＲＳ送信が行われないとしてもよい。このことにより、例えば、サブキャリア間隔の違いによって発生する、ＰＵＳＣＨ帯域外のＳＲＳ送信がおよぼす該ＰＵＳＣＨへの干渉を防止可能となる。
【０２９３】
図１８は、ＰＵＳＣＨ送信ＵＥが送信するＰＵＳＣＨが割り当てられているシンボルにおいて、ＳＲＳ送信ＵＥからのＳＲＳ送信が行われない例について示した図である。図１８において、各ＵＥの設定は図１６と共通である。図１８において、図１６と共通する信号については同じ図番号を付し、共通する説明を省略する。
【０２９４】
図１８において、ＳＲＳ送信ＵＥは、ＰＵＳＣＨ送信ＵＥのＰＵＳＣＨ  １６０３およびＰＴＲＳ  １６０２が占める周波数帯域に含まれるＲＥ  １８０４においても、該周波数帯域に含まれないＲＥ  １８０５においても、ＳＲＳを送信しない。ＲＥ  １８０４およびＲＥ  １８０５において、ＰＵＳＣＨ  １６０３あるいはＰＴＲＳ  １６０２が送信される。
【０２９５】
他の解決策を開示する。（ａ）前述にて開示した、ＰＵＳＣＨ送信ＵＥが送信するＰＵＳＣＨが割り当てられているシンボルおよび周波数帯域において、ＳＲＳ送信ＵＥがＳＲＳを送信しない場合とＳＲＳを送信する場合と、（ｂ）ＳＲＳを該周波数帯域内外も含めて送信しない場合と、（ｃ）実施の形態１で開示した、ＳＲＳ送信ＵＥがＳＲＳを送信するシンボルにおいてＰＵＳＣＨ送信ＵＥがＰＵＳＣＨを送信しない、あるいは一部の周波数リソースにおいてのみ送信する場合とを組み合わせてもよいし、切替えてもよい。
【０２９６】
前述における組み合わせの例としては、ＰＵＳＣＨ送信ＵＥからのＰＵＳＣＨの割り当て帯域において、ＰＵＳＣＨに付随するＤＭＲＳおよび／あるいはＰＴＲＳが割り当てられるＲＥにおいてはＰＵＳＣＨ送信ＵＥからのＤＭＲＳやＰＴＲＳの送信が行われ、それ以外のＲＥにおいては、ＳＲＳ送信ＵＥからのＳＲＳ送信が行われてもよい。このことにより、例えば、ＳＲＳ送信ＵＥからの広帯域なサウンディングを可能とし、かつ、基地局における該ＰＵＳＣＨの復調特性を向上可能となる。
【０２９７】
前述における切替えの例としては、ＳＲＳ送信ＵＥは、ＰＵＳＣＨ送信ＵＥから送信するＰＵＳＣＨに付随するＤＭＲＳおよび／あるいはＰＴＲＳが割り当てられるシンボルにおいては、該ＰＵＳＣＨ割り当て帯域内のＳＲＳを送信せず、該シンボル外においては該帯域内のＳＲＳを送信するとしてもよい。このことにより、例えば、ＳＲＳ送信ＵＥからの広帯域なサウンディングを可能とし、かつ、基地局における該ＰＵＳＣＨの復調特性を向上可能となる。
【０２９８】
本変形例１に開示した、ＰＵＳＣＨが割り当てられているシンボルおよび周波数帯域における、ＳＲＳ送信ＵＥのＳＲＳ送信に関する動作について、規格で定められてもよいし、基地局が判断してＵＥに通知あるいは報知してもよい。該通知は、ＲＲＣシグナリングを用いて準静的に行われてもよいし、ＭＡＣシグナリングを用いて動的に行われてもよいし、Ｌ１／Ｌ２シグナリングを用いて動的に行われてもよいし、前述のうち複数の組合せが用いられてもよい。
【０２９９】
基地局はＰＵＳＣＨ送信ＵＥに対し、ＳＲＳ送信に関する情報を通知あるいは報知してもよい。該通知に含まれる情報は、実施の形態１と同様であってもよい。
【０３００】
前述における、基地局からＳＲＳ送信ＵＥに対して通知する情報として、以下の（１）〜（１１）を開示する。
【０３０１】
（１）自ＳＲＳ設定を識別する情報。
【０３０２】
（２）自ＳＲＳ設定の種別。
【０３０３】
（３）自ＳＲＳ送信シンボルに関する情報。
【０３０４】
（４）自ＳＲＳ送信周波数に関する情報。
【０３０５】
（５）自ＳＲＳのシーケンスに関する情報。
【０３０６】
（６）自ＳＲＳのコーム（Comb）設定に関する情報。
【０３０７】
（７）自ＳＲＳのアンテナポート。
【０３０８】
（８）自ＳＲＳを送信するスロットに関する情報。
【０３０９】
（９）自ＳＲＳ送信の動作に関する情報。
【０３１０】
（１０）ＰＵＳＣＨ送信ＵＥが送信するＰＵＳＣＨに関する情報。該情報の例として、以下の（１０−１）〜（１０−７）を開示する。
【０３１１】
（１０−１）ＰＵＳＣＨの周波数リソースに関する情報。
【０３１２】
（１０−２）ＰＵＳＣＨの時間リソースに関する情報。例えば、ＰＵＳＣＨの送信シンボル。
【０３１３】
（１０−３）ＰＵＳＣＨに付随するＤＭＲＳに関する情報。
【０３１４】
（１０−４）ＰＵＳＣＨに付随するＰＴＲＳに関する情報。
【０３１５】
（１０−５）ＰＵＳＣＨの変調方法に関する情報。
【０３１６】
（１０−６）ＰＵＳＣＨにて送信される上りデータに関する情報。
【０３１７】
（１０−７）前述の（１０−１）〜（１０−６）の組合せ。
【０３１８】
（１１）前述の（１）〜（１０）の組合せ。
【０３１９】
前述の（１）〜（７）は、それぞれ、実施の形態１における、基地局からＵＥに対して準静的に通知するＳＲＳ送信リソース候補に関する情報として開示した（１）〜（７）と同様の情報であってもよい。
【０３２０】
前述の（８）は、実施の形態１における、基地局からＵＥに対して動的に通知するＳＲＳ送信リソース候補に関する情報として開示した（９）と同様の情報であってもよい。
【０３２１】
前述の（９）は、例えば、ＰＵＳＣＨの周波数帯域においてＳＲＳ送信が行われないことを示す情報であってもよいし、ＰＵＳＣＨの周波数帯域においてＳＲＳ送信が行われることを示す情報であってもよいし、ＰＵＳＣＨと重複するシンボルにおいてＳＲＳ送信が行われないことを示す情報であってもよい。ＳＲＳ送信ＵＥは、該情報を用いて、実施の形態１あるいは本変形例１にて開示した動作を行うとよい。このことにより、例えば、通信システムにおけるＰＵＳＣＨ送信およびＳＲＳ送信の制御を柔軟に実行可能となる。
【０３２２】
前述の（１０−１）は、例えば、基地局からＰＵＳＣＨ送信ＵＥに割り当てられた、ＰＵＳＣＨの先頭ＰＲＢ、末尾ＰＲＢ、ＰＲＢ数、あるいは前述のうちの複数の組合せであってもよい。ＳＲＳ送信ＵＥは、前述の（１０−１）の情報を用いて、例えば、該ＰＵＳＣＨに割り当てられた周波数リソースを回避してＳＲＳを送信してもよい。このことにより、例えば、通信システムにおけるＰＵＳＣＨ送信レートを確保しつつ、ＳＲＳ送信ＵＥと基地局との間のサウンディングを実行可能となる。
【０３２３】
前述の（１０−２）は、例えば、基地局からＰＵＳＣＨ送信ＵＥに割り当てられた、ＰＵＳＣＨの先頭シンボル、末尾シンボル、シンボル数、あるいは前述のうちの複数の組合せであってもよい。ＳＲＳ送信ＵＥは、前述の（１０−２）の情報を用いて、例えば、該ＰＵＳＣＨに割り当てられたシンボル以外においてＳＲＳを送信してもよい。このことにより、例えば、通信システムにおけるＰＵＳＣＨ送信レートを確保しつつ、ＳＲＳ送信ＵＥと基地局との間の広帯域のサウンディングを実行可能となる。
【０３２４】
前述の（１０−３）は、例えば、ＰＵＳＣＨに付随するＤＭＲＳに割り当てられるシンボルの情報であってもよい。該情報は、例えば、ＤＭＲＳのシンボル番号であってもよいし、シンボル数（例、一続きのＤＭＲＳのシンボル数）の情報が含まれてもよい。他の例として、ビットマップであって、各シンボルと各ビットが対応付けられた情報であってもよい。ＳＲＳ送信ＵＥは、前述の（１０−３）の情報を用いて、例えば、該ＤＭＲＳに割り当てられたシンボルを回避してＳＲＳを送信してもよい。このことにより、例えば、ＰＵＳＣＨの基地局における復調性能を確保しつつ、ＳＲＳ送信ＵＥと基地局との間の広帯域のサウンディングを実行可能となる。
【０３２５】
前述の（１０−３）における他の例として、ＰＵＳＣＨに付随するＤＭＲＳに割り当てられる周波数リソースの情報であってもよい。ＳＲＳ送信ＵＥは、前述の（１０−３）の情報を用いて、例えば、該ＤＭＲＳに割り当てられたＲＥを回避してＳＲＳを送信してもよい。このことにより、例えば、ＰＵＳＣＨの基地局における復調性能を確保しつつ、ＳＲＳ送信ＵＥと基地局との間のサウンディングにおける信頼性を向上可能となる。
【０３２６】
前述の（１０−４）は、例えば、前述の（１０−３）におけるＤＭＲＳをＰＴＲＳに読み替えた情報であってもよい。このことにより、例えば、前述の（１０−３）と同様の効果が得られる。
【０３２７】
前述の（１０−５）は、例えば、該ＰＵＳＣＨがＯＦＤＭ変調であることを示す情報であってもよいし、ＤＦＴ拡散ＯＦＤＭ変調であることを示す情報であってもよい。ＳＲＳ送信ＵＥは、例えば、該ＰＵＳＣＨがＯＦＤＭ変調であることを示す情報を用いて、該ＰＵＳＣＨと衝突する時間および周波数リソースにおけるＳＲＳ送信を行ってもよい。このことにより、例えば、ＳＲＳ送信ＵＥと基地局間のサウンディングを広帯域で実行可能となる。他の例として、ＳＲＳ送信ＵＥは、該ＰＵＳＣＨがＤＦＴ拡散ＯＦＤＭ変調であることを示す情報を用いて、該ＰＵＳＣＨと衝突する時間および周波数リソースにおけるＳＲＳ送信を停止してもよい。このことにより、例えば、ＰＵＳＣＨにおけるＰＡＰＲの劣化を防止可能となる。
【０３２８】
前述の（１０−６）は、例えば、非周期的ＣＳＩ報告が送信されるＰＵＳＣＨかどうかを示す情報であってもよい。ＳＲＳ送信ＵＥは、例えば、非周期的ＣＳＩ報告が送信されるＰＵＳＣＨであることを用いて、該ＰＵＳＣＨと衝突する時間および／あるいは周波数リソースにおけるＳＲＳ送信を行わないとしてもよい。このことにより、例えば、非周期的ＣＳＩ報告の送信の信頼性を確保可能となる。
【０３２９】
前述の（３）〜（１０）の情報は、ＰＵＳＣＨとの衝突が発生する時間および／あるいは周波数リソースと、衝突が発生しない時間および／あるいは周波数リソースに対して、個別に設けられてもよい。例えば、ＰＵＳＣＨとの衝突が発生する時間および／あるいは周波数リソースと、衝突が発生しない時間および／あるいは周波数リソースとの間で、前述の（６）の設定を異ならせてもよい。このことにより、例えば、ＰＵＳＣＨとの衝突が発生する時間および／あるいは周波数リソースにおいて、該衝突が発生しない時間および／あるいは周波数リソースよりもＳＲＳのコームの密度を小さく設定可能となり、その結果、ＰＵＳＣＨ送信レートを確保しつつ、ＳＲＳ送信ＵＥと基地局との間におけるサウンディングを実行可能となる。
【０３３０】
前述の（３）〜（１０）の情報は、ＰＵＳＣＨ割り当て毎に設けられてもよい。例えば、ＳＲＳ送信帯域において複数のＵＥのＰＵＳＣＨとの周波数および／あるいは時間リソースが発生する場合において、各ＰＵＳＣＨに対するＳＲＳの割り当てを柔軟に設定可能となる。
【０３３１】
前述の（３）〜（１０）は、ＳＲＳ送信ＵＥが送信を行うＳＲＳと、ＳＲＳ送信ＵＥが送信を行わないＳＲＳに対して、個別に設けられてもよい。ＳＲＳ送信を行うことを示す情報が含まれてもよいし、ＳＲＳ送信を行わないことを示す情報が含まれてもよい。前述の両者が含まれてもよい。ＳＲＳ送信ＵＥは、個別に設けられた該情報を用いて、それぞれＳＲＳ送信を行う、行わない、としてもよい。このことにより、例えば、基地局がＳＲＳ送信可否を指示することが可能となり、その結果、ＳＲＳ送信ＵＥにおける処理量を削減可能となる。
【０３３２】
ＳＲＳシンボルが複数の場合においても、前述にて開示したＳＲＳ送信方法、ＰＵＳＣＨ送信方法を適用してもよい。前述の方法の組合せおよび／あるいは切替えを適用してもよい。例えば、ＳＲＳ送信ＵＥは、ＰＵＳＣＨに付随するＤＭＲＳまたはＰＴＲＳが割り当てられているシンボルにおいてＳＲＳを送信せず、ＰＵＳＣＨが割り当てられているシンボルにおいてＳＲＳを送信するとしてもよい。このことにより、例えば、ＰＵＳＣＨの基地局における復調特性を確保しつつ、ＳＲＳ送信ＵＥと基地局との間のサウンディングを実行可能となる。前述の動作により、複数シンボルのＳＲＳが連続でないとしてもよい。例えば、ＳＲＳを送信する４シンボルのうち、２シンボル目のＳＲＳが送信されない、としてもよい。このことにより、例えば、設計における複雑性を回避可能となる。
【０３３３】
複数シンボルのＳＲＳと、ＰＵＳＣＨ送信ＵＥからのＰＵＳＣＨの時間および／あるいは周波数リソースにおける衝突において、送信しないＳＲＳシンボル数に上限が設けられてもよい。ＳＲＳ送信ＵＥは、該衝突リソースにおけるＳＲＳ送信シンボルを、該上限の数だけ停止するとしてもよい。例えば、４シンボルのＳＲＳ送信において、ＰＵＳＣＨと衝突する時間および／あるいは周波数リソースにおける、ＳＲＳ送信停止シンボル数の上限を３としてもよい。該リソースにおいて、ＳＲＳ送信ＵＥはＳＲＳを１シンボル分送信してもよい。該リソース外においては、ＳＲＳ送信ＵＥはＳＲＳを４シンボル送信してもよい。このことにより、例えば、ＰＵＳＣＨの送信レートを確保しつつ、ＳＲＳ送信ＵＥと基地局との間のサウンディングを広帯域に実行可能となる。
【０３３４】
他の例として、該衝突において、送信するＳＲＳシンボル数に上限が設けられてもよい。ＳＲＳ送信ＵＥは、該衝突リソースにおけるＳＲＳ送信シンボルを、該上限の数だけ送信するとしてもよい。例えば、４シンボルのＳＲＳ送信において、ＰＵＳＣＨと衝突する時間および／あるいは周波数リソースにおける、ＳＲＳ送信停止シンボル数の上限を１としてもよい。該リソースにおいて、ＳＲＳ送信ＵＥはＳＲＳを１シンボル分送信し、３シンボル分のＳＲＳ送信を停止してもよい。該リソース外においては、ＳＲＳ送信ＵＥはＳＲＳを４シンボル送信してもよい。このことにより、例えば、ＳＲＳ送信ＵＥと基地局との間のサウンディングを広帯域に実行可能としつつ、ＰＵＳＣＨの送信レートを確保可能となる。
【０３３５】
他の例として、ＳＲＳ送信シンボル数そのものに制約が設けられてもよい。例えば、非特許文献１３（TS38.211 v15.0.0）に記載の、ＰＵＳＣＨ送信ＵＥにおけるスロット内の追加ＤＭＲＳの個数を表すパラメータ（DL-DMRS-add-pos）が２以上である場合における、設定可能なＳＲＳシンボル数を１あるいは２としてもよい。基地局はＳＲＳ送信ＵＥに対し、該パラメータの値を通知してもよい。ＳＲＳ送信ＵＥは、該パラメータを用いて、ＳＲＳ送信シンボル数の制約を認識してもよい。ＳＲＳ送信ＵＥは、該制約に違反したＳＲＳ送信シンボル数の通知により、基地局に対してイレギュラー発生を示す情報を通知してもよい。
【０３３６】
他の例として、ＰＵＳＣＨ送信ＵＥにおいて、前述の、スロット内の追加ＤＭＲＳの個数を示すパラメータに制約が設けられてもよい。例えば、ＳＲＳ送信ＵＥにおけるＳＲＳシンボル数が４である場合において、ＰＵＳＣＨ送信ＵＥにおける該パラメータ値を０あるいは１としてもよい。基地局はＰＵＳＣＨ送信ＵＥに対し、ＳＲＳ送信ＵＥにおけるＳＲＳ送信シンボル数を通知してもよい。ＰＵＳＣＨ送信ＵＥは、ＳＲＳ送信シンボル数の通知を用いて、該パラメータ値の制約を認識してもよい。ＰＵＳＣＨ送信ＵＥは、該制約に違反した該パラメータの通知により、基地局に対してイレギュラー発生を示す情報を通知してもよい。
【０３３７】
複数シンボルのＳＲＳ送信に関する動作について、規格で定められてもよいし、基地局が判断してＵＥに通知あるいは報知してもよい。例えば、送信しないＳＲＳシンボル数の上限が規格で決められてもよいし、基地局が判断してＵＥに通知あるいは報知してもよい。送信するＳＲＳシンボル数の上限、ＳＲＳ送信シンボル数そのものについても、同様としてもよい。例えば、基地局は、ＵＥとの間のチャネル状況が悪いことを用いて、送信しないＳＲＳシンボル数の上限を小さくしてもよい。このことにより、例えば、通信システムにおけるＰＵＳＣＨ送信レートを確保しつつ、該チャネル状況の悪化時におけるサウンディングを迅速に実行可能となる。
【０３３８】
前述において、通知方法および／あるいは通知する情報について、ＰＵＳＣＨが割り当てられているシンボルおよび周波数帯域における、ＳＲＳ送信ＵＥのＳＲＳ送信に関する動作に関する通知方法ならびに通知する情報と同様としてもよい。
【０３３９】
他の解決策を開示する。ＳＲＳ送信ＵＥにおけるＳＲＳ送信シンボルが他のタイミングにシフトしてもよい。一部のＳＲＳ送信シンボルがシフトしてもよいし、ＳＲＳ送信シンボル全体がシフトしてもよい。このことにより、例えば、基地局において柔軟なスケジューリングが可能となる。
【０３４０】
ＳＲＳ送信シンボルのシフトは、スロット内で行われてもよい。例えば、ＰＵＳＣＨに付随する参照信号ＤＭＲＳおよび／あるいはＰＴＲＳが割り当てられるシンボルにおいて送信される、ＳＲＳ送信ＵＥが送信するＳＲＳのシンボルをシフトしてもよい。このことにより、例えば、ＳＲＳ送信ＵＥからの広帯域なサウンディングを可能とし、かつ、基地局における該ＰＵＳＣＨの復調特性を向上可能となる。他の例として、ＳＲＳ送信ＵＥとは異なるＵＥが送信するＳＲＳに割り当てられるシンボルに、前述のＳＲＳ送信ＵＥが送信するＳＲＳのシンボルをシフトしてもよい。このことにより、例えば、ＳＲＳ送信ＵＥおよび前述の異なるＵＥから送信されるＳＲＳのシンボル数を集約可能となり、その結果、ＰＵＳＣＨ送信ＵＥからのＰＵＳＣＨ送信レートを向上可能となる。
【０３４１】
ＳＲＳ送信シンボルを、ＰＵＳＣＨの割り当て帯域においてのみシフトしてもよい。このことにより、ＰＵＳＣＨの割り当て帯域外におけるＳＲＳ送信を迅速に実行可能となる。
【０３４２】
他の例として、ＳＲＳ送信シンボルの全体をシフトしてもよい。このことにより、例えば、通信システムにおけるＳＲＳ送受信の制御が容易になる。
【０３４３】
図１９は、ＰＵＳＣＨの割り当て帯域においてのみ、ＳＲＳ送信シンボルをシフトする例について示している。図１９に示す例において、ＰＵＳＣＨとＳＲＳのサブキャリア間隔は同じとする。図１９に示す例において、ＰＵＳＣＨ送信ＵＥは、ＰＵＳＣＨに付随するＤＭＲＳ  １９０１を２および９シンボル目で送信し、また、ＰＵＳＣＨに付随するＰＴＲＳ  １９０２を２つのサブキャリアにおいて毎シンボル送信している。また、図１９に示す例において、ＳＲＳ送信ＵＥは、ＳＲＳを９シンボル目で送信するよう設定されている。
【０３４４】
図１９において、ＳＲＳ送信ＵＥは、９シンボル目において、ＰＵＳＣＨ送信ＵＥのＰＵＳＣＨ  １９０３およびＰＴＲＳ  １９０２が占める周波数帯域において、ＳＲＳを送信せず、該９シンボル目におけるＳＲＳ送信を１３シンボル目にシフトさせてＳＲＳ  １９０５を送信する。該周波数帯域外においては、ＳＲＳ送信ＵＥは９シンボル目においてＳＲＳ  １９０５を送信する。
【０３４５】
図２０は、ＳＲＳ送信シンボル全体をシフトする例について示している。図２０において、各ＵＥの設定は図１９と共通である。図２０において、図１９と共通する信号については同じ図番号を付し、共通する説明を省略する。
【０３４６】
図２０において、ＳＲＳ送信ＵＥは、９シンボル目におけるＳＲＳ送信を１３シンボル目にシフトさせてＳＲＳ  ２００５を送信する。ＰＵＳＣＨ送信ＵＥのＰＵＳＣＨ  １９０３およびＰＴＲＳ  １９０２が占める周波数帯域の外のＳＲＳについても、同様にシフトさせる。
【０３４７】
ＳＲＳ送信シンボルのシフトにおける他の例として、異なるスロットへのシフトが行われてもよい。異なるスロットは、シフト元のスロットに隣接していてもよいし、隣接していなくてもよい。例えば、ＳＲＳ送信ＵＥとは異なるＵＥが送信するＳＲＳに割り当てられるスロットに、前述のＳＲＳ送信ＵＥが送信するＳＲＳのシンボルをシフトしてもよい。このことにより、例えば、ＳＲＳ送信ＵＥおよび前述の異なるＵＥから送信されるＳＲＳのシンボル数を集約可能となり、その結果、ＰＵＳＣＨ送信ＵＥからのＰＵＳＣＨ送信レートを向上可能となる。
【０３４８】
異なるスロットへのＳＲＳ送信シンボルを、ＰＵＳＣＨの割り当て帯域においてのみシフトしてもよい。このことにより、ＰＵＳＣＨの割り当て帯域外におけるＳＲＳ送信を迅速に実行可能となる。
【０３４９】
他の例として、ＳＲＳ送信シンボルの全体をシフトしてもよい。このことにより、例えば、通信システムにおけるＳＲＳ送受信の制御が容易になる。
【０３５０】
図２１は、ＰＵＳＣＨの割り当て帯域においてのみ、ＳＲＳ送信シンボルを異なるスロットにシフトする例について示している。図２１に示す例において、ＳＲＳ送信ＵＥは、ＳＲＳをスロット番号０の９シンボル目で送信するよう設定されている。図２１において、ＰＵＳＣＨ送信ＵＥの設定については図１６と同様である。図２１において、図１９と共通する信号については同じ図番号を付し、共通する説明を省略する。
【０３５１】
図２１において、ＳＲＳ送信ＵＥは、スロット番号０の９シンボル目において、ＰＵＳＣＨ送信ＵＥのＰＵＳＣＨ  １９０３およびＰＴＲＳ  １９０２が占める周波数帯域において、ＳＲＳを送信せず、スロット番号０の９シンボル目におけるＳＲＳ送信をスロット番号１の１３シンボル目にシフトさせてＳＲＳ  ２１０５を送信する。該周波数帯域外においては、ＳＲＳ送信ＵＥはスロット番号０の９シンボル目においてＳＲＳ  ２１０５を送信する。
【０３５２】
図２２は、ＳＲＳ送信シンボル全体を異なるスロットにシフトする例について示している。図２２において、各ＵＥの設定は図２１と共通である。図２１において、図１９と共通する信号については同じ図番号を付し、共通する説明を省略する。
【０３５３】
図２２において、ＳＲＳ送信ＵＥは、スロット番号０の９シンボル目におけるＳＲＳ送信をスロット番号１の１３シンボル目にシフトさせてＳＲＳ  ２２０５を送信する。ＰＵＳＣＨ送信ＵＥのＰＵＳＣＨ  １９０３およびＰＴＲＳ  １９０２が占める周波数帯域の外のＳＲＳについても、同様にスロット番号１にシフトさせる。
【０３５４】
ＳＲＳ送信シンボルのシフトについて、規格で定められてもよいし、基地局が判断してＵＥに通知あるいは報知してもよい。該通知の方法は、ＰＵＳＣＨが割り当てられているシンボルおよび周波数帯域における、ＳＲＳ送信ＵＥのＳＲＳ送信に関する動作に関する通知方法と同様としてもよい。
【０３５５】
ＳＲＳ送信シンボルのシフトに関する、基地局からＵＥに対して通知する情報として、ＰＵＳＣＨが割り当てられているシンボルおよび周波数帯域における、ＳＲＳ送信ＵＥのＳＲＳ送信に関する動作に関して通知する情報として開示した（１）〜（１１）と同様の情報を用いてもよい。
【０３５６】
ＳＲＳ送信シンボルのシフトに関する、基地局からＵＥに対して通知する情報について、例えば、ＳＲＳ送信ＵＥのＳＲＳ送信に関する動作に関して通知する情報として開示した情報の（３）〜（１０）において、シフト前のＳＲＳに関する情報と、シフト後のＳＲＳに関する情報が含まれてもよい。
【０３５７】
ＳＲＳ送信シンボルのシフトに関する、基地局からＵＥに対して通知する情報に、ＳＲＳ送信シンボルのシフトの有無に関する情報が含まれてもよい。このことにより、例えば、ＳＲＳ送信ＵＥはＳＲＳ送信シフトの有無を容易に把握可能となり、その結果、ＳＲＳ送信シフトに関する処理を迅速に実行可能となる。
【０３５８】
ＳＲＳ送信シンボルのシフトは、非周期的ＳＲＳに対して行われてもよいし、セミパーシステントＳＲＳに対して行われてもよいし、周期的ＳＲＳに対して行われてもよい。また、ＳＲＳ送信シンボルのシフトは、ＰＵＳＣＨ送信ＵＥとＳＲＳ送信ＵＥが同じである場合に行われてもよいし、互いに異なる場合について行われてもよい。前述の組合せが適用されてもよい。例えば、ＰＵＳＣＨ送信ＵＥとＳＲＳ送信が異なる場合において、非周期的ＳＲＳのシンボルのシフトが行われてもよい。このことにより、例えば、通信システムにおいてＳＲＳを柔軟に配置可能となる。
【０３５９】
実施の形態１にて開示した方法と、本変形例１にて開示した方法を使い分けてもよい。このことにより、例えば、通信システムにおける柔軟なスケジューリングが可能となる。
【０３６０】
前述の使い分けの例として、ＰＵＳＣＨ送信ＵＥから送信するＰＵＳＣＨに付随するＤＭＲＳおよび／あるいはＰＴＲＳが割り当てられるシンボルにおいて、該ＤＭＲＳおよび／ＰＴＲＳが送信されるとしてもよいし、ＳＲＳ送信ＵＥからＳＲＳが送信されるとしてもよい。例えば、ＳＲＳ送信ＵＥが送信する非周期的ＳＲＳと、ＰＵＳＣＨ送信ＵＥが送信するＰＵＳＣＨに付随するＤＭＲＳあるいはＰＴＲＳとの間で周波数および時間リソースが衝突する場合において、該ＤＭＲＳあるいは該ＰＴＲＳの送信が行われず、非周期的ＳＲＳの送信が行われるとしてもよい。他の例として、ＳＲＳ送信ＵＥが送信する非周期的ＳＲＳの後ろのシンボルにおいて、ＰＵＳＣＨ送信ＵＥに割り当てられたＰＵＳＣＨに付随するＤＭＲＳおよび／あるいはＰＴＲＳを割り当てることが不可能な場合においてＰＵＳＣＨをＳＲＳシンボルあるいはＳＲＳシンボル群の前のみに配置するとしてもよい。他の例として、ＳＲＳ送信ＵＥが送信するセミパーシステントＳＲＳと、ＰＵＳＣＨ送信ＵＥが送信するＰＵＳＣＨに付随するＤＭＲＳあるいはＰＴＲＳとの間で周波数および時間リソースが衝突する場合において、該ＳＲＳ送信ＵＥからのセミパーシステントＳＲＳ送信シンボルがシフトするとしてもよい。前述の動作は、ＳＲＳのユースケースを用いて決められてもよい。
【０３６１】
前述の使い分けは、規格で定められてもよいし、基地局が決定してもよい。基地局は、該使い分けに関する情報を、報知してもよいし、ＵＥ個別に通知してもよい。該通知は、ＲＲＣシグナリングを用いて準静的に行われてもよいし、ＭＡＣシグナリングを用いて動的に行われてもよいし、ＤＣＩを用いて動的に行われてもよい。
【０３６２】
他の例として、基地局およびＵＥがどの方法を用いるかをそれぞれ判断してもよい。判断に用いられる情報は、規格で定められてもよいし、基地局が決定してもよい。基地局は、該使い分けに関する情報を、報知してもよいし、ＵＥ個別に通知してもよい。該通知は、ＲＲＣシグナリングを用いて準静的に行われてもよいし、ＭＡＣシグナリングを用いて動的に行われてもよいし、ＤＣＩを用いて動的に行われてもよい。
【０３６３】
本変形例１により、ＳＲＳ送信ＵＥから送信するＳＲＳと、ＰＵＳＣＨ送信ＵＥから送信するＰＵＳＣＨとが時間および／あるいは周波数リソースにおいて競合する場合においても、ＰＵＳＣＨ送信レートを確保可能となる。また、基地局において柔軟なスケジューリングが可能となり、該ＳＲＳと該ＰＵＳＣＨとの間の干渉を回避可能となる。
【０３６４】
実施の形態１の変形例２．
ＵＥからのＰＵＳＣＨ送信における、上りグラントを含むＰＤＣＣＨ受信からＰＵＳＣＨ送信までの期間は、ＵＥからのＳＲＳ送信における、ＳＲＳ送信指示を含むＰＤＣＣＨ受信からＳＲＳ送信までの期間と異なってもよい。このことにより、基地局より異なるスロットで送信された、上りグラントを含むＰＤＣＣＨとＳＲＳ送信指示を含むＰＤＣＣＨに対して、ＵＥからのＰＵＳＣＨ送信とＳＲＳ送信における時間および周波数リソースが衝突する場合がある。該衝突は、ＰＵＳＣＨ送信ＵＥとＳＲＳ送信ＵＥが同一である場合においても、異なる場合においても、それぞれ発生する。
【０３６５】
前述において、後から送信されたＰＤＣＣＨによるスケジューリングが先に送信されたＰＤＣＣＨによるＳＲＳ送信指示よりも優先されてもよい。前述において、ＰＵＳＣＨ送信ＵＥとＳＲＳ送信ＵＥは同一であってもよいし、異なってもよい。
【０３６６】
図２３は、ＵＥからのＰＵＳＣＨ送信とＳＲＳ送信が同じスロットに割り当てられる場合の動作を示す図である。図２３に示す例において、ＰＵＳＣＨ送信ＵＥとＳＲＳ送信ＵＥが互いに異なる。図２３において、ＰＵＳＣＨ送信ＵＥをＵＥ＃１と称し、ＳＲＳ送信ＵＥをＵＥ＃２と称する。
【０３６７】
図２３に示すスロット＃０において、基地局はＵＥ＃１に対し、ＰＵＳＣＨ  ２５０３をスロット＃２にて送信する旨の上りグラントを含むＰＤＣＣＨ  ２５０１を送信する。ＰＤＣＣＨ  ２５０１には、ＰＵＳＣＨ  ２５０３の送信を２スロット後に割り当てる旨の情報が含まれる。図２３に示すスロット＃１において、基地局はＵＥ＃２に対し、ＳＲＳ  ２５０４をスロット＃２にて送信する旨の指示を含むＰＤＣＣＨ  ２５０２を送信する。ＰＤＣＣＨ  ２５０２には、ＳＲＳの送信を１スロット後に割り当てる旨の情報が含まれる。
【０３６８】
図２３に示すスロット＃２において、ＵＥ＃１はＰＵＳＣＨ  ２５０３を送信し、ＵＥ＃２はＳＲＳ  ２５０４を送信する。スロット＃２の黒点線で囲った時間および周波数リソース２５０５において、ＵＥ＃１のＰＵＳＣＨ送信とＵＥ＃２のＳＲＳ送信が衝突する。前述において、後から送信されたＰＤＣＣＨに含まれる、ＵＥ＃２のＳＲＳ送信  ２５０４の送信が優先される。ＵＥ＃１は、時間および周波数リソース２５０４において、ＰＵＳＣＨ  ２５０３の送信を停止する。
【０３６９】
図２３に示す例においては、ＰＵＳＣＨの上りグラントを含むＰＤＣＣＨが、ＳＲＳ送信指示を含むＰＤＣＣＨよりも先に基地局から送信される場合について示した。これに対し、ＳＲＳ送信指示を含むＰＤＣＣＨが、ＰＵＳＣＨの上りグラントを含むＰＤＣＣＨよりも先に送信される場合においても、前述の方法を適用してもよい。すなわち、スロット＃０において、２スロット後にＵＥ＃２がＳＲＳ送信をする旨の指示を含むＰＤＣＣＨが基地局より送信され、スロット＃１において、１スロット後にＵＥ＃１がＰＵＳＣＨ送信をする旨の上りグラントを含むＰＤＣＣＨが基地局より送信された場合において、スロット＃２における時間および周波数リソース２５０５において、ＵＥ＃１からのＰＵＳＣＨ送信が行われてもよい。時間および周波数リソース２５０５において、ＵＥ＃２はＳＲＳ送信を停止してもよい。
【０３７０】
図２３において、ＰＵＳＣＨ送信ＵＥとＳＲＳ送信ＵＥが異なる例について示したが、同一であってもよい。
【０３７１】
前述において、以下に示す問題が発生する。すなわち、ＰＵＳＣＨとＳＲＳが異なるＵＥから送信される場合において、先にＰＤＣＣＨを受信したＰＵＳＣＨ送信ＵＥは、他のＳＲＳ送信ＵＥに対して後からＰＤＣＣＨが送信されたことを把握できない。その結果、該ＰＵＳＣＨ送信ＵＥは、ＰＵＳＣＨとＳＲＳが衝突する時間および／あるいは周波数リソースにおいて、自ＵＥのＰＵＳＣＨ送信を停止できず、ＳＲＳ送信ＵＥが送信するＳＲＳに干渉を与える。その結果、ＳＲＳ送信ＵＥからのサウンディングを適切に実行できなくなる。
【０３７２】
本変形例２では、前述の問題を解決する方法を開示する。
【０３７３】
基地局は、ＳＲＳ送信ＵＥに対してＳＲＳ送信指示を送信したことを示す情報を、ＰＵＳＣＨ送信ＵＥに通知する。
【０３７４】
該通知には、ＰＵＳＣＨ送信ＵＥに対して個別に送信されるＰＤＣＣＨが用いられてもよいし、グループ共通シグナリングのＰＤＣＣＨが用いてもよい。このことにより、例えば、ＰＵＳＣＨ送信ＵＥが複数である場合におけるシグナリング量を削減可能となる。他の例として、非スロットＰＤＣＣＨ（すなわち、スロット途中で送信されるＰＤＣＣＨ）が用いられてもよい。このことにより、例えば、基地局はＰＵＳＣＨ送信ＵＥに対して該情報を迅速に通知可能となる。他の例として、プリエンプションインディケーション（Preemption Indication：ＰＩ）用のＤＣＩが用いられてもよい。このことにより、例えば、ＵＥは該情報の受信処理を少ない処理量で実行可能となる。
【０３７５】
ＰＵＳＣＨ送信ＵＥは、ＳＲＳ送信ＵＥに対してＳＲＳ送信指示を送信したことを示す情報を受信するとしてもよい。ＰＵＳＣＨ送信ＵＥによる該情報の受信は、例えば、毎スロット受信するとしてもよいし、ＰＵＳＣＨ送信ＵＥがＰＵＳＣＨの上りグラントを含むＰＤＣＣＨを受信してからＰＵＳＣＨを送信するまでのタイミングにおいて受信するとしてもよい。前述の毎スロット受信は、各スロットに含まれる非スロットＰＤＣＣＨを含んでもよい。ＰＵＳＣＨ送信ＵＥがＰＵＳＣＨの上りグラントを含むＰＤＣＣＨを受信してからＰＵＳＣＨを送信するまでのタイミングにおいても、同様としてもよい。例えば、前述のタイミングにおいてＳＲＳ送信ＵＥに対してＳＲＳ送信指示を送信したことを示す情報を受信することにより、ＰＵＳＣＨ送信ＵＥにおいて不要な受信動作を削減可能となり、その結果、消費電力を削減可能となる。
【０３７６】
基地局からＰＵＳＣＨ送信ＵＥに対して送信される該通知に含まれる情報として、以下の（１）〜（５）を開示する。
【０３７７】
（１）ＰＵＳＣＨ送信をグラントされたスロットにて他ＵＥのＳＲＳ送信が行われることを示す情報。
【０３７８】
（２）ＰＵＳＣＨの送信有無および／あるいは送信方法に関する情報。
【０３７９】
（３）ＰＵＳＣＨとＳＲＳとの間で重複した周波数および／あるいは時間リソースに関する情報。
【０３８０】
（４）実施の形態１にて、基地局からＰＵＳＣＨ送信ＵＥに対して動的に通知するＳＲＳ送信リソース候補に関する情報として開示した（１）〜（１２）の情報。
【０３８１】
（５）前述の（１）〜（４）の組合せ。
【０３８２】
前述の（１）は、ＰＵＳＣＨ送信をグラントされた時間および／あるいは周波数リソースにて他ＵＥのＳＲＳ送信が行われることを示す情報であってもよい。このことにより、例えば、ＰＵＳＣＨとＳＲＳが同じスロット、かつ、異なる時間および／あるいは周波数リソースに割り当てられた場合における、ＰＵＳＣＨの不要な送信停止を防止可能となる。その結果、通信システムにおける効率的な運用が可能となる。
【０３８３】
前述の（２）は、例えば、ＰＵＳＣＨ送信有無を示す識別子であってもよい。前述の（２）におけるＰＵＳＣＨの送信方法は、例えば、ＰＵＳＣＨの電力を低減して送信することを示す情報であってもよいし、ＰＵＳＣＨを、ＳＲＳと異なる時間および／あるいは周波数リソースにおいてのみ送信することを示す情報であってもよいし、ＰＵＳＣＨを送信しないことを示す情報であってもよいし、ＰＵＳＣＨをそのまま送信することを示す情報であってもよい。ＰＵＳＣＨの電力低減に関する情報には、例えば、電力低減量が含まれてもよい。このことにより、例えば、通信システムにおける柔軟なスケジューリングが可能となる。
【０３８４】
前述の（３）は、例えば、重複した時間と周波数の両リソースに関する情報であってもよいし、重複したシンボル番号に関する情報であってもよい。前述の（３）により、例えば、ＰＵＳＣＨ送信ＵＥは、ＰＵＳＣＨ送信を回避すべき時間および／あるいは周波数リソースに関する情報を取得可能となり、その結果、ＰＵＳＣＨとＳＲＳとの間の干渉を低減可能となる。
【０３８５】
ＰＵＳＣＨ送信ＵＥは、ＳＲＳと重複する時間および／あるいは周波数リソースにおいて、ＰＵＳＣＨを送信しないとしてもよい。該ＵＥは、ＳＲＳと重複しない時間および／あるいは周波数リソースにおいてＰＵＳＣＨを送信してもよい。このことにより、例えば、ＰＵＳＣＨとＳＲＳとの間の干渉を回避可能としつつ、ＰＵＳＣＨ送信レートを確保可能となる。
【０３８６】
他の例として、ＰＵＳＣＨ送信ＵＥは、ＳＲＳと重複するシンボルにおいて、ＰＵＳＣＨを送信しないとしてもよい。該ＵＥは、ＳＲＳと重複しないシンボルにおいてＰＵＳＣＨを送信してもよい。このことにより、例えば、ＰＵＳＣＨとＳＲＳとの間の干渉回避における複雑性を回避可能となる。
【０３８７】
他の例として、ＰＵＳＣＨ送信ＵＥは、上りグラントにて通知された時間および／あるいは周波数リソース全体において、ＰＵＳＣＨを送信しないとしてもよい。このことにより、例えば、ＰＵＳＣＨとＳＲＳとの間の干渉回避における複雑性をさらに回避可能となる。
【０３８８】
他の解決策を開示する。通信システムにおいて、先に送信されたＰＤＣＣＨによるスケジューリングが優先されてもよい。前述において、ＰＵＳＣＨ送信ＵＥとＳＲＳ送信ＵＥは異なってもよい。このことにより、例えば、基地局におけるスケジューリングを容易に実行可能となる。
【０３８９】
ＳＲＳ送信ＵＥは、ＳＲＳを送らないとしてもよい。基地局はＳＲＳ送信ＵＥに対し、ＳＲＳ送信を指示するＰＤＣＣＨを送らないとしてもよい。他の例として、ＳＲＳ送信ＵＥは、ＰＵＳＣＨと重複する時間および／あるいは周波数リソースにおいてのみＳＲＳを送信しないとしてもよい。基地局はＳＲＳ送信ＵＥに対し、該リソースにおいてＳＲＳを送信しない旨の指示を通知してもよい。該通知は、例えば、ＳＲＳ送信指示が含まれるＰＤＣＣＨに含まれてもよいし、異なるタイミングで通知されてもよい。他の例として、ＳＲＳ送信ＵＥはＳＲＳの送信電力を低減させて送信してもよい。
【０３９０】
基地局からＳＲＳ送信ＵＥに対して送信される該通知に含まれる情報として、以下の（１）〜（５）を開示する。
【０３９１】
（１）ＳＲＳを送信するスロットにて他ＵＥのＰＵＳＣＨ送信が行われることを示す情報。
【０３９２】
（２）ＳＲＳの送信有無および／あるいは送信方法に関する情報。
【０３９３】
（３）ＰＵＳＣＨとＳＲＳとの間で重複した周波数および／あるいは時間リソースに関する情報。
【０３９４】
（４）実施の形態１の変形例１にて、基地局からＳＲＳ送信ＵＥに対して通知する情報として開示した（１）〜（１１）の情報。
【０３９５】
（５）前述の（１）〜（４）の組合せ。
【０３９６】
前述の（１）は、ＳＲＳ送信を指示された時間および／あるいは周波数リソースにて他ＵＥのＰＵＳＣＨ送信が行われることを示す情報であってもよい。このことにより、例えば、ＰＵＳＣＨとＳＲＳが同じスロット、かつ、異なる時間および／あるいは周波数リソースに割り当てられた場合における、ＳＲＳの不要な送信停止を防止可能となる。その結果、通信システムにおける効率的な運用が可能となる。
【０３９７】
前述の（２）は、例えば、ＳＲＳ送信有無を示す識別子であってもよい。前述の（２）におけるＳＲＳの送信方法は、例えば、ＳＲＳの電力を低減して送信することを示す情報であってもよいし、ＳＲＳを、ＰＵＳＣＨと異なる時間および／あるいは周波数リソースにおいてのみ送信することを示す情報であってもよいし、ＳＲＳを送信しないことを示す情報であってもよいし、ＳＲＳをそのまま送信することを示す情報であってもよい。ＳＲＳの電力低減に関する情報、例えば、電力低減量が含まれてもよい。このことにより、例えば、通信システムにおける柔軟なサウンディングが可能となる。
【０３９８】
前述の（３）は、例えば、重複した時間および／あるいは周波数の両リソースに関する情報であってもよいし、重複したシンボル番号に関する情報であってもよい。前述の（３）により、例えば、ＳＲＳ送信ＵＥは、ＳＲＳ送信を回避すべき時間および／あるいは周波数リソースに関する情報を取得可能となり、その結果、ＰＵＳＣＨとＳＲＳとの間の干渉を低減可能となる。
【０３９９】
他の解決策を開示する。本変形例２において、後から送信されるＰＤＣＣＨを優先する動作と、先に送信されるＰＤＣＣＨを優先する動作とを組み合わせてもよい。
【０４００】
例えば、基地局が、どちらのＰＤＣＣＨを優先するかを決めてもよい。基地局は、どちらのＰＤＣＣＨを優先するかの情報をＵＥに通知してもよい。ＵＥは、該情報を用いて、ＰＵＳＣＨおよび／あるいはＳＲＳを送信する、あるいは送信しない、としてもよい。該通知には、例えば、ＲＲＣシグナリングが用いられてもよいし、ＭＡＣシグナリングが用いられてもよいし、Ｌ１／Ｌ２シグナリングが用いられてもよい。
【０４０１】
他の例として、どちらのＰＤＣＣＨを優先するかが規格によって決められてもよい。このことにより、例えば、基地局からＵＥに対する、どちらのＰＤＣＣＨを優先するかの情報を通知不要となり、その結果、基地局からＵＥへのシグナリング量を削減可能となる。
【０４０２】
どちらのＰＤＣＣＨを優先するかの判断に用いられる情報として、ＳＲＳのユースケースが用いられてもよいし、ＳＲＳの種別（例、周期的ＳＲＳ，セミパーシステントＳＲＳ，非周期的ＳＲＳ）が用いられてもよい。
【０４０３】
どちらのＰＤＣＣＨを優先するかの判断に用いられる情報として、ＳＲＳのユースケースが用いられてもよいし、ＳＲＳの種別（例、周期的ＳＲＳ，セミパーシステントＳＲＳ，非周期的ＳＲＳ）が用いられてもよいし、両方が用いられてもよい。
【０４０４】
該情報の他の例として、ＰＵＳＣＨに関する情報が用いられてもよい。例えば、ＰＵＳＣＨにて送信されるユーザデータのサービス（例：ｅＭＢＢ、ＵＲＬＬＣ、ｍＭＴＣ）に関する情報が用いられてもよいし、該ユーザデータの優先度、例えば、ＱＣＩ（QoS Class Identifier）にて定められる優先度の情報が用いられてもよい。このことにより、例えば、ユーザデータの優先度に応じて柔軟なスケジューリングが可能となる。
【０４０５】
本変形例２において開示したＰＤＣＣＨの優先順位付けの方法を、ＰＵＳＣＨ送信ＵＥとＳＲＳ送信ＵＥが同じである場合に適用してもよい。基地局からＵＥに通知する情報は、本変形例２において開示した情報を組み合わせたものであってもよい。
【０４０６】
例えばＰＵＳＣＨ送信ＵＥとＳＲＳ送信ＵＥが同じである場合、同じスロット内で、ＳＲＳリソースとＰＵＳＣＨリソースが衝突してしまう。この場合、規格によって定められる優先順位を適用して良い。優先順位の例はいくつか想定できる。例えば、ＵＥがＳＲＳおよびＰＵＳＣＨ送信用の複数のＰＤＣＣＨを異なるタイミングにおいて受信した場合、最後に送られたＰＤＣＣＨによって設定されたＰＵＳＣＨあるいはＳＲＳのリソースを優先して良い。また、ＳＲＳの種類によって、優先順位を決めても良い。例えば、非周期的ＳＲＳとＰＵＳＣＨリソースが衝突した場合、非周期的ＳＲＳが優先されても良い。基地局が早急に伝送路情報を入手したい場合、非周期的ＳＲＳ送信をＵＥに対して要求するので、非周期的ＳＲＳをＰＵＳＣＨに比べて優先して送信することで、基地局は希望する時間内に、伝送路情報を入手することが可能となる。また、ＳＲＳとＰＵＳＣＨのリソースの一部が重なる場合、重なる部分だけ前述の優先順位を適用して良い。要するに、ＳＲＳあるいはＰＵＳＣＨの一部が送信される。別の例として、ＳＲＳの種類に関わらず、ＰＵＳＣＨに含まれるＤＭＲＳはＳＲＳよりも優先されるような優先順位を規格において設定して良い。
【０４０７】
例えばＰＵＳＣＨ送信ＵＥとＳＲＳ送信ＵＥが同じであり、ＳＲＳとＰＵＳＣＨのリソースの一部が重なる場合、ＳＲＳとＰＵＳＣＨの位置関係に規制は無い。ＳＲＳがＰＵＳＣＨの前に送信されても良いし、ＰＵＳＣＨの後に送信されても良い。ＳＲＳの前後関係はＰＵＳＣＨの中身によって決まる。ＰＵＳＣＨの送信処理に時間が必要であれば、ＳＲＳを先に送信して良い。反対に、ＰＵＳＣＨに含まれるデータを早急に送信する必要がある場合は、ＰＵＳＣＨをスロット内の前方で送り、ＳＲＳの送信を遅らせてよい。
【０４０８】
本変形例２において開示した方法を、ＰＵＳＣＨとＳＲＳのヌメロロジが異なる場合において適用してもよい。このことにより、例えば、ＳＲＳのサブキャリア間隔が大きい場合において、ＳＲＳ送信指示を含むＰＤＣＣＨ受信から、ＳＲＳ送信までの遅延を短縮可能となる。
【０４０９】
ＰＩを用いた場合、基地局からＰＩがＰＵＳＣＨ送信ＵＥあるいはＳＲＳ送信ＵＥに送信され、ＰＩを受信したＵＥが指定された区間を他のＵＥのＳＲＳあるいはＰＵＳＣＨ送信向けに優先させる。指定された区間は時間あるいは周波数リソースにより定義される。具体的には、ＰＩを受信したＵＥが指定区間中、電力を落とし、他のＵＥの送信信号の干渉とならないようにする。なお、指定された区間はシンボル単位で規格により規定されても良いし、動的にＰＩを通じて区間が指定されても良い。なお、規格で区間が規定される場合、Ｘを整数とするとスロット内の最後のＸシンボルのように規定されても良い。また、ＳＲＳあるいはＰＵＳＣＨ送信ＵＥのスロット形式がミニスロットの場合、ＰＩを受信したＵＥは衝突する対象となるミニスロット内の全てのシンボルの送信電力を低減しても良い。送信電力を低減する例として、送信電力をゼロとする場合が考えられる。なお、衝突が回避できた後のミニスロットの送信は通常通り行われる。
【０４１０】
なお、ＳＲＳ送信が優先されるかＰＵＳＣＨ送信が優先されるかは、規格によって決められてよい。例えば、優先順位はＳＲＳの種類やＰＵＳＣＨに含まれるＲＳの種類に基づいて決められて良い。例えば、非周期的ＳＲＳがＰＵＳＣＨよりも常に優先されて送信されて良い。要するに、非周期的ＳＲＳとＰＵＳＣＨが衝突した場合、非周期的ＳＲＳが常に優先され、ＰＵＳＣＨ送信ＵＥにＰＩが基地局から送られる。別の例として、ＳＲＳの種類に関わらず、ＰＵＳＣＨに含まれるＤＭＲＳはＳＲＳよりも優先されるような優先順位を規格において設定して良い。この場合、ＳＲＳ送信ＵＥにＰＩが送信され、ＤＭＲＳと衝突する区間あるいはＳＲＳが送信されるミニスロットの送信電力を低減して良い。なお、衝突が回避できた後のミニスロットの送信は通常通り行われ、送信電力が低減されてリソースの再送信は行われなくて良い。
【０４１１】
なお、ＰＩを受信したＵＥは、ＰＩを受信したスロットあるいはミニスロットからＹを整数としたスロットあるいはミニスロットからＹスロットあるいはＹミニスロット後のスロットあるいはミニスロットの送信電力を低減しても良い。前述の例において、スロットあるいはミニスロット単位で数えた後に送信電力を調整したが、シンボル単位で数えても良い。例えば、ＰＩが含まれるシンボルからＹシンボル後のシンボルを先頭とし、Ｚを整数とするとＺシンボルの送信電力を低減しても良い。
【０４１２】
なお、ＰＩはスロットあるいはミニスロット内の規格にて指定されたシンボルおよび周波数領域に配置されても良い。規定された時間および周波数位置に配置されることで、ＰＩを受信したＵＥは早急にＰＩを解読できる。
【０４１３】
本変形例２において、ＰＵＳＣＨ送信ＵＥへの上りグラントを含むＰＤＣＣＨの後にＳＲＳ送信ＵＥへのＳＲＳ送信指示を含むＰＤＣＣＨが基地局より送信される例について開示した。本変形例２において開示した方法を、ＳＲＳ送信指示を含むＰＤＣＣＨがＰＵＳＣＨの上りグラントを含むＰＤＣＣＨよりも先に送信される場合においても同様に適用してもよい。前述の場合において、本変形例２において開示した方法を、ＳＲＳとＰＵＳＣＨを互いに読み替えて適用してもよい。
【０４１４】
本変形例２によって、ＰＵＳＣＨとＳＲＳとの間の干渉を低減可能となる。また、ＰＵＳＣＨとＳＲＳのサブキャリア間隔が異なる場合においても、ＰＵＳＣＨあるいはＳＲＳを低遅延で送信可能となる。
【０４１５】
実施の形態１の変形例３．
ＰＵＣＣＨ送信ＵＥから送信するＰＵＣＣＨと、ＳＲＳ送信ＵＥから送信するＳＲＳにおいても、実施の形態１から実施の形態の変形例２と同様の問題が生じる。すなわち、該ＰＵＣＣＨと該ＳＲＳに割り当てられる時間および／あるいは周波数リソースにおいて互いに衝突が生じた場合、該ＰＵＣＣＨと該ＳＲＳが互いに干渉して、基地局は該ＰＵＣＣＨおよび該ＳＲＳを正常に受信できなくなる。
【０４１６】
本変形例３では、前述の問題に対する解決策を開示する。
【０４１７】
衝突回避のためのチャネルあるいは信号を設ける。基地局はＳＲＳとＰＵＣＣＨの衝突発生有無を判断する。該判断は、毎スロット行われてもよいし、スケジューリングが発生しないスロットにおいては行われないとしてもよい。
【０４１８】
基地局は、衝突回避のためのチャネルあるいは信号（以下、衝突回避指示、と称する場合がある）をＵＥに対して送信する。前述のＵＥは、ＰＵＣＣＨあるいはＳＲＳの送信を回避させたいＵＥであってもよい。該ＵＥは、ＳＲＳ送信ＵＥであってもよいし、ＰＵＣＨ送信ＵＥであってもよいし、両方であってもよい。
【０４１９】
前述のＵＥは、衝突回避指示を用いて、ＰＵＣＣＨあるいはＳＲＳの送信を停止する。ＰＵＣＣＨは、ロングＰＵＣＣＨ、すなわち、４シンボル以上のＰＵＣＣＨであってもよいし、ショートＰＵＣＣＨ、すなわち、２シンボル以下のＰＵＣＣＨであってもよい。ＰＵＣＣＨあるいはＳＲＳの送信を対象スロットにおいて全部停止してもよいし、一部停止してもよい。一部停止とは、例えば、ＰＵＣＣＨとＳＲＳとの間で衝突が発生するシンボルにおいて送信を停止するとしてもよいし、前述の衝突が発生する時間および／あるいは周波数リソースにおいて送信を停止するとしてもよい。このことにより、例えば、通信システムにおける時間および／あるいは周波数リソースを効率的に利用可能となる。
【０４２０】
衝突回避指示は、例えば、ＵＥ個別に送信するＰＤＣＣＨにＤＣＩとして含まれてもよいし、グループ共通シグナリングのＰＤＣＣＨにて送信されてもよい。他の例として、衝突回避指示は、プリエンプションインディケーションで送信されてもよい。他の例として、衝突回避指示は、ＲＲＣシグナリングで送信されてもよいし、ＭＡＣシグナリングで送信されてもよい。
【０４２１】
図２４は、基地局からの衝突回避指示の通知による、ＳＲＳとＰＵＳＣＨの衝突回避の動作を示した図である。図２４の例は、基地局がＳＲＳ送信ＵＥに対して衝突回避指示を通知し、ＳＲＳ送信ＵＥは図２４に示すスロットにおいてＳＲＳの送信を行わない場合について示す。図２４において、ＰＵＣＣＨとＳＲＳのサブキャリア間隔は同じとする。図２４に示す例において、ＰＵＣＣＨ送信ＵＥはＰＵＣＣＨ  ３００５を１２、１３シンボル目で送信している。また、図２４に示す例において、ＳＲＳ送信ＵＥは、ＳＲＳを１３シンボル目の時間および周波数リソース３００６にて送信するよう設定されている。
【０４２２】
図２４において、基地局はＳＲＳ送信ＵＥに対し、衝突回避指示３００１を通知する。ＳＲＳ送信ＵＥは、衝突回避指示３００１により、１３シンボル目におけるＳＲＳ送信を行わない。このことにより、ＰＵＣＣＨ  ３００５は、ＳＲＳによる干渉を受けない。
【０４２３】
図２５は、基地局からの衝突回避指示の通知による、ＳＲＳとＰＵＣＣＨの衝突回避の動作を示した図である。図２５の例は、基地局がＳＲＳ送信ＵＥに対して衝突回避指示を通知し、ＳＲＳ送信ＵＥは図２５に示すスロットにおいて、ＰＵＣＣＨと衝突する時間および周波数リソースにおいてＳＲＳの送信を行わない場合について示す。図２５において、各ＵＥの設定は図２４と共通である。図２５において、図２４と共通する信号については同じ図番号を付し、共通する説明を省略する。
【０４２４】
図２５において、ＳＲＳ送信ＵＥは、基地局から送信される衝突回避指示３００１によりＳＲＳ  ３１０１を送信する。ＰＵＣＣＨとの衝突が発生する時間および周波数リソースにてＳＲＳの送信は行われない。このことにより、ＰＵＣＣＨ  ３００５は、ＳＲＳによる干渉を受けず、かつ、基地局とＳＲＳ送信ＵＥ間のサウンディングも実行可能となる。
【０４２５】
図２６は、基地局からの衝突回避指示の通知による、ＳＲＳとＰＵＣＣＨの衝突回避の動作における他の例を示した図である。図２６の例は、基地局がＰＵＣＣＨ送信ＵＥに対して衝突回避指示を通知し、ＰＵＣＣＨ送信ＵＥは１３シンボルにおいてロングＰＵＣＣＨの送信を行わない場合について示す。図２６において、ＰＵＣＣＨとＳＲＳのサブキャリア間隔は同じとする。図２６に示す例において、ＰＵＣＣＨ送信ＵＥはロングＰＵＣＣＨを７〜１３シンボル目で送信するよう設定されている。また、図２６に示す例において、ＳＲＳ送信ＵＥは、ＳＲＳを１３シンボル目にて送信するよう設定されている。
【０４２６】
図２６において、基地局はＰＵＣＣＨ送信ＵＥに対し、衝突回避指示３２０１を通知する。ＰＵＣＣＨ送信ＵＥは、衝突回避指示３２０１により、ロングＰＵＣＣＨ  ３２０５を７〜１２シンボル目において行い、１３シンボル目におけるＰＵＣＣＨ送信を行わない。１３シンボル目においては、ＳＲＳ送信ＵＥからＳＲＳ  ３２０６が送信される。このことにより、ロングＰＵＣＣＨ  ３２０５とＳＲＳ  ３２０６は互いに干渉しない。
【０４２７】
本変形例３における衝突回避において、送信優先順位が設けられてもよい。該優先順位は、規格等で静的に決められてもよいし、基地局が決定してもよい。該優先順位は、ＰＵＣＣＨおよびＳＲＳに要求される品質を用いて決められてもよいし、ＰＵＣＣＨおよびＳＲＳの動作種別を用いて決められてもよい。要求される品質とは、例えば、ＱｏＳに関する情報であってもよい。ＰＵＣＣＨおよびＳＲＳの動作種別とは、例えば、周期的ＰＵＣＣＨ、セミパーシステントＰＵＣＣＨ、非周期的ＰＵＣＣＨの種別であってもよいし、周期的ＳＲＳ、セミパーシステントＳＲＳ、非周期的ＳＲＳの種別であってもよい。前述を用いて、例えば、非周期的なＰＵＣＣＨは周期的ＳＲＳあるいはセミパーシステントＳＲＳに優先する、としてもよいし、非周期的なＳＲＳは周期的ＰＵＣＣＨあるいはセミパーシステントＰＵＣＣＨに優先する、としてもよい。他の例として、周期的ＰＵＣＣＨあるいはセミパーシステントＰＵＣＣＨが、周期的ＳＲＳあるいはセミパーシステントＳＲＳに優先するとしてもよいし、逆であってもよい。他の例として、非周期的ＰＵＣＣＨが非周期的ＳＲＳに優先するとしてもよいし、逆であってもよい。
【０４２８】
優先順位を決める他の例として、基地局からの設定タイミングが用いられてもよい。基地局からの設定タイミングを用いて優先順位を決める動作は、例えば、基地局からのＰＤＣＣＨによって送信を指示される非周期的ＰＵＣＣＨおよび／あるいは非周期的ＳＲＳについて適用してもよい。例えば、後に基地局から送信されたＰＤＣＣＨによって送信を指示されるＰＵＣＣＨが、先に基地局から送信されたＰＤＣＣＨによって送信を指示されるＳＲＳより優先してもよい。前述において、ＰＵＣＣＨとＳＲＳは逆であってもよい。このことにより、例えば、通信システムにおけるスケジューリングの設計における複雑性を回避可能となる。
【０４２９】
優先順位を決める他の例として、ＰＵＣＣＨに含まれる送信内容が用いられてもよい。例えば、スケジューリング要求（Scheduling Request：ＳＲ）が含まれるＰＵＣＣＨをＳＲＳより優先するとしてもよいし、ＨＡＲＱフィードバックが含まれるＰＵＣＣＨをＳＲＳより優先するとしてもよいし、ＳＲＳを、周期的ＣＳＩ報告あるいはセミパーシステントＣＳＩ報告より優先するとしてもよい。前述の優先順位は逆であってもよい。このことにより、例えば、基地局はＰＵＣＣＨに含まれる内容に基づき柔軟なスケジューリングを実行可能となる。
【０４３０】
優先順位を決める他の例として、ＳＲＳのユースケースが用いられてもよい。例えば、アンテナ切替え用のＳＲＳがＰＵＣＣＨに優先するとしてもよい。このことにより、例えば、ＵＥは、アンテナ切替えを迅速に実行可能となる。
【０４３１】
優先順位を決める他の例として、ＰＵＣＣＨのシンボル長に関する情報が用いられてもよい。例えば、ＳＲＳを、ロングＰＵＣＣＨ、すなわち、４シンボル以上のＰＵＣＣＨに優先するとしてもよいし、ショートＰＵＣＣＨ、すなわち、２シンボル以下のＰＵＣＣＨを、ＳＲＳより優先するとしてもよい。前述において、ロングＰＵＣＣＨのうち送信されなかったシンボルについては、基地局における誤り訂正により復元されるとしてもよい。このことにより、例えば、ＰＵＣＣＨ送信ＵＥから送信するＰＵＣＣＨの信頼性を確保しつつ、ＳＲＳ送信ＵＥからのＳＲＳ送信によるサウンディングを実行可能となる。その結果、通信システムを効率的に運用可能となる。
【０４３２】
優先順位を決める他の例として、ＳＲＳと衝突するＰＵＣＣＨのシンボルが、ＰＵＣＣＨに付随するＤＭＲＳかどうかが用いられてもよい。例えば、衝突するシンボルが該ＤＭＲＳとなる場合において、該ＤＭＲＳがＳＲＳに優先するとしてもよいし、そうでない場合に、ＳＲＳがＰＵＣＣＨに優先するとしてもよい。前述のＰＵＣＣＨは、例えば、ロングＰＵＣＣＨであってもよい。このことにより、例えば、ロングＰＵＣＣＨの、基地局における復調性能を確保可能となる。
【０４３３】
前述において、追加ＤＭＲＳ（Additional DMRS）であるかどうかの情報が用いられてもよい。例えば、衝突するシンボルが追加ＤＭＲＳでない場合において、ＰＵＣＣＨがＳＲＳに優先してもよいし、衝突するシンボルが追加ＤＭＲＳである場合において、ＳＲＳがＰＵＣＣＨに優先してもよい。前述のＰＵＣＣＨは、例えば、ロングＰＵＣＣＨであってもよい。このことにより、ロングＰＵＣＣＨの、基地局における復調性能を確保しつつ、ＳＲＳ送信ＵＥからのＳＲＳ送信によるサウンディングを実行可能となる。
【０４３４】
ＰＵＣＣＨに付随するＤＭＲＳとＳＲＳのシンボルが衝突する場合において、該ＤＭＲＳのシンボルがシフトしてもよい。該シフトにおいて、例えば、実施の形態１において開示した方法を適用してもよい。他の例として、衝突回避指示に、該ＤＭＲＳのシフトに関する情報が含まれてもよい。該情報には、ＤＭＲＳのシフト後の時間および／あるいは周波数リソースに関する情報が含まれてもよいし、シフト前の時間および／あるいは周波数リソースに関する情報が含まれてもよい。
【０４３５】
基地局は、前述において決定した優先順位を用いて、ＰＵＣＣＨあるいはＳＲＳの送信を回避させたいＵＥに対して衝突回避指示を通知する。ＵＥは、該通知に含まれる指示に従ったＰＵＣＣＨあるいはＳＲＳの送信処理を行う。他の例として、ＵＥは、ＰＵＣＣＨあるいはＳＲＳの送信を停止する。
【０４３６】
衝突回避指示に含まれる内容として、以下の（１）〜（７）を開示する。
【０４３７】
（１）衝突回避方法に関する情報。
【０４３８】
（２）衝突するリソースに関する情報。
【０４３９】
（３）送信タイミングの変更あるいは再設定に関する情報。
【０４４０】
（４）送信周波数リソースの変更あるいは再設定に関する情報。
【０４４１】
（５）送信停止するＳＲＳに関する情報。
【０４４２】
（６）送信停止するＰＵＣＣＨに関する情報。
【０４４３】
（７）前述の（１）〜（６）の組合せ。
【０４４４】
前述の（１）は、例えば、スロットにおけるＰＵＣＣＨあるいはＳＲＳの送信停止であってもよいし、衝突シンボルのみの送信停止であってもよい。前述の（１）は、衝突シンボルのみの送信停止における、レートマッチングに関する情報、例えば、レートマッチングの有無に関する情報であってもよい。
【０４４５】
前述の（１）は、他の例として、送信タイミングを変更あるいは再設定することを示す情報であってもよいし、送信周波数を変更あるいは再設定することを示す情報であってもよいし、前述の両者の組み合わせであってもよい。
【０４４６】
前述の（１）により、例えば、通信システムにおいて、ＰＵＣＣＨとＳＲＳの衝突回避を柔軟に実行可能となる。
【０４４７】
前述の（２）には、例えば、スロット番号に関する情報が含まれてもよい。衝突するシンボルに関する情報、例えば、衝突開始シンボル、衝突シンボル数、衝突終了シンボル、あるいは前述のうち複数の組合せが、前述の（２）に含まれてもよい。衝突するシンボルに関する情報は、例えば、シンボル番号の組み合わせによる情報であってもよい。前述のシンボル番号は、スロット先頭からの絶対的な番号であってもよいし、所定の位置からの相対的な番号であってもよい。他の例として、ビットマップが設けられ、該ビットマップの各ビットと各シンボルが対応付けられてもよい。ビットマップに含まれるビット長は、１４であってもよいし、１４未満であってもよい。該ビット長が１４未満である場合において、例えば、最終ビットがスロットの最終シンボルに対応付けられていてもよい。
【０４４８】
前述の（２）は、他の例として、ＲＢ番号に関する情報であってもよい。ＲＢ番号に関する情報には、例えば、衝突開始シンボル、衝突シンボル数、衝突終了シンボル、あるいは前述のうち複数の組合せが含まれてもよい。他の例として、ＲＢ番号の組み合わせによる情報が用いられてもよい。前述のＲＢ番号は、ＵＥが用いるＢＷＰの最初のＲＢからの絶対的なＲＢ番号であってもよいし、所定の位置からの相対的な番号であってもよい。他の例として、ビットマップが設けられ、該ビットマップの各ビットと各ＲＢが対応付けられてもよい。
【０４４９】
前述の（３）における情報は、変更あるいは再設定後の送信タイミングに関する情報であってもよいし、元の送信タイミングに関する情報を含んでもよい。前述の送信タイミングに関する情報は、前述の（２）と同様としてもよい。
【０４５０】
前述の（４）における情報は、変更あるいは再設定後の送信周波数リソースに関する情報であってもよいし、元の送信周波数リソースに関する情報を含んでもよい。前述の送信タイミングに関する情報は、前述の（２）と同様としてもよい。
【０４５１】
前述の（５）は、衝突回避指示から送信を停止するＳＲＳまでのスロット数を示す情報であってもよいし、ＳＲＳ設定の識別子であってもよい。
【０４５２】
前述の（６）は、衝突回避指示から送信を停止するＰＵＣＣＨまでのスロット数を示す情報であってもよいし、ＰＵＣＣＨ設定の識別子であってもよい。
【０４５３】
他の解決策を開示する。基地局はＰＵＣＣＨ送信ＵＥに対して、配下のＵＥのＳＲＳ設定に関する情報を予め通知してもよいし、報知してもよい。該通知あるいは該報知において、実施の形態１において開示した方法を適用してもよい。このことにより、実施の形態１と同様の効果が得られる。前述において、ＳＲＳとＰＵＣＣＨが逆であってもよい。実施の形態１において開示した方法を、ＳＲＳとＰＵＣＣＨを互いに読み替えて適用してもよい。このことにより、前述と同様の効果が得られる。
【０４５４】
他の解決策を開示する。基地局は、ＳＲＳ送信ＵＥから送信されるＳＲＳと、ＰＵＣＣＨ送信ＵＥが送信するＰＵＣＣＨとの時間および／あるいは周波数リソースが衝突しないように予めスケジューリングする。ＵＥは、ＳＲＳおよび／あるいはＰＵＣＣＨがスケジューリングされたリソースにおいて、特別な動作をしないとしてもよい。ＵＥは、本変形例３にて開示した衝突回避指示を受信しないとしてもよい。このことにより、例えば、ＵＥにおける設計の複雑性を回避可能となる。
【０４５５】
前述において、例えば、基地局は、ＳＲＳを、ＰＵＣＣＨが送信される可能性のある周波数帯域を除いて設定してもよい。他の例として、基地局は、ＰＵＣＣＨの送信周波数設定を、ＢＷＰの端の周波数リソースに設定してもよい。
【０４５６】
ＰＵＣＣＨとＳＲＳとの間の衝突回避においてＳＲＳを停止した場合、基地局において上りチャネル測定ができなくなったり、ビーム管理ができなくなったりする問題が生じる。
【０４５７】
前述の問題に対する解決策を開示する。基地局は、ＰＵＣＣＨとの衝突によりＳＲＳ停止したスロットにおいて、他のＳＲＳをＳＲＳ送信ＵＥに対して設定可能とする。他のＳＲＳとは、例えば、非周期的ＳＲＳであってもよい。前述の設定に関する情報は、例えば、衝突回避指示と同じ下り制御情報（ＤＣＩ）に含まれてもよい。前述の設定に関する情報は、例えば、非周期的ＳＲＳの識別子であってもよい。ＳＲＳ送信ＵＥは該設定を用いて、例えば、送信を停止したＳＲＳに代わって非周期的ＳＲＳを送信してもよい。
【０４５８】
本変形例３によって、ＰＵＣＣＨとＳＲＳの衝突を回避可能となり、その結果、通信システムにおける堅牢性を向上可能となる。
【０４５９】
実施の形態２．
ＵＥは、ＤＬ帯域の全部または一部を使うように、および／あるいは、ＵＬ帯域の全部または一部を使うように、上位レイヤによって設定される。これらの設定された帯域はＢＷＰ（BandWidth Part）と称される。ＢＷＰはサービングセル毎に設定され、設定されたＢＷＰの範囲内で通信が行われる。ＤＬで設定されたＢＷＰをＤＬ−ＢＷＰと称する。ＵＬで設定されたＢＷＰをＵＬ−ＢＷＰと称する。
【０４６０】
ｇＮＢはＵＥに対して、一つまたは複数のＢＷＰの候補を設定する。該設定は上位レイヤシグナリングによって行われる。ｇＮＢはＵＥに対して、ＢＷＰの候補の中から実際に通信を行うＢＷＰを通知する。実際に通信を行うＢＷＰをアクティブＢＷＰと称する。該設定は上位レイヤシグナリングあるいはＬ１／Ｌ２シグナリングあるいはＭＡＣシグナリングによって行われる。
【０４６１】
アクティブＵＬ−ＢＷＰの範囲外の帯域で、ＵＥがＳＲＳを送信するための方法として、メジャメントギャップを用いることが提案されている（参考文献２２（R1-1715277）参照）。メジャメントギャップは異なる周波数のＤＬの受信電力や受信品質を測定するために設定される期間である。このため、メジャメントギャップを用いてＵＬの信号であるＳＲＳをどのように送信するかが問題となる。しかし、この方法についてはなんら開示されていない。したがって、ＵＥはメジャメントギャップを用いてアクティブＢＷＰの範囲外の帯域でＳＲＳを送信できない。
【０４６２】
本実施の形態２では、このような問題を解決するための方法を開示する。
【０４６３】
ｇＮＢはＵＥに対して、メジャメントギャップ期間中に送信するＳＲＳの設定を通知する。メジャメントギャップ期間中に送信するＳＲＳの設定には、ＳＲＳを送信する周波数軸上のリソースを含めてもよいし、ＳＲＳを送信する時間軸上のリソースを含めてもよい。
【０４６４】
メジャメントギャップ期間中に送信するＳＲＳの送信帯域は、アクティブＢＷＰを含まないように設定するとよい。アクティブＢＷＰの範囲外の帯域でＳＲＳを送信可能になる。
【０４６５】
メジャメントギャップ期間中に送信するＳＲＳの送信帯域の他の設定方法として、アクティブＢＷＰを含むように該ＳＲＳ送信帯域を設定してもよい。アクティブＢＷＰの範囲外だけでなく、アクティブＢＷＰを含めて該ＳＲＳ送信帯域を設定することで、アクティブＢＷＰがどこに設定されているかにかかわらず、アクティブＢＷＰの帯域を除くことなくＳＲＳ送信帯域を設定できる。このため、ＳＲＳ送信帯域を容易に設定することができる。
【０４６６】
ＵＥは、メジャメントギャップ期間で、アクティブＢＷＰにおいてＳＲＳを送信しないように設定されてもよい。メジャメントギャップ期間で設定されたＳＲＳ送信帯域のうち、アクティブＢＷＰではＳＲＳを送信しないように設定されてもよい。通常、ＵＥは、アクティブＢＷＰにおいてＳＲＳを別途送信するように設定されている。このため、たとえば、該アクティブＢＷＰにおけるＳＲＳ送信を省くことで、ＵＥが送信するＳＲＳの送信帯域を削減することが可能となる。ＵＥの消費電力を削減可能となる。
【０４６７】
ＵＥは、メジャメントギャップ期間で、アクティブＢＷＰにおいてＳＲＳを送信するように設定されてもよい。メジャメントギャップ期間で設定されたＳＲＳ送信帯域のうち、アクティブＢＷＰでもＳＲＳを送信するように設定されてもよい。アクティブＢＷＰがどこに設定されているかにかかわらず、アクティブＢＷＰの帯域を除くことなくＵＥが送信するＳＲＳの送信帯域を設定できる。このため、ＳＲＳ送信帯域を容易に設定することができる。
【０４６８】
一つのメジャメントギャップに対して複数のＳＲＳの設定を行ってもよい。例えば、一つのメジャメントギャップにおいて、複数のタイミングでＳＲＳが送信されるように設定してもよい。該複数のＳＲＳの設定は、互いに周波数帯域が異なるものであってもよい。このようにすることで、たとえば、１つのメジャメントギャップにおいて広帯域のサウンディングが可能となる。このため、広帯域のサウンディングを迅速に実行可能となる。また、複数のメジャメントギャップを用いてＳＲＳの設定を行ってもよい。複数のメジャメントギャップにおける各メジャメントギャップのＳＲＳの設定は異なっていてもよい。たとえば、メジャメントギャップの期間が短くＵＬの帯域が広い場合においても、複数のメジャメントギャップを用いることで、ＵＬ全帯域でＳＲＳを送信可能となる。
【０４６９】
メジャメントギャップの期間中に送信するＳＲＳの設定において、ＳＲＳの送信帯域は、ＵＥが該ＳＲＳを送信するタイミングと同じタイミングで測定するＤＬの帯域にかかわらず、任意に設定可能とするとよい。
【０４７０】
また、ＳＲＳの設定を行うメジャメントギャップを、異なるバンドのキャリア周波数のＤＬ測定用のメジャメントギャップではなく、同じバンドのキャリア周波数のＤＬ測定用のメジャメントギャップに限定してもよい。ＳＲＳの設定を行うメジャメントギャップを、同じバンドのキャリア周波数のＤＬにおいてキャリア周波数の変更や同じキャリア周波数内の帯域の変更を行って測定するためのメジャメントギャップに限定してもよい。
【０４７１】
また、ＳＲＳの設定を行うメジャメントギャップを、異なるキャリア周波数のＤＬ測定用のメジャメントギャップではなく、同じキャリア周波数のＤＬ測定用のメジャメントギャップに限定してもよい。ＳＲＳの設定を行うメジャメントギャップを、同じキャリア周波数のＤＬにおいて帯域幅の変更や周波数帯域の変更を行って測定するためのメジャメントギャップに限定してもよい。
【０４７２】
このような限定により、ＵＥでの受信周波数と送信周波数を関連付けて構成することが可能となる。このため、ＵＥを容易にかつ安価に作製できる。
【０４７３】
メジャメントギャップ期間中に送信するＳＲＳの設定に関する情報の通知方法を開示する。ｇＮＢはＵＥに対して準静的に、メジャメントギャップ期間中に送信するＳＲＳの設定を行う。たとえば、ＳＲＳのユースケースに応じて該ＳＲＳの設定を行ってもよい。ｇＮＢはＵＥに対して、メジャメントギャップ期間中に送信するＳＲＳの設定に関する情報を準静的に通知する。該通知にＲＲＣシグナリングを用いてもよい。該通知を受信したＵＥは、メジャメントギャップ期間中、ＳＲＳの設定に関する情報を用いてＳＲＳの送信を行う。
【０４７４】
ｇＮＢはＵＥに対して、メジャメントギャップ期間中に送信するＳＲＳの設定の開始、変更、あるいは、終了を通知してもよい。また、該ＳＲＳの設定を開始するまでのオフセット期間を通知してもよい。また、該ＳＲＳの設定開始から終了までの期間を通知してもよい。ＳＲＳの設定開始から終了までの期間をタイマで管理してもよい。該タイマの満了を以て該ＳＲＳの設定終了としてもよい。ＵＥは、該ＳＲＳの設定終了後、メジャメントギャップ期間中にＳＲＳを送信しないとするとよい。また、ＳＲＳの設定開始から終了までを、メジャメントギャップの回数で設定してもよい。ｇＮＢはＵＥに対して、該メジャメントギャップの回数を通知するとよい。
【０４７５】
ｇＮＢはＵＥに対して、所定のメジャメントギャップ期間中のＳＲＳの送信を停止することを通知してもよい。たとえば、ｇＮＢはＵＥに対して、ＳＲＳの送信を停止させたいメジャメントギャップにおいて、該メジャメントギャップに先立って、ＳＲＳの送信を停止することを通知する。ＳＲＳの送信を停止するメジャメントギャップは一つであっても良いし、複数であってもよい。このようにすることで、不要なＳＲＳの送信を低減させることができる。他ＵＥからの送信との干渉を低減させることが可能となる。
【０４７６】
他の通知方法を開示する。ｇＮＢはＵＥに対して、メジャメントギャップ期間中に送信するＳＲＳの設定を、メジャメントギャップ毎に行う。メジャメントギャップ毎に該ＳＲＳの設定が可能となるため、柔軟でタイムリーな設定が可能となる。ｇＮＢはＵＥに対して、メジャメントギャップ期間中に送信するＳＲＳの設定に関する情報を、メジャメントギャップに先立って通知する。該通知をＬ１／Ｌ２シグナリングで通知してもよい。該通知をＤＣＩに含めてＰＤＣＣＨで通知してもよい。迅速な通知が可能となる。
【０４７７】
該通知をＭＡＣシグナリングで通知してもよい。該通知をＭＡＣ  ＣＥに含めて通知してもよい。再送制御が可能となるため信頼性を向上させることができる。該通知をＲＲＣシグナリングで通知してもよい。多くの情報を通知可能となる。たとえばＳＲＳの帯域等の柔軟な設定が可能となる。該通知を受信したＵＥは、メジャメントギャップ期間中、該ＳＲＳの設定に関する情報を用いてＳＲＳの送信を行う。
【０４７８】
ＵＥは、該通知に対する応答を基地局に通知してもよい。該通知をＲＲＣシグナリングで通知するとよい。応答を通知することで、さらに信頼性を向上させることが可能となる。また、該通知をＭＡＣシグナリングで通知してもよい。あるいは、Ｌ１／Ｌ２シグナリングで通知してもよい。迅速な応答が可能となる。
【０４７９】
ｇＮＢはＵＥに対して、メジャメントギャップ期間中に送信するＳＲＳの設定を送らなくてもよい。この場合、該メジャメントギャップ期間でＳＲＳの送信をしないとしてもよい。このようにすることで、ｇＮＢは、ＵＥにＳＲＳを送らせたくないメジャメントギャップで、ＳＲＳを送信させないようにすることが可能となる。
【０４８０】
前述のメジャメントギャップ期間中に送信するＳＲＳの設定方法は組合せて用いてもよい。柔軟なＳＲＳ送信設定が可能となる。
【０４８１】
ＳＲＳの設定に関する情報例として以下の（１）〜（８）を示す。
【０４８２】
（１）ＳＲＳ送信帯域に関する情報。
【０４８３】
（２）ＳＲＳ送信タイミングに関する情報。
【０４８４】
（３）ＳＲＳのｎｕｍｅｒｏｌｏｇｙに関する情報。
【０４８５】
（４）ＳＲＳのシーケンスに関する情報。
【０４８６】
（５）ＳＲＳをアクティブＢＷＰ内で送信するか否かを示す情報。
【０４８７】
（６）ＳＲＳ設定のＩＤ。
【０４８８】
（７）ＳＲＳのポート番号に関する情報。
【０４８９】
（８）（１）から（７）の組合せ。
【０４９０】
（１）について、ＳＲＳ送信帯域に関する情報は、ＳＲＳの送信帯域を特定するための情報である。該情報の例として以下の（１−１）〜（１−５）を示す。
【０４９１】
（１−１）先頭ＰＲＢ番号。
【０４９２】
（１−２）終了ＰＲＢ番号。
【０４９３】
（１−３）ＰＲＢ数。
【０４９４】
（１−４）周波数ホッピング帯域を示す情報。
【０４９５】
（１−５）（１−１）から（１−４）の組合せ。
【０４９６】
（２）について、ＳＲＳ送信タイミングに関する情報は、ＳＲＳの送信タイミングを特定するための情報である。該情報の例として以下の（２−１）〜（２−７）を示す。
【０４９７】
（２−１）スロット番号。
【０４９８】
（２−２）シンボル番号。
【０４９９】
（２−３）スタートスロット番号。オフセットであってもよい。
【０５００】
（２−４）スタートシンボル番号。オフセットであってもよい。
【０５０１】
（２−５）シンボル数。
【０５０２】
（２−６）周期。
【０５０３】
（２−７）（２−１）から（２−６）の組合せ。
【０５０４】
（３）について、ＳＲＳのｎｕｍｅｒｏｌｏｇｙに関する情報は、ＳＲＳのｎｕｍｅｒｏｌｏｇｙを特定するための情報である。該情報の例として以下の（３−１）〜（３−５）を示す。
【０５０５】
（３−１）ＳＣＳ（subcarrier spacing）。
【０５０６】
（３−２）シンボル間隔（symbol duration）。
【０５０７】
（３−３）ｎｕｍｅｒｏｌｏｇｙを特定するＩＤ。
【０５０８】
（３−４）ＳＲＳのｎｕｍｅｒｏｌｏｇｙがアクティブＢＷＰのｎｕｍｅｒｏｌｏｇｙと同じか否かを示す情報。
【０５０９】
（３−５）（３−１）から（３−４）の組合せ。
【０５１０】
（３−３）について、ｎｕｍｅｒｏｌｏｇｙを特定するＩＤは、たとえば、ｎｕｍｅｒｏｌｏｇｙ毎に予め割り振られた番号であってもよい。ｎｕｍｅｒｏｌｏｇｙを特定するＩＤは、規格等で予め静的に決められてもよいし、ＲＲＣシグナリングで準静的にｇＮＢからＵＥに通知されてもよい。ＳＲＳのｎｕｍｅｒｏｌｏｇｙを、ＳＲＳを送信する帯域において設定されているｎｕｍｅｒｏｌｏｇｙと同じに設定しても良い。このようにすることで、ｇＮＢはＵＥに対して、実際の上り送信と同じｎｕｍｅｒｏｌｏｇｙでＳＲＳを送信させることが可能となる。このため、上りサウンディングの精度を向上させることが可能となる。
【０５１１】
（３−４）の情報が、ＳＲＳのｎｕｍｅｒｏｌｏｇｙはアクティブＢＷＰのｎｕｍｅｒｏｌｏｇｙと同じであると設定された場合、ＵＥにおけるｎｕｍｅｒｏｌｏｇｙの切替え時間を短縮可能である。また、この場合、（３−３）のｎｕｍｅｒｏｌｏｇｙを特定するＩＤを省略してもよい。通知が必要な情報量を削減可能である。該情報が、ＳＲＳのｎｕｍｅｒｏｌｏｇｙはアクティブＢＷＰのｎｕｍｅｒｏｌｏｇｙと異なると設定された場合、（３−３）のｎｕｍｅｒｏｌｏｇｙを特定するＩＤを用いて、ＳＲＳを送信する帯域において設定されているｎｕｍｅｒｏｌｏｇｙを設定してもよい。ＳＲＳに用いるｎｕｍｅｒｏｌｏｇｙを柔軟に設定可能となる。
【０５１２】
（４）について、ＳＲＳのシーケンスに関する情報は、ＳＲＳのシーケンスを特定するための情報である。該情報の例として以下の（４−１）〜（４−５）を示す。
【０５１３】
（４−１）ＳＲＳシーケンスＩＤ。
【０５１４】
（４−２）サイクリックシフト。
【０５１５】
（４−３）コーム値。
【０５１６】
（４−４）コームオフセット。
【０５１７】
（４−５）（４−１）から（４−４）の組合せ。
【０５１８】
（５）について、ＳＲＳをアクティブＢＷＰ内で送信するか否かを示す情報は、前述の、ＵＥが、メジャメントギャップ期間で、アクティブＢＷＰにおいてＳＲＳを送信するか否かを設定するための情報である。
【０５１９】
（６）について、ＳＲＳ設定のＩＤは、このＳＲＳ設定を特定するための識別子である。ＳＲＳ設定の識別子は、セル毎の番号として与えられてもよいし、ＵＥ毎あるいはＵＥグループ毎の番号として与えられてもよい。また、ＳＲＳのＩＤとして、ＳＲＳの時間軸方向の送信様態（time domain behavior）を示す情報を含めてもよい。たとえば、該情報として、周期的ＳＲＳかセミパーシステントＳＲＳか非周期的ＳＲＳかを示す情報がある。
【０５２０】
（７）について、ＳＲＳのポート番号に関する情報は、ＳＲＳ送信のためのポート番号を特定するための情報である。
【０５２１】
ＳＲＳの設定に関する情報を組合せて設定してもよい。たとえば、ＳＲＳ送信シンボル毎に異なる送信帯域を設定してもよい。他の例として、ＳＲＳ送信を複数シンボルで行うよう設定し、該複数シンボルの各シンボルで異なる送信帯域を設定してもよい。たとえばこのような複数シンボルのＳＲＳ送信を一つのセットとして設定してもよい。このように、ＳＲＳの設定に関する情報を組合せて設定することで、柔軟で多様なＳＲＳ送信設定を実施可能となる。
【０５２２】
ＳＲＳの送信タイミングは、メジャメントギャップの期間に含まれるように設定されてもよい。ＤＬ測定タイミングに適した設定を行うことが可能となる。また、ＳＲＳの送信タイミングをＤＬ測定タイミングにあわせることで、ＤＬの測定とＳＲＳの送信とのタイミング差を無くす、または、できる限り短くすることが可能となる。ＤＬの測定と、ＵＬのサウンディングを低遅延で行うことが可能となる。ＤＬの測定と、ＵＬのサウンディングを近いタイミングで行うことが可能となるため、該タイミングにおけるＤＬとＵＬとの両方の通信品質が得られる。
【０５２３】
メジャメントギャップのタイミングは、ＳＲＳの送信設定にあわせて設定されてもよい。ＳＲＳ送信が設定されたタイミングを含むようにメジャメントギャップが設定されてもよい。ＵＬサウンディングに適した設定を行うことが可能となる。
【０５２４】
図２７は、本実施の形態２における、メジャメントギャップ期間中のＳＲＳ送信設定の一例を示す図である。図２７は、ＳＲＳ送信の設定を準静的に通知する方法について示している。図２７は、アクティブＢＷＰの範囲外でＳＲＳを送信する場合について示している。横軸は時間を示し、縦軸は周波数を示している。周波数軸方向については、ＵＬの周波数帯域全体を示している。４１０１、４１０６はメジャメントギャップ期間を示す。４１０２、４１０３、４１０４、４１０５、４１０７、４１０８、４１０９、４１１０はＳＲＳの送信が設定されたリソースであり、ＵＥは網掛けのリソースでＳＲＳを送信し、白色のリソースではＳＲＳを送信しない。
【０５２５】
時間軸上の黒色矢印はｇＮＢからＵＥに対するＳＲＳの設定を示す。ｇＮＢはＵＥに対してＳＲＳの設定に関する情報を通知する。該通知は、たとえば、準静的にＲＲＣシグナリングで通知される。ＳＲＳの設定に関する情報には、４１０２、４１０３、４１０４、４１０５のリソース情報が含まれる。また、周期情報をＳＲＳの設定に関する情報に含めてもよい。図２７の例では、４１０２、４１０３、４１０４、４１０５のＳＲＳ設定が周期情報で周期的に行われることを示している。このため、４１０７、４１０８、４１０９、４１１０でＳＲＳが設定される。
【０５２６】
また、ＳＲＳの設定に関する情報に、アクティブＢＷＰ内で送信するか否かを示す情報を含めてもよい。図２７の例では、アクティブＢＷＰ内で送信しないとしている。ＵＥは、メジャメントギャップ期間中、アクティブＢＷＰではＳＲＳを送信しない。
【０５２７】
ＵＥは、受信したＳＲＳ設定情報を用いて、メジャメントギャップ４１０１で、設定されたリソース４１０２、４１０３、４１０４、４１０５でＳＲＳを送信する。ただし、ＵＥはアクティブＢＷＰではＳＲＳを送信しない設定がなされているので、ＳＲＳ送信が設定されたリソース４１０４と４１０５のアクティブＢＷＰの範囲ではＵＥはＳＲＳを送信しない。
【０５２８】
メジャメントギャップ４１０１と次のメジャメントギャップ４１０６との間で、アクティブＵＬ−ＢＷＰの切替えが行われてもよい。白色の矢印で示すように、ｇＮＢはＵＥに対して、アクティブＵＬ−ＢＷＰの切替えを行う。ＵＥはアクティブＢＷＰを切替える。
【０５２９】
ＵＥは、受信したＳＲＳ設定情報を用いて、次のメジャメントギャップ４１０６で、設定されたリソース４１０７、４１０８、４１０９、４１１０でＳＲＳを送信する。ただし、ＵＥはアクティブＢＷＰではＳＲＳを送信しない設定がなされているので、ＳＲＳ送信が設定されたリソース４１０７と４１０８のアクティブＢＷＰの範囲ではＵＥはＳＲＳを送信しない。
【０５３０】
このようにすることで、ＵＥは、アクティブＢＷＰの範囲外でＳＲＳを送信可能となる。
【０５３１】
図２８は、本実施の形態２における、メジャメントギャップ期間中のＳＲＳ送信設定の一例を示す図である。図２８は、ＳＲＳ送信の設定をダイナミックに通知する方法について示している。図２８は、アクティブＢＷＰの範囲外でＳＲＳを送信する場合について示している。４２０１、４２０４はメジャメントギャップ期間を示す。４２０２、４２０３、４２０５、４２０６はＳＲＳの送信が設定されたリソースであり、ＵＥは網掛けのリソースでＳＲＳを送信する。
【０５３２】
時間軸上の黒色矢印はｇＮＢからＵＥに対するＳＲＳの設定を示す。ｇＮＢはＵＥに対してＳＲＳの設定に関する情報を通知する。該通知は、たとえば、ダイナミックにＬ１／Ｌ２シグナリングで通知される。該通知は、メジャメントギャップ毎に、メジャメントギャップの事前に、通知される。メジャメントギャップ毎のＳＲＳ設定を通知することが可能となる。ＳＲＳ設定をメジャメントギャップ毎に変更可能となり、その時に応じてＳＲＳ送信設定を行うことが可能となる。
【０５３３】
メジャメントギャップ４２０１の前で通知するＳＲＳの設定では、ＳＲＳ設定に関する情報に、４２０２、４２０３のリソース情報が含まれる。メジャメントギャップ４２０４の前で通知するＳＲＳの設定では、ＳＲＳ設定に関する情報に、４２０５、４２０６のリソース情報が含まれる。
【０５３４】
ＳＲＳの設定をダイナミックに通知することで、アクティブＢＷＰの設定に応じて、ＳＲＳのリソースの設定を行うことが可能となる。たとえば、アクティブＢＷＰ内でＳＲＳを送信しないようにする場合、ＳＲＳを送信するリソースをアクティブＢＷＰの範囲外で設定するとよい。このように設定することで、ＵＥは、メジャメントギャップ期間中、アクティブＢＷＰでＳＲＳを送信しない。
【０５３５】
ＵＥは、メジャメントギャップ４２０１で、メジャメントギャップ４２０１の事前に設定されたリソース４２０２、４２０３でＳＲＳを送信する。メジャメントギャップ４２０１と次のメジャメントギャップ４２０４との間で、アクティブＵＬ−ＢＷＰの切替えが行われてもよい。白色の矢印で示すように、ｇＮＢはＵＥに対して、アクティブＵＬ−ＢＷＰの切替えを行う。ＵＥはアクティブＢＷＰを切替える。
【０５３６】
ＵＥは、メジャメントギャップ４２０４で、メジャメントギャップ４２０４の事前に設定されたリソース４２０５、４２０６でＳＲＳを送信する。このようにすることで、ＵＥは、アクティブＢＷＰの範囲外でＳＲＳを送信可能となる。また、ｇＮＢはＵＥに対してＳＲＳの設定に関する情報をダイナミックに通知するため、メジャメントギャップ毎にＳＲＳの設定を行うことを可能とする。このため、ｇＮＢはＵＥに対して、サウンディングが必要なタイミングで、適時柔軟にＳＲＳ送信設定を行うことが可能となる。
【０５３７】
ＳＲＳ送信の設定を準静的に行う方法と、ダイナミックに行う方法を組合せてもよい。ｇＮＢはＵＥに対して、ＳＲＳ送信の設定の一部を準静的に行い、その他の部分をダイナミックに行う。ｇＮＢはＵＥに対して、ＳＲＳ送信の設定に関する情報のうち、一部を準静的に通知し、その他の部分をダイナミックに通知する。このようにすることで、ダイナミックに通知する情報を削減できる。
【０５３８】
ｇＮＢはＵＥに対して、メジャメントギャップを用いたＳＲＳ送信設定の候補を通知してもよい。該候補は一つであってもよいし、複数であってもよい。ｇＮＢはＵＥに対して、該候補の内どのＳＲＳ送信設定を用いるかを通知してもよい。これらの通知方法は前述の方法を適用するとよい。たとえば、ＳＲＳ送信設定の候補をＲＲＣシグナリングで通知して、該候補の内どのＳＲＳ送信設定を用いるかをＭＡＣシグナリングで通知する。
【０５３９】
このようにすることで、ＳＲＳ送信設定を柔軟に行えるとともに、ダイナミックに通知する情報量を削減できる。
【０５４０】
ＤＬの測定のためのメジャメントギャップを用いて、ＵＬであるＳＲＳを送信する方法について開示した。他の方法について開示する。アクティブＢＷＰの範囲外でＵＬ信号あるいはＵＬチャネルを送信するための期間を設ける。以降、これをＵＬ送信用ギャップ（UL transmission gap）と称する。ＤＬの測定のためのメジャメントギャップとＵＬ送信用ギャップとを異ならせてもよい。ＵＬ送信用ギャップの期間では、ｇＮＢはＵＥに対してアクティブＵＬ−ＢＷＰでＵＬ送信をスケジューリングしない。ＵＬ送信用ギャップの期間では、ＵＥはアクティブＵＬ−ＢＷＰで送信を行わなくてよい。
【０５４１】
ＵＥがアクティブＢＷＰの範囲外で送信するＵＬ信号は、ＳＲＳであってもよい。ｇＮＢはＵＥに対して、アクティブＢＷＰの範囲外でＳＲＳを送信するためのＵＬ送信用ギャップを設けてもよい。該ＵＬ送信用ギャップの期間でＵＥは、アクティブＢＷＰの範囲外でＳＲＳを送信する。
【０５４２】
ＵＬ送信用ギャップ期間中にＤＬの通信を実施可能としてもよい。また、ＵＬ送信用ギャップ期間中にＤＬの測定を実施可能としてもよい。ｇＮＢはＵＥに対してＵＬ送信用ギャップ期間中にＤＬ送信をスケジューリングしてもよい。ＵＥはＵＬ送信用ギャップ期間中にＤＬの受信をしてもよい。該ＤＬ送信はアクティブＤＬ−ＢＷＰで行われてもよい。ＵＥはアクティブＤＬ−ＢＷＰの受信を行う。
【０５４３】
ｇＮＢはＵＥに対して、アクティブＤＬ−ＢＷＰでＳＲＳ送信設定を通知してもよい。ｇＮＢはＵＥに対して、アクティブＤＬ−ＢＷＰでＵＬ送信用ギャップの期間にＳＲＳ送信設定を通知してもよい。このように、ＵＬ送信用ギャップをＤＬの測定のためのメジャメントギャップと異ならせることで、ｇＮＢはＵＥに対してＵＬ送信用ギャップの期間にＳＲＳ送信設定を通知することが可能となる。さらにダイナミックなＳＲＳ送信設定を実施可能となる。
【０５４４】
ＳＲＳの設定は前述の方法を適用してもよい。
【０５４５】
ＵＬ送信用ギャップの設定方法について開示する。ｇＮＢはＵＥに対して、ＵＬ送信用ギャップに関する情報を通知する。ＵＬ送信用ギャップに関する情報例として以下の（１）〜（５）を示す。
【０５４６】
（１）ギャップの期間。
【０５４７】
（２）ギャップの周期。繰り返し期間であってもよい。
【０５４８】
（３）ギャップのオフセット。
【０５４９】
（４）ギャップの設定の識別子。
【０５５０】
（５）（１）から（４）の組合せ。
【０５５１】
ギャップの期間、周期、オフセットは、各々、無線フレーム単位、サブフレーム単位、スロット単位、ミニスロット単位、あるいは、シンボル単位であってもよい。あるいは、ミリ秒等の時間単位であってもよい。
【０５５２】
また、ｇＮＢはＵＥに対して、ＵＬ送信ギャップの設定の開始、変更、あるいは、終了を通知してもよい。また、該ＵＬ送信ギャップの設定を開始するまでのオフセット期間を通知してもよい。また、該ＵＬ送信ギャップの設定開始から終了までの期間を通知してもよい。ＵＬ送信ギャップの設定開始から終了までの期間をタイマで管理してもよい。該タイマの満了を以て該ＵＬ送信ギャップの設定終了としてもよい。また、ＵＬ送信ギャップの設定開始から終了までを、ＵＬ送信ギャップの回数で設定してもよい。ｇＮＢはＵＥに対して、該ＵＬ送信ギャップの回数を通知するとよい。
【０５５３】
図２９は、ＵＬ送信用ギャップを設けてＳＲＳ送信を設定する例を示す図である。４３０１は送信用ギャップである。ＵＬ送信用ギャップの設定は予めｇＮＢからＵＥに対して通知しておく。
【０５５４】
また、ｇＮＢはＵＥに対して、ＵＬ送信用ギャップの事前に、ＳＲＳの設定を通知する。時間軸上の黒色矢印はｇＮＢからＵＥに対するＳＲＳの設定を示す。ｇＮＢはＵＥに対してＳＲＳの設定に関する情報を通知する。該通知は、たとえば、ダイナミックにＬ１／Ｌ２シグナリングで通知される。４３０２、４３０３はＳＲＳの送信が設定されたリソースであり、ＵＥは網掛けのリソースでＳＲＳを送信する。
【０５５５】
このようにＵＬ送信用ギャップを設けることで、ＤＬの測定のためのメジャメントギャップとは関係なく、上り送信を可能とする。たとえば、ＤＬの測定のためのタイミングとは関係なく、アクティブＵＬ−ＢＷＰの範囲外で上り送信を可能とする。上り送信としてＳＲＳ送信を可能とする。このため、上り送信が必要なタイミングで上り送信を行うことが可能となる。
【０５５６】
図３０は、ＵＬ送信用ギャップを設けてＳＲＳ送信を設定する他の例を示した図である。図３０は、ｇＮＢはＵＥに対して、ＵＬ送信用ギャップ期間にＳＲＳ設定を通知する方法について示している。４４０１はＵＬ送信用ギャップを示す。ＵＬ送信用ギャップの設定は予めｇＮＢからＵＥに対して通知しておく。
【０５５７】
ｇＮＢはＵＥに対して、ＵＬ送信用ギャップ期間中に、ＳＲＳの設定を通知する。時間軸上の黒色矢印はｇＮＢからＵＥに対するＳＲＳの設定を示す。ｇＮＢはＵＥに対してＳＲＳの設定に関する情報を通知する。該通知は、たとえば、ダイナミックにＬ１／Ｌ２シグナリングで通知される。４４０２、４４０３はＳＲＳの送信が設定されたリソースであり、ＵＥは網掛けのリソースでＳＲＳを送信する。
【０５５８】
ＳＲＳの設定はＤＬで行われる。このため、ＵＬ送信用ギャップをＤＬ測定のためのメジャメントギャップと異なる期間に設定することで、ＵＬ送信用ギャップ期間中にｇＮＢはＵＥに対してＳＲＳ設定を通知できる。ｇＮＢはＵＥに対して、サウンディングが必要なタイミングで、より適時柔軟にＳＲＳ送信設定を行うことが可能となる。
【０５５９】
図３１は、ＵＬ送信用ギャップを設けてＳＲＳ送信を設定する具体例を示した図である。図３１は、ＵＬ送信用ギャップ期間中にＳＲＳの設定を通知する方法について示している。横軸は時間を示し、縦軸は周波数を示している。上側の図はＤＬを示し、下側の図はＵＬを示している。上側の図の周波数軸方向については、アクティブＤＬ−ＢＷＰ範囲を示している。下側の図の周波数軸方向については、ＵＬの周波数帯域全体を示している。
【０５６０】
ＵＬのアクティブＵＬ−ＢＷＰによって、４５０９から４５１３の期間および４５１４から４５１６の期間で、ＰＵＳＣＨが送信される。４５１３と４５１４の間にＵＬ送信用ギャップが構成される。ｇＮＢがＵＥに対してＵＬ送信用ギャップの設定を予め通知することで、該ＵＬ送信用ギャップが構成される。ＵＥはＵＬ送信用ギャップでは、アクティブＵＬ−ＢＷＰによるＵＬ送信を行わない。
【０５６１】
ＳＲＳの送信方法について示す。４５０２、４５０４、４５０６、４５０８はＳＲＳの送信が設定されたリソースである。アクティブＵＬ−ＢＷＰ範囲外でＳＲＳ送信を設定する。ＤＬのアクティブＤＬ−ＢＷＰで、ｇＮＢはＵＥに対してＳＲＳ送信の設定に関する情報を通知する。ここでは、Ｌ１／Ｌ２シグナリングで通知することを示している。該情報をＤＣＩに含めてＰＤＣＣＨで通知する。
【０５６２】
ＤＣＩ４５０１にＳＲＳ４５０２の設定に関する情報を含めて通知する。ＤＣＩ４５０３にＳＲＳ４５０４の設定に関する情報を含めて通知する。ＤＣＩ４５０５にＳＲＳ４５０６の設定に関する情報を含めて通知する。ＤＣＩ４５０７にＳＲＳ４５０８の設定に関する情報を含めて通知する。ＵＥは、ｇＮＢから受信したＳＲＳ設定を用いて、ＵＬ送信ギャップ期間中に、アクティブＵＬ−ＢＷＰ範囲外でＳＲＳを送信する。
【０５６３】
このように、ＵＬ送信用ギャップ期間中にアクティブＤＬ−ＢＷＰでＳＲＳ送信設定を通知することで、ｇＮＢはＵＥに対して、サウンディングが必要なタイミングで、より適時柔軟にＳＲＳ送信設定を行うことが可能となる。また、ｇＮＢはＵＥに対して、他のＵＥのＰＵＳＣＨ送信を考慮して、ＳＲＳの送信設定をスケジューリング可能となる。
【０５６４】
ＤＬのみのメジャメントギャップを設けてもよい。該メジャメントギャップ期間でＵＬ信号およびＵＬチャネルの送信を可能とする。該ＵＬ信号およびＵＬチャネルの送信はアクティブＵＬ−ＢＷＰで行われる。ＤＬのみのメジャメントギャップを設けた場合、該メジャメントギャップ期間でＰＵＳＣＨのスケジューリングを行えない、という問題が生じる。この様な問題を解決する方法を開示する。
【０５６５】
ｇＮＢはＵＥに対して、ＤＬのみのメジャメントギャップ期間よりも前に、ＰＵＳＣＨのスケジューリングを実施する。ｇＮＢはＵＥに対して、ＤＬのみのメジャメントギャップ期間中のＰＵＳＣＨのスケジューリングの代わりに、ＤＬのみのメジャメントギャップ期間よりも前に、ＰＵＳＣＨのスケジューリングを実施する。ＵＥは、ＤＬのみのメジャメントギャップ期間よりも前に通知されたＰＵＳＣＨのスケジューリング情報を用いて、ＰＵＳＣＨを送信する。
【０５６６】
該ＰＵＳＣＨのスケジューリング情報を、ｇＮＢはＵＥに対して、ＤＣＩで通知してもよい。ＰＵＳＣＨのスケジューリングを、ＤＬのみのメジャメントギャップ期間の前に、ダイナミックに設定できる。
【０５６７】
他の方法として、該ＰＵＳＣＨのスケジューリング情報を、ｇＮＢはＵＥに対して、ＭＡＣで通知してもよい。再送制御がメジャメントギャップにかからないようにするために、最大再送回数よりも前に、該ＰＵＳＣＨのスケジューリング情報を通知するとよい。このようにすることで、ＵＥでの受信誤りが低減し、誤動作を低減させることが可能となる。
【０５６８】
他の方法として、該ＰＵＳＣＨのスケジューリング情報を、ｇＮＢはＵＥに対して、ＲＲＣシグナリングで通知してもよい。該通知は、ＤＬのみのメジャメントギャップの設定とは別途に行ってもよいし、あるいは、ＤＬのみのメジャメントギャップの設定とあわせて行ってもよい。ＵＥでの受信誤りをさらに低減させることが可能となる。
【０５６９】
ＳＲもしくはＨＡＲＱ−Ａｃｋを送信するためのＰＵＣＣＨ、または、非周期的なＳＲＳ、または、セミパーシステントなＰＵＣＣＨについても、ＰＵＳＣＨと同様に、ｇＮＢはＵＥに対して、ＤＬのみのメジャメントギャップ期間よりも前に、それらの信号あるいはチャネルのスケジューリングを実施してもよい。これにより、ＵＥは、ＤＬのみのメジャメントギャップ期間よりも前に通知されたそれらの信号あるいはチャネルのスケジューリング情報を用いて、それらの信号あるいはチャネルを送信することができる。
【０５７０】
下りのみのメジャメントギャップが設定されている場合、周期的あるいはセミパーシステントスケジューリング、あるいは上りグラント無しによる送信で設定されたＵＬ信号あるいはＵＬチャネルの送信は行ってもよい。
【０５７１】
ＤＬのみのメジャメントギャップの設定方法は、ＵＬ送信用ギャップの設定方法を適用してもよい。ＤＬのみのメジャメントギャップの設定は、ＵＬ送信用ギャップの設定と異なってもよい。それらの設定を各々個別に設定してもよい。個別に設定することで、上り送信はＤＬの測定タイミングに従う必要がなく、ＵＬ送信が必要なタイミングで上り送信を行うことが可能となる。
【０５７２】
図３２は、ＤＬのみのメジャメントギャップの具体例を示す図である。横軸は時間を示し、縦軸は周波数を示している。上側の図はＤＬを示し、下側の図はＵＬを示している。上側の図の周波数軸方向については、アクティブＤＬ−ＢＷＰ範囲を示している。下側の図の周波数軸方向については、ＵＬの周波数帯域全体を示している。アクティブＤＬ−ＢＷＰにおいてＤＬのみのメジャメントギャップが設定される。ｇＮＢがＵＥに対してＤＬのみのメジャメントギャップの設定を予め通知することで、該ＤＬのみのメジャメントギャップが構成される。ＵＥは、ＤＬのみのメジャメントギャップでは、アクティブＤＬ−ＢＷＰによるＤＬ受信を行わない。
【０５７３】
図３２は、ＵＥがアクティブＵＬ−ＢＷＰでＰＵＳＣＨを連続送信するようスケジューリングされる場合を示している。４６０２から４６０９はＰＵＳＣＨを示す。ＤＬのみのメジャメントギャップでｇＮＢはＵＥに対してＵＬスケジューリングを実施することができない。このため、ｇＮＢはＵＥに対して、ＤＬのみのメジャメントギャップ期間よりも前に、ＰＵＳＣＨのスケジューリングを実施する。
【０５７４】
たとえば、ｇＮＢは、ＰＵＳＣＨのスケジューリング情報をＤＣＩ４６０１に含めて、ＵＥに対して通知する。ＤＣＩに複数のスロットのＵＬスケジューリング情報を含めてもよい。ＵＥは、ｇＮＢから受信した該ＰＵＳＣＨのスケジューリング情報を用いて、ＤＬのみのメジャメントギャップ期間でＰＵＳＣＨ４６０４、４６０５、４６０６、４６０７を送信する。
【０５７５】
このようにすることで、ＤＬのみのメジャメントギャップを設けた場合でも、ＤＬのみのメジャメントギャップ期間でＰＵＳＣＨのスケジューリングを行うことが可能となる。このため、ＵＥはＤＬのみのメジャメントギャップ期間中でもＰＵＳＣＨの送信が可能となる。
【０５７６】
ＴＤＤでは、アクティブＤＬ−ＢＷＰが切替わるのにあわせて、アクティブＵＬ−ＢＷＰが切替わる。また、アクティブＵＬ−ＢＷＰが切替わるのにあわせてアクティブＤＬ−ＢＷＰが切替わる。メジャメントギャップを用いて、アクティブＢＷＰ範囲外でＳＲＳを送信する場合、メジャメントギャップで測定するＤＬの中心周波数あるいは周波数帯域にあわせてＳＲＳ送信を行ってもよい。
【０５７７】
このようにすることで、ＤＬで使用が見込まれる中心周波数あるいは周波数帯域で、ＵＬのサウンディングを行うことが可能となる。ＤＬの受信電力や通信品質とＵＬの通信品質との双方に応じて、通信に使用される中心周波数あるいは周波数帯域が設定可能となる。ｇＮＢはＵＥに対して、そのような中心周波数あるいは周波数帯域を設定することができる。ＤＬとＵＬの双方を考慮した設定が可能となる。
【０５７８】
ＤＬのメジャメントギャップで測定するＤＬの中心周波数あるいは周波数帯域と異なる中心周波数あるいは周波数帯域で、ＵＬのＳＲＳ送信を設定する場合、前述のような方法を実施できなくなる。このような問題を解決する方法を開示する。
【０５７９】
複数のメジャメントギャップを設ける。ｇＮＢからＵＥに対して、複数のメジャメントギャップを設ける。複数のメジャメント設定の一部をＤＬ測定用に適用し、他をＵＬ送信用に適用するとよい。ＵＬ送信用のメジャメントギャップ期間でＳＲＳ送信を行ってもよい。ｇＮＢはＵＥに対して、ＵＬ送信用メジャメントギャップを設定して、ＵＬ送信用メジャメントギャップ期間でＳＲＳ送信の設定を行う。
【０５８０】
複数のメジャメントギャップに対して、メジャメントギャップ毎に設定を行うとよい。各メジャメントギャップの設定方法は、前述のＵＬ送信用ギャップの設定方法を適用するとよい。前述のＵＬ送信用ギャップの設定方法は、ＤＬ測定用のメジャメントギャップにもＵＬ送信用のメジャメントギャップにも適用してもよい。
【０５８１】
各メジャメントギャップは時間的に離散的に設定してもよいし、連続に設定してもよい。また、各メジャメントギャップは、ＤＬ測定のタイミングおよび／あるいはＵＬ送信のタイミングにあわせて設定してもよい。たとえば、スロットのフォーマットとして、先頭０から８番目のシンボルがＤＬであり、９から１１番目のシンボルが未知（unknown）であり、１２から１３番目のシンボルがＵＬであるスロットが設定されている場合、その設定にあわせて、先頭０から８番目のシンボルをＤＬ測定用のメジャメントギャップと設定し、１２から１３番目のシンボルをＵＬ送信用のメジャメントギャップと設定してもよい。
【０５８２】
また、該スロットを複数スロット連続して一つのメジャメントギャップとしてもよい。たとえば、連続する１０スロットの各スロットの先頭０から先頭０から８番目のシンボルをＤＬ測定用のメジャメントギャップと設定してもよい。また、連続する１０スロットの１２から１３番目のシンボルをＵＬ送信用のメジャメントギャップと設定してもよい。
【０５８３】
スロット内の未知と設定されたシンボルをＤＬ測定用のメジャメントギャップ、または／かつ、ＵＬ送信用のメジャメントギャップと設定してもよい。
【０５８４】
各メジャメントギャップは時間的に重ならないように設定してもよい。ＵＥは、各メジャメントギャップが時間的に重ならないとして動作する。もし、各メジャメントギャップが時間的に重なった場合、ＵＥは、これらのメジャメントギャップを無効としてもよい。
【０５８５】
他の方法として、もしＵＥが、各メジャメントギャップが重なった設定を受信した場合、ＵＥは重なった部分についてはＤＬ測定を優先してもよい。あるいは、ＵＥは、時間的に重なった設定を受信した場合、重なった部分についてはＵＬ送信を優先してもよい。これらの優先順位は規格等で静的に決めておいてもよいし、ｇＮＢからＵＥに対してＲＲＣシグナリングで準静的に通知してもよい。
【０５８６】
複数のメジャメントギャップを設定する場合、ＤＬ測定用のメジャメントギャップとＵＬ送信用のメジャメントギャップを交互に設定してもよい。
【０５８７】
複数のメジャメントギャップを設定することを開示したが、他の方法として、一つのメジャメントギャップに、ＤＬ測定用区間とＵＬ送信用区間を設けてもよい。各区間の期間を設定するとよい。各区間の設定は、ＵＬ送信用ギャップの設定方法を適用するとよい。
【０５８８】
ｇＮＢがＵＥに対して、あるいはＵＥグループに対して、あるいはセル共通に、予めＤＬの送信タイミングを設定している場合、該ＤＬの送信タイミングで、ＤＬ測定用メジャメントギャップを設けてもよい。同様に、ｇＮＢがＵＥに対して、あるいはＵＥグループに対して、あるいはセル共通に、予めＵＬの送信タイミングを設定している場合、該ＵＬ送信タイミングで、ＵＬ送信用のメジャメントギャップを設けてもよい。また、該ＤＬの送信タイミングで、ＤＬ測定用区間を設けてもよい。また、該ＵＬ送信タイミングで、ＵＬ送信用区間を設けてもよい。
【０５８９】
ＤＬ測定用メジャメントギャップ期間でのＤＬ測定の設定は、ＤＬ測定用メジャメントギャップ期間よりも前に行うとよい。ｇＮＢからＵＥに対して、ＤＬ測定用メジャメントギャップ期間で行うメジャメント設定を予め通知してもよい。このようにすることで、ＵＥは、ＤＬ測定用メジャメントギャップでＤＬの測定を行うことが可能となる。
【０５９０】
ＵＬ送信用メジャメントギャップ期間で送信するＳＲＳ送信の設定は、前述のＳＲＳの設定方法を適用するとよい。このようにすることで、ＵＥは、ＵＬ送信用メジャメントギャップ期間でＳＲＳ送信を行うことが可能となる。
【０５９１】
図３３は、ＴＤＤにおける複数のメジャメントギャップの設定例を示した図である。横軸は時間を示し、縦軸は周波数を示している。周波数軸方向については、ＤＬあるいはＵＬの周波数帯域全体を示している。また、ここでは、アクティブＤＬ−ＢＷＰとアクティブＵＬ−ＢＷＰとが同じ場合を示している。
【０５９２】
図３３では２つのメジャメントギャップを設定している。一つはＤＬ測定用のメジャメントギャップであり、他の一つはＵＬ送信用のメジャメントギャップである。図３３は、ＤＬ測定用のメジャメントギャップとＵＬ送信用のメジャメントギャップとが時間的に離れている場合について示している。
【０５９３】
４７０１はＤＬ測定用のメジャメントギャップであり、４７０４がＵＬ送信用のメジャメントギャップである。これらのメジャメントギャップの設定は予めｇＮＢからＵＥに対して設定される。ＤＬ測定用メジャメントギャップの設定とＵＬ送信用メジャメントギャップの設定は異なっていてもよい。
【０５９４】
ＤＬ測定用メジャメントギャップ４７０１でＤＬ測定が行われる。時間軸上でＤＬ測定用メジャメントギャップ４７０１の前の黒色矢印は、ｇＮＢからＵＥに対するＤＬ測定の設定である。ｇＮＢはＵＥに対して、ＤＬ測定の設定を、ＤＬ測定用メジャメントギャップよりも前で通知する。該通知はたとえばＲＲＣシグナリングで行われてもよい。４７０２、４７０３はＤＬ測定の設定で通知されたＤＬ測定用のリソースを示す。ＵＥはアクティブＤＬ−ＢＷＰの範囲外の４７０２、４７０３でＤＬ測定を行う。
【０５９５】
ＤＬ測定用メジャメントギャップ４７０１とＵＬ送信用メジャメントギャップ４７０４の間で、アクティブＤＬ−ＢＷＰとアクティブＵＬ−ＢＷＰの切替えが行われてもよい。白色の矢印で示すように、ｇＮＢはＵＥに対して、アクティブＤＬ−ＢＷＰとアクティブＵＬ−ＢＷＰの切替えを行う。ＵＥはアクティブＤＬ−ＢＷＰとアクティブＵＬ−ＢＷＰを切替える。
【０５９６】
ＵＬ送信用メジャメントギャップ４７０４でＵＬ送信が行われる。時間軸上でＵＬ送信用メジャメントギャップ４７０４の前の黒色矢印は、ｇＮＢからＵＥに対するＳＲＳの設定である。ｇＮＢはＵＥに対して、ＳＲＳ送信の設定を、ＤＬ測定用メジャメントギャップよりも前で通知する。該通知はたとえばＬ１／Ｌ２シグナリングで行われてもよい。４７０５、４７０６はＳＲＳ送信の設定で通知されたＳＲＳ送信用のリソースを示す。ＵＥはアクティブＵＬ−ＢＷＰの範囲外の４７０５、４７０６でＳＲＳを送信する。
【０５９７】
このように、ＤＬ測定用メジャメントギャップとＵＬ送信用メジャメントギャップとを設定することで、ＴＤＤにおいても、アクティブＢＷＰ範囲外で、ＤＬ測定だけでなく、ＳＲＳの送信を実施可能となる。ＤＬ測定用メジャメントギャップとＵＬ送信用メジャメントギャップを時間的に離して設定することで、たとえば、ＳＲＳの設定をＵＬ送信用メジャメントギャップの直前でダイナミックに行うことが可能となる。
【０５９８】
図３４は、ＴＤＤにおける複数のメジャメントギャップの他の設定例を示した図である。ここでは２つのメジャメントギャップを設定している。一つはＤＬ測定用のメジャメントギャップであり、他の一つはＵＬ送信用のメジャメントギャップである。図３４は、ＤＬ測定用のメジャメントギャップとＵＬ送信用のメジャメントギャップとが時間的に連続な場合について示している。
【０５９９】
４８０１はＤＬ測定用のメジャメントギャップであり、４８０４がＵＬ送信用のメジャメントギャップである。これらのメジャメントギャップの設定は予めｇＮＢからＵＥに対して設定される。
【０６００】
ＤＬ測定用メジャメントギャップ４８０１でＤＬ測定が行われる。時間軸上でＤＬ測定用メジャメントギャップ４８０１の前の黒色矢印は、ｇＮＢからＵＥに対するＤＬ測定およびＳＲＳ送信の設定である。ｇＮＢはＵＥに対して、ＤＬ測定およびＳＲＳ送信の設定を、ＤＬ測定用メジャメントギャップよりも前で通知する。該通知には異なるシグナリングが用いられてもよい。たとえば、ＤＬ測定の設定をＲＲＣシグナリングで行い、ＳＲＳ送信の設定をＬ１／Ｌ２シグナリングで行ってもよい。
【０６０１】
また、ＤＬ測定の設定とＳＲＳ送信の設定に同じシグナリングを用いてもよい。たとえば、ｇＮＢはＵＥに対して、ＤＬ測定の設定とＳＲＳ送信の設定を、同じＲＲＣシグナリングで通知してもよい。このようにすることで、シグナリング量を削減可能となる。
【０６０２】
４８０２、４８０３はＤＬ測定の設定で通知されたＤＬ測定用のリソースを示す。該リソース４８０２、４８０３はＤＬ測定用メジャメントギャップ期間に設定される。４８０５、４８０６はＳＲＳ送信の設定で通知されたＳＲＳ送信用のリソースを示す。該リソース４８０５、４８０６はＵＬ送信用メジャメントギャップ期間に設定される。ＤＬ測定用の設定を受信したＵＥは、アクティブＤＬ−ＢＷＰの範囲外の４８０２、４８０３で、ＤＬ測定を行う。ＳＲＳ送信の設定を受信したＵＥは、アクティブＵＬ−ＢＷＰの範囲外の４８０５、４８０６で、ＳＲＳの送信を行う。
【０６０３】
このように、ＤＬ測定用メジャメントギャップとＵＬ送信用メジャメントギャップを時間的に連続して設定し、たとえば、ＤＬ測定の設定とＳＲＳの設定を一つのシグナリングで通知することで、シグナリング量を削減可能となる。また、ＤＬ測定とＵＬ送信との時間の差異を低減することで、ほぼ時間的に等しいＤＬ測定とＵＬサウンディングを実施可能となる。
【０６０４】
前述のメジャメントギャップ、ＵＬ送信ギャップ、ＤＬ測定用メジャメントギャップ、ＵＥ送信用メジャメントギャップを、データ通信に用いるビームと異なるビームでのＤＬ通信用あるいはＵＬ通信用に用いてもよい。たとえば、ＤＬデータ通信用ビームと異なるビームでのＤＬ測定用にメジャメントギャップを用いてもよい。たとえば、ＵＬデータ通信用ビームと異なるビームでのＵＬ送信用にＵＬ送信ギャップを用いてもよい。データ通信用ビームと異なるビームで、たとえばＤＬ測定やＳＲＳ送信を実施可能となるため、ビーム間のＤＬやＵＬの通信品質を得ることが可能となる。ｇＮＢはより最適なビームを用いてＵＥとの通信を可能とする。
【０６０５】
本実施の形態２で開示したメジャメントギャップの方法によれば、ＵＥは、アクティブＢＷＰ範囲外での送信を実施可能とすることができる。また、ＵＥはアクティブＢＷＰ範囲外でＳＲＳの送信が可能となる。ＵＥがアクティブＢＷＰ範囲外でＳＲＳを送信することで、ｇＮＢはアクティブＢＷＰ範囲外の上り通信品質を評価可能となる。このため、ｇＮＢはＵＥに対して、より適した周波数帯域をＢＷＰとして設定することが可能となる。
【０６０６】
実施の形態３．
アクティブＢＷＰの範囲外でＳＲＳを送信する方法として、ＢＷＰ切替え（BWP switching）を用いてもよい。ｇＮＢがＵＥに対してＢＷＰ切替えを行う。このようにすることで、ＵＥは切替えられたＢＷＰでＳＲＳを送信可能となる。
【０６０７】
しかし、従来のＢＷＰの切替えは、ｇＮＢからＵＥに対して予め設定された最大４つのＢＷＰの間でのみ実施可能となる。このため、ＵＬの周波数帯域において、ＵＥは予め設定されたＢＷＰの範囲外の周波数ではＳＲＳを送信することが不可能となる問題が生じる。ＳＲＳによるＵＬのサウンディングができない周波数が発生してしまうという問題が生じる。本実施の形態３では、このような問題を解決する方法を開示する。
【０６０８】
ｇＮＢはＵＥに対して、ＳＲＳを送信する周波数を、ＢＷＰとして予め設定しておく。ｇＮＢは該ＢＷＰの設定をＵＥに対して通知する。このようにすることで、ＵＥがＳＲＳを送信する周波数でＢＷＰが設定されていることになり、該ＢＷＰに切替えることでＳＲＳを送信することが可能となる。
【０６０９】
他の方法を開示する。ｇＮＢはＵＥに対して、ＵＬ周波数帯域全体を帯域とするＢＷＰを予め設定する。このようにすることで、ＵＥは、該ＢＷＰに切替えることで、ＵＬのどの周波数でもＳＲＳを送信可能となる。
【０６１０】
しかし、このような方法は、ＵＬサウンディング用にＢＷＰを設定するため、たとえば従来のＢＷＰのようにＵＬサウンディング以外の通信に用いることができるＢＷＰ（ＵＬサウンディング以外の通信用ＢＷＰ）の設定可能数を低減させることになる。たとえば、ＵＬの周波数帯域全体が広帯域であり、ＵＥのサポートする周波数帯域が狭帯域である場合、ＵＬサウンディング以外での通信用に多数のＢＷＰの設定が要求される。しかし、該設定可能数を低減させることは、通信可能な周波数帯域を低減させることになり、ｇＮＢとＵＥの間の通信品質を劣化させることにつながる。
【０６１１】
また、ＵＬ周波数帯域に複数のｎｕｍｅｒｏｌｏｇｙが含まれる場合、ｎｕｍｅｒｏｌｏｇｙ毎にＢＷＰを設けることになるため、ＵＬ周波数帯域全体を帯域とするＢＷＰを設定できないことになる。
【０６１２】
このような問題を解決する方法を開示する。ＢＷＰ設定の最大数を増大させる。最大４つという値は、ＵＬサウンディング以外の通信に用いるＢＷＰの個数を考慮して設定されている。このため、ＢＷＰをＵＬサウンディングに用いることも考慮して最大数を増大させるとよい。たとえば、ＵＥのサポートする最低の周波数帯域とＵＬの周波数帯域全体とから、ＵＬの周波数帯域全体をサウンディングするために必要な数を導出し、その値に４を加えた値を最大値としてもよい。
【０６１３】
ＢＷＰ設定の最大数は静的に規格等で決められてもよい。あるいは、ＢＷＰ設定の最大数をｇＮＢがＵＥ毎あるいはＵＥグループ毎に設定してもよい。また、ＵＥはｇＮＢに対してサポート可能なＢＷＰ設定の最大数を通知してもよい。ｇＮＢはＵＥから通知された、サポート可能なＢＷＰ設定の最大値を用いて、該ＵＥに対するＢＷＰの設定を行ってもよい。
【０６１４】
このようにすることで、ＵＬサウンディングに用いるＢＷＰを設定しても、ＵＬサウンディング以外での通信に用いるＢＷＰの設定可能数が低減することはなくなる。このため、ＢＷＰ切替えの柔軟性を保ち、ｇＮＢとＵＥの間の通信品質の劣化を低減することが可能となる。
【０６１５】
しかし、たとえＢＷＰ設定の最大数を増大させたとしても、次のような問題が生じる場合がある。ＳＲＳを送信する周波数をＢＷＰとして予め設定する方法は、ＳＲＳを送信する周波数を変更する都度、該ＳＲＳ送信周波数に合わせてＢＷＰの設定を変更しなければならない。ＵＬサウンディング以外での通信に用いるＢＷＰの設定に変更は無くても、ＵＥに対して設定するＢＷＰの設定を変更しなければならない。このことは、ｇＮＢとＵＥの間で行われるＢＷＰの予めの設定に要するシグナリングの情報量の増大につながる。
【０６１６】
また、ＵＬ周波数帯域全体を帯域とするＢＷＰを設定する方法は、ＵＥがＵＬ周波数帯域全体をサポートする必要が生じるため、ＵＥの消費電力増大、回路構成の複雑化、製造コストの増大につながる。
【０６１７】
このような問題を解決する方法を開示する。
【０６１８】
ＵＬサウンディング用のＢＷＰを設ける。ＳＲＳ送信用のＢＷＰを設けてもよい。以降、ＵＬサウンディング用のＢＷＰを、サウンディングＢＷＰと称する。サウンディングＢＷＰを、ＵＬサウンディング以外の通信に用いるＢＷＰとは別に、設定するとよい。このようにすることで、ｇＮＢは、ＳＲＳを送信する周波数を変更する都度、ＵＬサウンディング以外の通信に用いるＢＷＰの設定についての情報をＵＥに通知しなくてすむ。このため、ｇＮＢからＵＥに対して行うＢＷＰの設定に要するシグナリングの情報量が増大するのを抑えることが可能となる。
【０６１９】
サウンディングＢＷＰとして１つまたは複数のＢＷＰが設定される。ｇＮＢはＵＥに対して１つまたは複数のＢＷＰを設定する。一つまたは複数のサウンディングＢＷＰを組にして設定してもよい。たとえば、サウンディングＢＷＰの設定の一部をサウンディングＢＷＰの組で同じにしてもよい。このような場合、サウンディングＢＷＰの組に共通の設定を、サウンディングＢＷＰ毎の設定と分けて、設定するとよい。サウンディングＢＷＰの組に共通の設定を設けることで、ＵＥにシグナリングが必要な情報量を削減することができる。
【０６２０】
サウンディングＢＷＰの設定をＳＲＳ送信の度に変更してもよい。適宜適切なサウンディングＢＷＰを設定でき、該サウンディングＢＷＰにおいてＳＲＳの送信を行うことが可能となる。
【０６２１】
複数のサウンディングＢＷＰの設定を切替えて用いてもよい。ｇＮＢは、設定した複数のサウンディングＢＷＰの中からどのサウンディングＢＷＰを用いるかを、ＵＥに対して通知する。このようにすることで、ＳＲＳ送信の度にサウンディングＢＷＰの設定を通知する必要が無くなるため、シグナリング量を削減可能となる。
【０６２２】
このように、ＵＥがＳＲＳ送信可能なサウンディングＢＷＰをアクティブサウンディングＢＷＰとしてもよい。
【０６２３】
サウンディングＢＷＰ間で周波数の重複があってもよい。サウンディングの信頼性を向上させることができる。あるいは、サウンディングＢＷＰ間で周波数の重複が無いように設定されてもよい。たとえばＵＬ周波数帯域全体をサウンディング周波数とする場合、より少ないサウンディングＢＷＰの設定ですむため、ＵＥのＳＲＳ送信回数を低減することが可能となる。
【０６２４】
サウンディングＢＷＰ間でＢＷＰの周波数帯域幅は同一であってもよい。ＵＥにおいて、サウンディングＢＷＰの変更毎に帯域幅を変更する必要が無くなるため、制御を簡単にすることができる。あるいは、サウンディングＢＷＰ間でＢＷＰの周波数帯域幅を異ならせてもよい。ＳＲＳ送信に必要な周波数帯域幅を柔軟に設定可能となる。
【０６２５】
サウンディングＢＷＰの範囲内で、ＳＲＳの送信が行われる。ｇＮＢはＵＥに対して、サウンディングＢＷＰの範囲内でＳＲＳ送信の設定を行う。サウンディングＢＷＰの周波数帯域はＳＲＳの送信帯域と同じであってもよい。また、サウンディングＢＷＰの周波数帯域を１回のＳＲＳで送信するよう設定してもよい。このようにすることで、ＳＲＳの送信のためにサウンディングＢＷＰを用いることが可能となる。
【０６２６】
サウンディングＢＷＰでＳＲＳ送信を行うことを開示したが、サウンディング以外の通信用ＢＷＰと同じ機能あるいは一部の機能を、サウンディングＢＷＰに持たせてもよい。たとえば、ＵＥはサウンディングＢＷＰで、ＳＲＳだけでなく、所定のＵＬ信号およびＵＬチャネルを送信可能としてもよい。例えば、ＰＤＳＣＨに対するＨＡＲＱのＡｃｋ／Ｎａｃｋ応答をサウンディングＢＷＰで送信可能とする。このようにすることで、サウンディングＢＷＰの期間が終了するのを待つことなく早期にＨＡＲＱ応答を送信可能となるため、より低遅延の特性を得ることができる。
【０６２７】
サウンディングＢＷＰの設定方法について開示する。サウンディングＢＷＰの設定に関する情報として以下の（１）〜（７）を開示する。
【０６２８】
（１）サウンディングＢＷＰ識別子。
【０６２９】
（２）ＳCＳ（Sub-Carrier Spacing）。
【０６３０】
（３）ＣＰ（Cyclic Prefix）。
【０６３１】
（４）ＰＲＢ数。
【０６３２】
（５）ＰＲＢ番号。
【０６３３】
（６）サウンディングＢＷＰ継続期間。
【０６３４】
（７）（１）から（６）の組合せ。
【０６３５】
（１）は、設定されたサウンディングＢＷＰを特定するための識別子とするとよい。
【０６３６】
（２）については、ＳＣＳの代わりに、シンボル間隔を用いてもよい。あるいは、ｎｕｍｅｒｏｌｏｇｙを特定するための識別子を用いてもよい。
【０６３７】
（３）については、ＣＰの値の代わりに、ＣＰを特定するための識別子を用いてもよい。
【０６３８】
（５）の代わりに、ＢＷＰの最初のＰＲＢの番号を用いてもよい。最も小さいＰＲＢ番号を用いてもよい。（４）のＰＲＢ数と、最初のＰＲＢ番号とを用いることで、ＢＷＰを設定する周波数帯域を特定することが可能となる。
【０６３９】
（６）については、無線フレーム単位、サブフレーム単位、スロット単位、ミニスロット単位、あるいは、シンボル単位であってもよい。あるいは、ミリ秒等の時間単位であってもよい。サウンディングＢＷＰ継続期間をサウンディングＢＷＰ設定時の情報として通知することで、たとえば、サウンディングＢＷＰの切替えの度に継続期間を通知する必要がなくなる。このため、シグナリング量の削減が可能となる。
【０６４０】
ｇＮＢはＵＥに対して、サウンディングＢＷＰ設定に関する情報を通知することで、サウンディングＢＷＰを設定する。ＵＥは、ｇＮＢから通知されたサウンディングＢＷＰに関する情報を用いて、サウンディングＢＷＰを設定する。通知方法として、ＲＲＣシグナリングを用いてもよい。ＵＥ個別に、あるいは、ＵＥグループ毎、あるいはセル毎に、サウンディングＢＷＰに関する情報を通知してもよい。セル毎の通知の場合、サウンディングＢＷＰに関する情報を報知情報に含めて報知してもよい。
【０６４１】
サウンディングＢＷＰ設定を予め規格等で静的に決めておいてもよい。このようにすることで、シグナリング量を削減可能となる。
【０６４２】
ｇＮＢはＵＥに対して、サウンディングＢＷＰに切替えることを通知する。ｇＮＢは、ＵＥに対して設定した一つまたは複数のサウンディングＢＷＰの中から、次に用いるサウンディングＢＷＰを選択することで、切替えを行ってもよい。サウンディング以外の通信用ＢＷＰからサウンディングＢＷＰへの切替えを行ってもよいし、サウンディングＢＷＰ間で切替えを行ってもよい。ｇＮＢはＵＥに対して切替えのための情報を通知する。切替えのための情報を受信したＵＥは、該情報に従ってサウンディングＢＷＰに切替える。切替えのための情報例として以下の（１）〜（６）を示す。
【０６４３】
（１）サウンディングＢＷＰへの切替えであることを示す情報。
【０６４４】
（２）切替え後のサウンディングＢＷＰの識別子。
【０６４５】
（３）サウンディングＢＷＰ開始タイミング。
【０６４６】
（４）サウンディングＢＷＰ継続期間。
【０６４７】
（５）サウンディングＢＷＰ終了タイミング。
【０６４８】
（６）（１）から（５）の組合せ。
【０６４９】
（１）の情報により、ＵＥはサウンディングＢＷＰへの切替えであることを明示的に認識できる。ＵＥはサウンディング以外の通信用ＢＷＰの切替え指示とは異なることを認識できる。このため誤動作の発生を低減できる。
【０６５０】
（２）のサウンディングＢＷＰの識別子は、サウンディング以外の通信用ＢＷＰの識別子と区別しておくよい。このようにした場合、（２）の情報があれば、（１）の情報を省略できる。また、サウンディングＢＷＰの識別子をサウンディング以外の通信用ＢＷＰの識別子と区別しなくてもよい。同系列の識別子を用いてもよい。このようにすることで、識別子をサウンディングＢＷＰにもサウンディング以外の通信用ＢＷＰの識別子にも用いることが可能となるため、用意する識別子の数を削減できる。
【０６５１】
（３）から（５）は、サウンディングＢＷＰ設定期間に関する情報であり、これらは各々、無線フレーム単位、サブフレーム単位、スロット単位、ミニスロット（ノンスロット）単位、あるいは、シンボル単位であってもよい。あるいは、ミリ秒等の時間単位であってもよい。
【０６５２】
切替えのための情報は、ＵＥ個別に、あるいは、ＵＥグループ毎、あるいはセル毎に通知してもよい。セル毎の通知の場合、切替えのための情報を報知情報に含めて報知してもよい。切替えのための情報の通知方法として、ＲＲＣシグナリングを用いてもよい。他の通知方法として、ＭＡＣシグナリングを用いてもよい。通知から切替えまで早期に実施可能となる。
【０６５３】
他の通知方法として、Ｌ１／Ｌ２シグナリングを用いてもよい。切替えのための情報をＤＣＩに含めてＰＤＣＣＨで通知してもよい。たとえばＵＥグループ毎に通知する場合は、グループ共通ＰＤＣＣＨを用いて通知してもよい。Ｌ１／Ｌ２シグナリングを用いることで、通知から切替えまでさらに早期に実施可能となる。
【０６５４】
サウンディングＢＷＰの切替えをミニスロット単位あるいはシンボル単位で行ってもよいことを開示した。このようにすることで、より適時柔軟にサウンディングＢＷＰの切替えおよび該ＢＷＰでのＳＲＳの送信を可能とする。サウンディング以外の通信に用いるアクティブＤＬ−ＢＷＰ、または／かつ、アクティブＵＬ−ＢＷＰの切替えをミニスロット単位あるいはシンボル単位で行ってもよい。このようにすることで、より適時柔軟にＰＤＳＣＨあるいはＰＵＳＣＨの送信を行う周波数帯域を切替えることができる。より通信品質の良好な周波数帯域を細かい時間単位で用いることが可能となる。
【０６５５】
ｇＮＢはサウンディングＢＷＰの切替えのみをＵＥに通知してもよい。ｇＮＢはサウンディングＢＷＰ切替えのための情報のみをＵＥに通知してもよい。サウンディングＢＷＰの切替えのためだけのＤＣＩフォーマットを設けてもよい。そのようなＤＣＩフォーマットがＵＥ個別に設定される場合は、ＵＥは、ＵＥ毎に設定されたＲＮＴＩを用いてＰＤＣＣＨを受信する。ＵＥグループ毎にＤＣＩフォーマットが設定される場合は、ＵＥは、ＵＥグループ毎のＲＮＴＩを用いてＰＤＣＣＨを受信する。セル毎にＤＣＩフォーマットが設定される場合は、ＵＥは、セル毎に設定されたＲＮＴＩを用いてＰＤＣＣＨを受信する。
【０６５６】
サウンディングＢＷＰの切替えのためだけのＤＣＩフォーマットを設けてもよいことを開示した。サウンディング以外の通信用のアクティブＢＷＰの切替えのためだけのＤＣＩフォーマットを設けてもよい。たとえば、サウンディング以外の通信用のＢＷＰでＳＲＳのみを送信させたいような場合、他のチャネルのスケジューリング情報は不要となる。
【０６５７】
このようにすることで、ＤＣＩに他の情報を含める必要が無くなるため、シグナリングの情報量を削減できる。
【０６５８】
サウンディングＢＷＰの切替えに、サウンディング以外の通信用ＢＷＰの切替えに用いるＤＣＩフォーマットを用いてもよい。ＢＷＰの切替えを示す情報を、サウンディング以外の通信用ＢＷＰおよびサウンディングＢＷＰの切替えに適用するとよい。また、ＢＷＰの切替えを示す情報に加えて、サウンディングＢＷＰの識別子あるいはサウンディング以外の通信用ＢＷＰの識別子を示す情報を追加するとよい。
【０６５９】
サウンディングＢＷＰからサウンディング以外の通信用ＢＷＰへの切替えは、アクティブＢＷＰへの切替えを示す情報をＤＣＩに含めてＰＤＣＣＨで通知するとよい。サウンディング以外の通信用ＢＷＰの切替えに用いるＤＣＩフォーマットを用いてもよい。
【０６６０】
他の方法として、サウンディングＢＷＰ設定期間が満了後、直前に設定されていたサウンディング以外の通信用ＢＷＰの設定に戻ることを、予め規格等で静的に決めておいてもよい。サウンディングＢＷＰ切替えに関する情報として、サウンディングＢＷＰ設定期間に関する情報を設定する。サウンディングＢＷＰ切替え情報を受信したＵＥは、サウンディングＢＷＰ設定期間に関する情報に従って、サウンディングＢＷＰ設定期間満了後、直前に設定されていたサウンディング以外の通信用ＢＷＰの設定に戻る。
【０６６１】
サウンディングＢＷＰ設定期間をタイマで管理してもよい。ＵＥは該タイマ満了後、直前に設定されていたサウンディング以外の通信用ＢＷＰの設定に戻る。サウンディングＢＷＰに適した設定期間をタイマで管理することで、ｇＮＢはＵＥに対して、アクティブＢＷＰ範囲外でのＳＲＳの送信を確実に実施させることが可能となる。
【０６６２】
サウンディングＢＷＰ設定期間は予め規格等で静的に決めておいてもよい。該サウンディングＢＷＰ設定期間の情報をサウンディングＢＷＰ切替えに関する情報に含めてＵＥに通知する必要がなくなるため、シグナリングする情報量を削減することができる。
【０６６３】
このようにすることで、ｇＮＢからＵＥに対して、サウンディングＢＷＰからサウンディング以外の通信用ＢＷＰへの切替えを通知する必要がなくなるため、シグナリング量を削減することができる。また、直前に設定されていたサウンディング以外の通信用ＢＷＰの設定に戻るため、サウンディングＢＷＰ設定期間に移行する場合でも、直前の通信品質の状態に戻すことが可能となる。このため、良好な通信品質を保つことができ、無線リンク失敗の発生を低減することができる。
【０６６４】
図３５は、サウンディングＢＷＰを設けた場合の例を示す図である。縦軸はＵＬ周波数帯域を示している。サウンディングＢＷＰとＵＬサウンディング以外の通信に用いるＢＷＰとは別に設定される。ｇＮＢは、サウンディングＢＷＰとＵＬサウンディング以外の通信に用いるＢＷＰとを個別に設定し、その設定をＵＥに対して通知する。該通知はたとえば、ＲＲＣシグナリングを用いるとよい。
【０６６５】
ｇＮＢはＵＥに対して、予め設定したＵＬ周波数でのＳＲＳ送信の設定に応じて、サウンディングＢＷＰの設定を行うとよい。また、ｇＮＢはＵＥに対して、各サウンディングＢＷＰにおけるＳＲＳ送信設定を行ってもよい。これらのＳＲＳ送信設定は実施の形態２で開示した方法を適宜適用してもよい。このようにすることで、ｇＮＢはＵＥに対してサウンディングＢＷＰでＳＲＳの送信を実施させることが可能となる。
【０６６６】
他の方法として、ｇＮＢはＵＥに対して、設定したサウンディングＢＷＰの設定にあわせて、ＳＲＳ送信の設定を行ってもよい。また、ｇＮＢはＵＥに対して、各サウンディングＢＷＰにおけるＳＲＳ送信設定を行うとよい。これらのＳＲＳ送信設定は実施の形態２で開示した方法を適宜適用してもよい。このようにすることで、ｇＮＢはＵＥに対してサウンディングＢＷＰでＳＲＳの送信を実施させることが可能となる。
【０６６７】
他の方法として、ｇＮＢはＵＥに対して、ＵＬ周波数全帯域を含むようにサウンディングＢＷＰを設定してもよい。また、ｇＮＢはＵＥに対して、各サウンディングＢＷＰにおけるＳＲＳ送信設定を行うとよい。これらのＳＲＳ送信設定は実施の形態２で開示した方法を適宜適用してもよい。このようにすることで、ｇＮＢはＵＥに対してＵＬ周波数全帯域においてサウンディングＢＷＰでＳＲＳの送信を実施させることが可能となる。
【０６６８】
他の方法として、ＵＥは、予め設定されたＵＬ周波数でのＳＲＳ送信の設定に応じて、サウンディングＢＷＰへの切替えを行ってもよい。たとえば、切替え先のサウンディングＢＷＰを、ＵＥがＳＲＳ送信の設定にあわせて決定してもよい。
【０６６９】
他の例として、ＳＲＳ送信の設定と、該ＳＲＳの送信に用いるサウンディングＢＷＰとの関係を予め設定しておいてもよい。たとえば、ｇＮＢは予め各ＳＲＳ送信の設定に用いるサウンディングＢＷＰを設定し、ＵＥに対して通知する。ＵＥは該設定に従って切替え先のサウンディングＢＷＰを決定するとよい。該設定の通知にはＲＲＣシグナリングを用いてもよいし、ＭＡＣシグナリングを用いてもよいし、Ｌ１／Ｌ２シグナリングを用いてもよい。また該設定の通知は、ＳＲＳの送信設定、かつ／または、サウンディングＢＷＰの設定とあわせて行ってもよい。このようにすることで、サウンディングＢＷＰの切替え時の通知を不要とすることができる。シグナリング量の低減を可能とする。
【０６７０】
たとえば、ＳＲＳ送信の設定と、該ＳＲＳの送信に用いるサウンディングＢＷＰとの関係を予め規格等で静的に設定しておいてもよい。ｇＮＢからＵＥへの該設定の通知を不要とする。また、ＳＲＳ送信の設定と、該ＳＲＳの送信に用いるサウンディングＢＷＰとの関係として、たとえば、サウンディングＢＷＰとＳＲＳの送信帯域とを同一と設定してもよい。たとえば、切替え先のサウンディングＢＷＰの設定をＵＥが容易に決定することが可能となる。
【０６７１】
ＵＥはＳＲＳ送信後、直前のサウンディング以外の通信用のアクティブＢＷＰに切替えてもよい。ＵＥは、ｇＮＢからのアクティブＢＷＰへの切替えの通知が無くとも、ＳＲＳ送信後、アクティブＢＷＰへの切替えを行う。このようにすることで、シグナリング量を低減することができる。
【０６７２】
図３５では、サウンディング以外の通信に用いるＢＷＰとして、４９０５のＢＷＰ＃１、４９０６のＢＷＰ＃２、４９０７のＢＷＰ＃３、４９０８のＢＷＰ＃４が設定される。
【０６７３】
図３５では、たとえば、ｇＮＢはＵＥに対して、ＵＬ周波数全帯域を含むようにサウンディングＢＷＰを設定する。４９０１はサウンディングＢＷＰ＃１であり、４９０２はサウンディングＢＷＰ＃２であり、４９０３はサウンディングＢＷＰ＃３であり、４９０４はサウンディングＢＷＰ＃４である。サウンディングＢＷＰ＃１から＃４でＵＬ周波数全帯域がカバーされるように、該サウンディングＢＷＰ＃１から＃４が設定される。
【０６７４】
また、ｇＮＢはＵＥに対して、サウンディングＢＷＰ毎に、サウンディングＢＷＰの範囲内でのＳＲＳの送信設定を行う。これにより、ＵＥは、サウンディングＢＷＰでのＳＲＳ送信設定を認識可能となり、ＳＲＳ送信を行うことができる。
【０６７５】
ｇＮＢは、ＵＥに対して設定した４つのサウンディングＢＷＰの中から、次に用いるサウンディングＢＷＰを選択することで、切替えを行う。サウンディング以外の通信用ＢＷＰからサウンディングＢＷＰへの切替えを行ってもよいし、サウンディングＢＷＰ間で切替えを行ってもよい。たとえば、ｇＮＢはＵＥに対して、サウンディング以外の通信のために、ＢＷＰ＃１をアクティブＢＷＰとして設定する。
【０６７６】
このＢＷＰ＃１からサウンディングＢＷＰ＃１に切替える場合を想定する。ｇＮＢはＵＥに対して、切替えのための情報をＤＣＩに含めてＰＤＣＣＨで通知する。切替えのための情報を受信したＵＥは、該情報を用いてサウンディングＢＷＰ＃１に切替える。サウンディングＢＷＰ＃１でＵＥは、予め設定されたＳＲＳ送信の設定を用いてＳＲＳを送信する。
【０６７７】
たとえば、ｇＮＢはＵＥに対して通常の通信を行うため、ｇＮＢはサウンディングＢＷＰ＃１からサウンディング以外の通信用ＢＷＰであるＢＷＰ＃１へ切替える。ここで、切り替え後のＢＷＰは元のＢＷＰ＃１でなくてもよい。たとえば、ｇＮＢはＢＷＰ＃２、ＢＷＰ＃３、または、ＢＷＰ＃４に切り替えてもよい。ｇＮＢはＵＥに対して、サウンディング以外の通信用ＢＷＰへの切替えを示す情報をＤＣＩに含めてＰＤＣＣＨで通知するとよい。
【０６７８】
他の方法として、サウンディングＢＷＰ設定期間が規格で設定されている場合やｇＮＢからＵＥに対して設定されている場合、ＵＥは、サウンディング以外の通信用ＢＷＰであるＢＷＰ＃１の設定に戻すとよい。このようにすることで、サウンディング以外の通信用ＢＷＰに切替えるための情報を削減することが可能となる。
【０６７９】
一つまたは複数のサウンディングＢＷＰの設定を一つの組としてもよい。以降、該組をサウンディングＢＷＰセットと称する。サウンディングＢＷＰの切替えに、サウンディングＢＷＰセットを用いてもよい。サウンディングＢＷＰセット内のサウンディングＢＷＰを連続で切替える設定として、サウンディングＢＷＰセットへの切替えを示す情報を設けてもよい。サウンディングＢＷＰへの切替えを示す情報に含めてもよい。サウンディングＢＷＰセット内で切替えるサウンディングＢＷＰの順番を含めてもよい。
【０６８０】
あるいは、サウンディングＢＷＰの切替え順序を予め規格等で静的に決めておいてもよい。たとえば、サウンディングＢＷＰの識別子の降べきの順、あるいは昇べきの順で切替わることを決めておいてもよい。ｇＮＢからＵＥに通知する情報量が削減される。このようにサウンディングＢＷＰを連続で切替えることで、ＵＬ周波数全帯域でＳＲＳを送信可能となる。ＵＬ周波数全帯域でサウンディング可能となる。
【０６８１】
ＢＷＰ切替えによりＳＲＳを送信する方法について開示した。他の方法を開示する。従来、ＵＥに対して１つのアクティブＢＷＰが設定されていたが、複数のアクティブＢＷＰを設定可能とする。複数のアクティブＤＬ−ＢＷＰを設定可能としてもよい。また、複数のアクティブＵＬ−ＢＷＰを設定可能としてもよい。このようにすることで、ＵＥは複数のアクティブＢＷＰ範囲内でＳＲＳを送信可能となる。このため、ＢＷＰ切替えを行わなくてすむ。
【０６８２】
複数のアクティブＢＷＰを設定した場合のスケジューリング方法について開示する。ＤＬではアクティブＤＬ−ＢＷＰ毎にスケジューリングを行う。ＤＬ信号またはチャネルの送信と、それに対応するスケジューリング情報の送信とは、同じアクティブＤＬ−ＢＷＰを用いて行う。ＵＬ信号またはチャネルの送信用のスケジューリングは、任意のアクティブＤＬ−ＢＷＰで行う。該スケジューリング情報に、スケジューリングが行われるアクティブＵＬ−ＢＷＰの識別子を含めるとよい。ＵＥはアクティブＵＬ−ＢＷＰの識別子を受信することで、どのアクティブＵＬ−ＢＷＰのスケジューリングかを識別可能となる。
【０６８３】
スケジューリングの他の方法として、ＤＬ信号またはチャネルの送信と、それに対応するスケジューリング情報の送信とは、異なるアクティブＤＬ−ＢＷＰを用いて行ってもよい。該スケジューリング情報に、スケジューリングが行われるアクティブＤＬ−ＢＷＰの識別子を含めるとよい。ＵＥはアクティブＤＬ−ＢＷＰの識別子を受信することで、どのアクティブＤＬ−ＢＷＰのスケジューリングかを識別可能となる。
【０６８４】
スケジューリング情報はＤＣＩに含めてＰＤＣＣＨを用いて通知する。ｇＮＢがＵＥに対して予めＢＷＰ設定を行う際に、設定する一つまたは複数のＢＷＰに番号を付けておいてもよい。ＤＬ−ＢＷＰの中で番号を付してもよい。ＵＬ−ＢＷＰの中で番号を付してもよい。スケジューリング情報に含めるアクティブＵＬ−ＢＷＰの識別子として、または、アクティブＤＬ−ＢＷＰの識別子として、該番号を用いてもよい。識別子を用いるよりも少ない情報量でアクティブＢＷＰを示すことができるため、情報量を削減可能となる。
【０６８５】
複数のアクティブＤＬ−ＢＷＰのうち、一つのアクティブＤＬ−ＢＷＰでスケジューリングが行われるとしてもよい。ｇＮＢはＵＥに対して一つのアクティブＤＬ−ＢＷＰでスケジューリングを行う。以降、該一つのアクティブＤＬ−ＢＷＰをプライマリアクティブＤＬ−ＢＷＰと称する。このようにすることで、ＵＥは、全てのアクティブＤＬ−ＢＷＰでスケジューリング情報を受信する必要が無くなる。このため、ＵＥの消費電力を低減可能となる。
【０６８６】
複数のアクティブＢＷＰは、予め設定された複数のＢＷＰ設定の中から設定される。ｇＮＢはＵＥに対して、予め設定した複数のＢＷＰ設定から、複数のアクティブＢＷＰを選択してＵＥに通知する。選択した複数のアクティブＢＷＰを示す情報として、各ＢＷＰの識別子を用いるとよい。
【０６８７】
該通知には、従来のアクティブＢＷＰの通知と同様に、Ｌ１／Ｌ２シグナリングを用いてもよい。ＤＣＩに複数のアクティブＢＷＰの情報を含めてＰＤＣＣＨを用いて通知する。あるいは、アクティブＢＷＰを通知する他の方法として、ＭＡＣシグナリングを用いてもよい。ＵＥでの受信誤り率を低減させることが可能となるため、誤動作を低減できる。
【０６８８】
任意のアクティブＤＬ−ＢＷＰでスケジューリングが行われる場合、ＵＥは、受信したアクティブＤＬ−ＢＷＰの情報に従って、該アクティブＤＬ−ＢＷＰのスケジューリング情報をモニタする。このようにすることで、ＵＥはアクティブＤＬ−ＢＷＰでの受信およびアクティブＵＬ−ＢＷＰでの送信が可能となる。
【０６８９】
一つのアクティブＤＬ−ＢＷＰでスケジューリングを行う方法の場合、ｇＮＢはＵＥに対して、スケジューリングを行うアクティブＤＬ−ＢＷＰの情報を通知するとよい。ＵＥは、スケジューリングを行う該アクティブＤＬ−ＢＷＰのスケジューリング情報をモニタする。スケジューリングを行うアクティブＤＬ−ＢＷＰの情報は、アクティブＢＷＰの情報とともに、ＵＥに通知されてもよい。このようにすることで、一つのアクティブＤＬ−ＢＷＰでスケジューリングを行うことが可能となる。
【０６９０】
ＰＲＡＣＨまたはＰＵＣＣＨを一つのアクティブＵＬ−ＢＷＰで送信するようにしてもよい。ｇＮＢはＵＥに対して、該アクティブＵＬ−ＢＷＰの情報を通知するとよい。該情報は、アクティブＢＷＰの情報とともに、ＵＥに通知されてもよい。このようにすることで、一つのアクティブＵＬ−ＢＷＰでＰＲＡＣＨまたはＰＵＣＣＨを送信することが可能となる。
【０６９１】
ＳＲＳの送信を複数のアクティブＵＬ−ＢＷＰで行ってもよい。ＵＥは複数のアクティブＵＬ−ＢＷＰの範囲内でＳＲＳを送信可能となる。ｇＮＢはＵＥに対して、アクティブＵＬ−ＢＷＰ毎のＳＲＳの設定を行う。または、ＵＬ周波数帯域全体に対するＳＲＳの設定を行ってもよい。ＵＬ周波数帯域全体に対するＳＲＳの設定を行った場合、アクティブＵＬ−ＢＷＰの範囲内のＳＲＳの設定のみを送信可能とするとよい。ＳＲＳの設定は、実施の形態２で開示したＳＲＳの設定を適用するとよい。ｇＮＢはＵＥに対してＳＲＳの設定に関する情報を通知する。
【０６９２】
ｇＮＢからアクティブＵＬ−ＢＷＰ毎のＳＲＳの設定情報を受信したＵＥは、該ＳＲＳの設定情報を用いて、対応するアクティブＵＬ−ＢＷＰでＳＲＳの送信を行う。非周期的なＳＲＳ送信の設定の場合、ＳＲＳを送信するスロットを特定するための情報をＬ１／Ｌ２シグナリングで通知するとよい。該情報は、スロット番号であってもよいし、または、受信したスロットからのオフセット値であってもよい。該オフセット値はスロット単位とするとよい。該情報の通知は、任意のアクティブＤＬ−ＢＷＰで行ってもよいし、プライマリアクティブＤＬ−ＢＷＰで行ってもよい。
【０６９３】
複数のアクティブＵＬ−ＢＷＰで同時にＳＲＳを送信しないようにしてもよい。ＳＲＳの送信タイミングをアクティブＵＬ−ＢＷＰ間で異ならせるよう設定するとよい。ＵＥは複数のアクティブＵＬ−ＢＷＰで同時にＳＲＳを送信しない。たとえば、各アクティブＵＬ−ＢＷＰでのＳＲＳの設定において、ＳＲＳを送信するシンボルを異ならせてもよい。ＳＲＳの送信タイミングがアクティブＵＬ−ＢＷＰ間で異なることになるため、ＵＥは複数のアクティブＵＬ−ＢＷＰで同時にＳＲＳを送信しないことになる。
【０６９４】
このようにすることで、ＵＥからの送信を低歪で行うことが可能となる。また、消費電力を低減可能となる。
【０６９５】
複数のアクティブＵＬ−ＢＷＰの内の一部のアクティブＵＬ−ＢＷＰでＳＲＳを送信し、他のアクティブＵＬ−ＢＷＰで他のＵＬ信号またはＵＬチャネルを送信するようにしてもよい。ＵＥは、ＳＲＳの送信と、他のＵＬ信号あるいはＵＬチャネルの送信とを、同じアクティブＵＬ−ＢＷＰで行わない。制御が簡易になるため誤動作の発生を低減できる。
【０６９６】
複数のアクティブＵＬ−ＢＷＰで同時にＳＲＳの送信と他のＵＬチャネルあるいはＵＬ信号とを送信しないようにしてもよい。ＵＥは、複数のアクティブＵＬ−ＢＷＰで、ＳＲＳの送信と、他のＵＬチャネルあるいはＵＬ信号の送信とを、行わない。ＵＥからの送信を低歪で行うことが可能となる。また、消費電力を低減可能となる。
【０６９７】
複数のアクティブＢＷＰの周波数範囲に重複が有る場合、アクティブＢＷＰ毎に優先順位を設けてもよい。該優先順位は予め規格等で静的に決めてもよい。ｇＮＢとＵＥとが優先順位を共通に認識可能となる。また、該優先順位を、ｇＮＢからＵＥに対して通知してもよい。該優先順位を、ＵＥ個別に通知してもよいし、ＵＥグループ毎に通知してもよい。あるいは、該優先順位をセル毎に通知してもよい。該優先順位を、ＲＲＣシグナリングを用いて通知してもよいし、ＭＡＣシグナリングを用いて通知してもよい。あるいは、該優先順位をＬ１／Ｌ２シグナリングを用いて通知してもよい。セル毎の通知の場合、該優先順位を報知情報に含めて報知してもよい。
【０６９８】
このようにすることで、ＤＬにおいては、ＵＥは、どのアクティブＤＬ−ＢＷＰのスケジューリング情報を優先してモニタすればよいかを認識可能となる。たとえば、アクティブＤＬ−ＢＷＰ間でスケジューリング情報がマッピングされるリソースが重複した場合に有効となる。
【０６９９】
またＵＬにおいては、ＵＥは、どのアクティブＵＬ−ＢＷＰでＵＬ信号あるいはＵＬチャネルの送信を優先して行えばよいかを認識可能となる。たとえば、アクティブＵＬ−ＢＷＰ間でＵＬ信号あるいはＵＬチャネルの送信タイミングおよび周波数が重複した場合に有効となる。
【０７００】
本実施の形態３で開示した方法によれば、ＵＬ周波数帯域でのＳＲＳの送信を適宜設定することが可能となる。所望のＵＬ周波数帯域でＵＬサウンディングを可能とするため、通信品質の向上を図ることが可能となる。
【０７０１】
実施の形態４．
１つのＵＥにおいて、異なるレイテンシ要件の２つのＰＵＳＣＨ送信が存在する場合において、前述のＰＵＳＣＨ送信が同じ時間および／あるいは周波数リソースに割り当てられる可能性がある。例えば、通常のレイテンシが要求されるＰＵＳＣＨ送信（以下、通常レイテンシＰＵＳＣＨと称する場合がある）と、低レイテンシが要求されるＰＵＳＣＨ送信（以下、低レイテンシＰＵＳＣＨと称する場合がある）が存在する場合、あるスロットにおいて、通常レイテンシＰＵＳＣＨの送信が割り当てられるシンボルの一部に対して、低レイテンシＰＵＳＣＨ送信が割り当てられると、時間および／あるいは周波数リソースの割り当てが重複する可能性がある。
【０７０２】
ＵＥは、該スロットにおいて、低レイテンシＰＵＳＣＨの送信を優先して行ってもよい。すなわち、該ＵＥは、該スロットにおいて通常レイテンシＰＵＳＣＨを送信しないとしてもよい。あるいは、ＵＥは、低レイテンシＰＵＳＣＨ送信が開始されるまでの間のみ、通常レイテンシＰＵＳＣＨを送信するとしてもよい。あるいは、ＵＥは、低レイテンシＰＵＳＣＨ送信と衝突する時間および／あるいは周波数リソースにおいては、通常レイテンシＰＵＳＣＨを送信しないとしてもよい。あるいは、ＵＥは、該スロットより後において、通常レイテンシＰＵＳＣＨを送信してもよい。
【０７０３】
低レイテンシＰＵＳＣＨにおいて使用するＢＷＰ（以下、低レイテンシＢＷＰと称する場合がある）と通常レイテンシＰＵＳＣＨにおいて使用するＢＷＰ（以下、通常レイテンシＢＷＰと称する場合がある）が異なる場合において前述の動作を適用すると、以下に示す問題が生じる。例えば、通常レイテンシＰＵＳＣＨがスロット毎に連続してスケジューリングされている場合において、低レイテンシＰＵＳＣＨのスケジューリングが発生したとする。通常レイテンシＰＵＳＣＨをスケジューリングするＰＤＣＣＨにおいて、ＢＷＰ切替え通知が含まれていないとする。また、通常レイテンシＰＵＳＣＨをスケジューリングするＰＤＣＣＨから該ＰＵＳＣＨ送信開始までの期間において、低レイテンシＰＵＳＣＨをスケジューリングするＰＤＣＣＨおよび低レイテンシＰＵＳＣＨが含まれるとする。前述において、ＵＥが使用するＢＷＰは、低レイテンシＰＵＳＣＨを送信時に低レイテンシＢＷＰに切り替わっており、かつ、通常レイテンシＰＵＳＣＨをスケジューリングするＰＤＣＣＨにＢＷＰ切替え通知が含まれていないため、ＵＥは、低レイテンシＰＵＳＣＨ送信後、通常レイテンシＰＵＳＣＨを送信することが不可能となる。このことにより、通信システムにおいて、ＰＵＳＣＨ送信レートが低下する恐れがある。また、ＵＥが使用するＢＷＰについて、基地局とＵＥとの間で齟齬が生じ、誤動作が発生する恐れがある。
【０７０４】
図３６は、低レイテンシＰＵＳＣＨと通常レイテンシＰＵＳＣＨとで使用ＢＷＰが異なる場合における問題を説明する図である。図３６において、ＢＷＰ＃１が通常レイテンシＢＷＰを示し、ＢＷＰ＃２が低レイテンシＢＷＰを示す。図３６に示す例においては、ＢＷＰ＃１とＢＷＰ＃２のヌメロロジが異なる場合について示している。
【０７０５】
図３６において、基地局はＵＥに対し、ＰＤＣＣＨ  ５１０１、５１０２、５１０３をそれぞれ送信する。ＰＤＣＣＨ  ５１０１、５１０２は、それぞれ２スロット後に割り当てられる、ＢＷＰ＃１を用いて送信されるＰＵＳＣＨに関する情報を含むが、ＢＷＰ切替え指示を含まない。ＰＤＣＣＨ  ５１０３は、ＢＷＰ＃２において２スロット後に割り当てられるＰＵＳＣＨに関する情報を含み、また、ＢＷＰをＢＷＰ＃２に切替える指示を含む。図３６において、ＰＤＣＣＨ  ５１０１により割り当てられるＢＷＰ＃１のスロットの途中に、ＰＤＣＣＨ  ５１０３により割り当てられるＢＷＰ＃２のスロットが割り当てられるため、ＵＥは、ＢＷＰ＃１において、スロットの途中までＢＷＰ＃１においてＰＵＳＣＨ  ５１１１を送信し、その後ＢＷＰ＃２に切替えてＰＵＳＣＨ  ５１１３を送信する。ところが、ＰＤＣＣＨ  ５１０２においてＢＷＰ切替え指示が含まれていないため、ＵＥは、ＢＷＰ＃１の次のスロットにおいてＰＵＳＣＨ  ５１１２を送信することができない。
【０７０６】
図３６は、ＢＷＰ＃１とＢＷＰ＃２のヌメロロジが異なる場合について示しているが、両ＢＷＰのヌメロロジが同じである場合においても同様の問題が生じる。例えば、低レイテンシＰＵＳＣＨをスケジューリングするＰＤＣＣＨから該ＰＵＳＣＨ送信開始までの期間が、通常レイテンシＰＵＳＣＨをスケジューリングするＰＤＣＣＨから該ＰＵＳＣＨ送信開始までの期間よりも短く設定されることによって、同様の問題が生じる。
【０７０７】
前述の問題に対する解決策を開示する。
【０７０８】
ＵＥは、低レイテンシＢＷＰから通常レイテンシＢＷＰに切替えないとしてもよい。ＵＥは、スケジューリング済の通常レイテンシＰＵＳＣＨの送信を行わないとしてもよい。ＵＥは、該ＰＵＳＣＨのスケジューリングに関する情報を破棄してもよい。基地局はＵＥに対し、再度、通常レイテンシＰＵＳＣＨのスケジューリングをすることとしてもよい。該スケジューリングの情報に、ＢＷＰ切替えに関する情報を含めるとよい。ＵＥは、ＢＷＰ切替えに関する情報を用いて、使用ＢＷＰを通常レイテンシＢＷＰに切替え、それにより通常レイテンシＰＵＳＣＨを送信可能となる。
【０７０９】
他の解決策を開示する。ＵＥは、低レイテンシＢＷＰから通常レイテンシＢＷＰに切替えるとしてもよい。ＵＥは、スケジューリング済の通常レイテンシＰＵＳＣＨの送信を行ってもよい。ＵＥにおけるＢＷＰ切替えは、通常レイテンシＰＵＳＣＨのスケジューリング情報にＢＷＰ切替え指示が含まれない場合においても行われるとしてもよい。このことにより、例えば、通常レイテンシＰＵＳＣＨの送信レートを向上可能となる。
【０７１０】
他の解決策を開示する。基地局はＵＥに対し、ＰＵＳＣＨ送信後のＢＷＰ切替えに関する情報を通知してもよい。該情報は、ＰＵＳＣＨのスケジューリングに関する情報に含まれてもよい。該情報は、例えば、ＰＵＳＣＨ送信後に使用ＢＷＰを元に戻すか否かを示す情報であってもよい。ＵＥは、該情報を用いて、ＰＵＳＣＨ送信後に使用ＢＷＰを切替えてもよい。ＵＥは、例えば、ＰＵＳＣＨ送信後に使用ＢＷＰを元の通常レイテンシＢＷＰに戻してもよい。このことにより、例えば、異なるレイテンシのＰＵＳＣＨのスケジューリングが存在する場合において、基地局とＵＥとの間で使用ＢＷＰの齟齬を防止可能となる。
【０７１１】
前述における、ＰＵＳＣＨ送信後のＢＷＰ切替えに関する情報を、ＰＤＳＣＨのスケジューリングに対しても同様に適用してもよい。このことにより、例えば、前述と同様の効果が得られる。
【０７１２】
他の解決策を開示する。基地局はＵＥに対し、ＢＷＰ切替え指示を含むＰＵＳＣＨスケジューリング情報のみを通知するとしてもよい。基地局からＵＥに対する上りグラントに、ＢＷＰ切替指示を含むＤＣＩ、例えば、ＤＣＩフォーマット０＿０（非特許文献２５（3GPP TS38.212 v15.0.0）参照）が用いられないとしてもよい。前述において、ＢＷＰ切替え指示に含まれるＢＷＰの情報は、ＵＥが使用中のＢＷＰと同じであってもよいし、異なっていてもよい。前述の動作は、例えば、ＵＥに対して複数のＢＷＰが設定されている場合に適用することとしてもよい。ＵＥは、ＢＷＰ切替え指示を含まないＤＣＩの受信を期待しないとしてもよい。ＵＥは、ＢＷＰ切替え指示を含むＰＵＳＣＨスケジューリング情報のみを受信するとしてもよい。ＵＥは、ＢＷＰ切替え指示を含まないＤＣＩの受信に対して、イレギュラー処理を行ってもよい。ＵＥは、ＢＷＰ切替え指示を含まないＰＵＳＣＨスケジューリング情報を破棄するとしてもよい。他の例として、ＵＥは基地局に対し、イレギュラーの発生を通知してもよい。該通知に、ＢＷＰ切替え指示を含まないＤＣＩを受信したことを示す情報を含めてもよい。このことにより、例えば、異なるレイテンシのＰＵＳＣＨのスケジューリングが存在する場合において、基地局とＵＥとの間で使用ＢＷＰの齟齬を防止可能となる。
【０７１３】
本実施の形態４において、低レイテンシＢＷＰと通常レイテンシＢＷＰのヌメロロジは同じであってもよいし、異なっていてもよい。例えば、両ＢＷＰのヌメロロジが同じである場合においても、本実施の形態４に示す方法を適用することにより、基地局とＵＥとの間で使用ＢＷＰの齟齬を防止可能となる。
【０７１４】
本実施の形態４により、基地局とＵＥとの間における、ＵＥが使用するＢＷＰに関する齟齬を防止可能となり、その結果、通信システムにおける誤動作を防止可能となる。
【０７１５】
実施の形態５．
ＰＵＳＣＨ送信において、ＵＥが上りグラントを含むＰＤＣＣＨを受信してからＰＵＳＣＨを送信するまでのスロット間隔は、ＰＵＳＣＨのスロット長さの単位で与えられる（非特許文献１５（TS 38.214 v15.0.0）参照）。
【０７１６】
前述において、以下に示す問題が生じる。すなわち、下りと上りのヌメロロジが異なる場合、特に、下りのスロット長が上りのスロット長よりも大きい場合において、ＰＤＣＣＨ受信からＰＵＳＣＨ送信までのスロット間隔について、上りスロットの位置によりばらつきが発生する。その結果、スロットの位置によってＰＵＳＣＨ送信の遅延のばらつきが発生する。
【０７１７】
図３７は、下りと上りとでヌメロロジが異なる場合のＰＵＳＣＨスケジューリングにおける問題を説明する図である。図３７において、ＰＵＳＣＨ  ５２０２〜５２０５に関するスケジューリング情報はいずれもＰＤＣＣＨ  ５２０１によって送信される。この場合、ＰＤＣＣＨ  ５２０１からＰＵＳＣＨ  ５２０２〜５２０５までのスロット間隔はそれぞれ２〜５スロットとなり、スロットの位置によりばらつきが生じる。その結果、スロットの位置によってＰＵＳＣＨ送信の遅延のばらつきが発生する。
【０７１８】
前述の問題に対する解決策を開示する。
【０７１９】
基地局は、ＰＵＳＣＨスケジューリング情報を、スロットの中間にあるＰＤＣＣＨに含めてＵＥに通知してもよいこととする。ＵＥは、スロットの中間にあるＰＤＣＣＨの受信により、ＰＵＳＣＨスケジューリング情報を取得してもよい。前述のＰＤＣＣＨは、例えば、非スロットのスケジューリング用のＰＤＣＣＨであってもよい。
【０７２０】
上りスロットの位置により、上りスケジューリング情報が下りスロット先頭のＰＤＣＣＨに含まれるか、スロットの中間にあるＰＤＣＣＨに含まれるかが決まってもよい。また、上りスロットの位置により、上りスケジューリング情報が含まれるＰＤＣＣＨが配置されるスロットの位置が決まってもよい。このことにより、例えば、ＰＵＳＣＨ送信遅延のばらつきを低減可能となる。
【０７２１】
図３８は、スロットの中間にあるＰＤＣＣＨによるＰＵＳＣＨスケジューリングを示す図である。図３８は、上りスロット長が下りスロット長よりも短い場合の例について示している。また、図３８は、スロット先頭のＰＤＣＣＨとスロット中間にあるＰＤＣＣＨとの両方が用いられる例について示している。図３８において、図３７と共通する信号については同じ図番号を付し、共通する説明を省略する。
【０７２２】
図３８において、ＰＵＳＣＨ  ５２０２、５２０３のスケジューリング情報は、スロット先頭のＰＤＣＣＨ  ５２０１に含まれてＵＥに通知される。ＰＵＳＣＨ  ５２０４、５２０５のスケジューリング情報は、スロットの中間にあるＰＤＣＣＨ  ５３０１に含まれてＵＥに通知される。
【０７２３】
ＰＤＣＣＨの位置とＰＵＳＣＨの位置との対応関係は、規格で決められてもよい。あるいは、該対応関係を基地局が決定してＵＥに通知または報知してもよい。
【０７２４】
ＵＥが上りグラントを含むＰＤＣＣＨを受信してからＰＵＳＣＨを送信するまでのスロット間隔を決める条件および／あるいは式（非特許文献１５（TS 38.214 v15.0.0）参照）に、ＰＤＣＣＨが含まれるシンボル番号が含まれてもよい。該シンボル番号は、ＰＤＣＣＨの先頭のシンボルであってもよいし、末尾のシンボル番号であってもよい。他の例として、非スロットを識別する情報、例えば、非スロット番号が、該条件および／あるいは該式に含まれてもよい。非スロット番号は、例えば、スロットを数シンボル単位に分割して付与される番号であってもよいし、スロット内において非スロットが割り当てられる位置毎に付与される番号であってもよい。このことにより、例えば、スロットの中間にあるＰＤＣＣＨを用いる場合とスロット先頭のＰＤＣＣＨを用いる場合とで共通のパラメータを使用可能となる。その結果、スケジューリングにて基地局が選択できるパラメータの選択肢が増え、上り送信における柔軟性を向上可能となる。
【０７２５】
他の例として、前述のスロット間隔を決める条件および／あるいは式が、シンボル単位で与えられてもよいし、前述の非スロット番号単位で与えられてもよい。このことにより、例えば、スロット単位よりも短い時間間隔の値を設定可能となり、その結果、通信の低遅延化が可能となる。
【０７２６】
本実施の形態５にて開示した方法を、他の上り信号あるいはチャネルに適用してもよい。例えば、該方法を、ＳＲＳに適用してもよいし、ＨＡＲＱフィードバックを含むＰＵＣＣＨに適用してもよいし、ＣＳＩ報告を含むＰＵＳＣＨに適用してもよい。このことにより、例えば、前述の信号あるいはチャネルにおいても、上りスロットの位置による遅延のばらつきを低減可能となる。
【０７２７】
本実施の形態５において、実施の形態４にて開示した方法を適用してもよい。例えば、実施の形態４において、低レイテンシＢＷＰを用いて送信される、低レイテンシＰＵＳＣＨは、スロットの中間にあるＰＤＣＣＨを用いてスケジューリングされてもよい。このことにより、例えば、通常レイテンシのＰＵＳＣＨと、さらなる低レイテンシが要求されるＰＵＳＣＨの送信が並行して行われる場合において、基地局とＵＥとの間で使用ＢＷＰの齟齬を防止可能となる。
【０７２８】
本実施の形態５により、スロットの位置による上りＰＵＳＣＨの遅延のばらつきを少なくすることが可能となり、その結果、上りＰＵＳＣＨ送信における遅延を低減可能となる。
【０７２９】
前述の各実施の形態およびその変形例は、本発明の例示に過ぎず、本発明の範囲内において、各実施の形態およびその変形例を自由に組合せることができる。また各実施の形態およびその変形例の任意の構成要素を適宜変更または省略することができる。
【０７３０】
例えば、前述の各実施の形態およびその変形例において、サブフレームは、第５世代基地局通信システムにおける通信の時間単位の一例である。スケジューリング単位であってもよい。前述の各実施の形態およびその変形例において、サブフレーム単位として記載している処理を、ＴＴＩ単位、スロット単位、サブスロット単位、ミニスロット単位として行ってもよい。
【０７３１】
本発明は詳細に説明されたが、上記した説明は、すべての局面において、例示であって、本発明がそれに限定されるものではない。例示されていない無数の変形例が、本発明の範囲から外れることなく想定され得るものと解される。
【符号の説明】
【０７３２】
２００  通信システム、２０２  通信端末装置、２０３  基地局装置。
【図１】
2019194021.tif 000003
【図２】
2019194021.tif 000004
【図３】
2019194021.tif 000005
【図４】
2019194021.tif 000006
【図５】
2019194021.tif 000007
【図６】
2019194021.tif 000008
【図７】
2019194021.tif 000009
【図８】
2019194021.tif 000010
【図９】
2019194021.tif 000011
【図１０】
2019194021.tif 000012
【図１１】
2019194021.tif 000013
【図１２】
2019194021.tif 000014
【図１３】
2019194021.tif 000015
【図１４】
2019194021.tif 000016
【図１５】
2019194021.tif 000017
【図１６】
2019194021.tif 000018
【図１７】
2019194021.tif 000019
【図１８】
2019194021.tif 000020
【図１９】
2019194021.tif 000021
【図２０】
2019194021.tif 000022
【図２１】
2019194021.tif 000023
【図２２】
2019194021.tif 000024
【図２３】
2019194021.tif 000025
【図２４】
2019194021.tif 000026
【図２５】
2019194021.tif 000027
【図２６】
2019194021.tif 000028
【図２７】
2019194021.tif 000029
【図２８】
2019194021.tif 000030
【図２９】
2019194021.tif 000031
【図３０】
2019194021.tif 000032
【図３１】
2019194021.tif 000033
【図３２】
2019194021.tif 000034
【図３３】
2019194021.tif 000035
【図３４】
2019194021.tif 000036
【図３５】
2019194021.tif 000037
【図３６】
2019194021.tif 000038
【図３７】
2019194021.tif 000039
【図３８】
2019194021.tif 000040
【国際調査報告】
2019194021.tif 000041
2019194021.tif 000042
2019194021.tif 000043
2019194021.tif 000044